(57)【要約】本発明は、ドーパミン分泌細胞の生存を増加させる方法であって、ドーパミン分泌細胞にレチノイドＸレセプター（ＲＸＲ）リガンドを投与する工程を有し、前記ＲＸＲリガンドの結合によって前記ドーパミン分泌細胞の生存が増加する方法に関する。神経変性疾患への治療法も開示される。【特許請求の範囲】
【請求項１】
ドーパミン分泌細胞の生存を増加させる方法であって、レチノイドＸレセプター（ＲＸＲ）リガンドを、ドーパミン分泌細胞に対して、前記ＲＸＲリガンドがＲＸＲに結合し、前記ドーパミン分泌細胞の生存を増加させるのに十分な量、投与される工程を有する方法。
【請求項２】
前記ＲＸＲリガンドは、それを必要とする対象体のドーパミン分泌細胞に投与される、請求項１に記載の方法。
【請求項３】
前記ＲＸＲリガンドは、ＲＸＲを選択的に活性化する、請求項１又は２に記載の方法。
【請求項４】
前記ドーパミン分泌細胞は、イン・ヴィトロにおいて培養される、請求項１に記載の方法。
【請求項５】
前記ＲＸＲリガンドは、自然発生リガンドである、請求項１又は２に記載の方法。
【請求項６】
前記自然発生リガンドは、腹側胎児中脳細胞から単離される、請求項５に記載の方法。
【請求項７】
前記自然発生リガンドは、９−シスレチノイン酸又はドコサヘキサエン酸である、請求項５に記載の方法。
【請求項８】
前記ＲＸＲリガンドは、非自然発生ＲＸＲリガンドである、請求項１又は２に記載の方法。
【請求項９】
前記非自然発生ＲＸＲリガンドは、ＬＧ１０６９、ＬＧ１００２６８、ＳＲ１１２０３，ＳＲ１１２１７，ＳＲ１１２３４，ＳＲ１１２３５，ＳＲ１１２３６又はＳＲ１１２３７である、請求項８に記載の方法。
【請求項１０】
前記ドーパミン分泌細胞は、脳幹神経節由来である、請求項１又は２に記載の方法。
【請求項１１】
前記脳幹神経節由来細胞は、線条体、淡蒼球、無名質，腹側淡蒼球（ventral pallidum）、マイネルト基底核，腹側被蓋野，及び視床下核および黒質由来のドーパミン細胞、から成るグループから選択される細胞由来である、請求項１０に記載の方法。
【請求項１２】
更に、ＲＡＲアンタゴニストを投与する工程を有する、請求項１又は２に記載の方法。
【請求項１３】
前記ＲＡＲアンタゴニストはＲＯ４１−５２５３である、請求項１２に記載の方法。
【請求項１４】
前記ドーパミン分泌細胞は、イン・ヴィトロで培養される、請求項１２に記載の方法。
【請求項１５】
前記ＲＸＲリガンドは、自然発生リガンドである、請求項１２に記載の方法。
【請求項１６】
前記自然発生リガンドは、腹側胎児中脳細胞から単離される、請求項１５に記載の方法。
【請求項１７】
前記自然発生リガンドは、９−シスレチノイン酸又はドコサヘキサエン酸である、請求項１５に記載に記載の方法。
【請求項１８】
前記ＲＸＲリガンドは、非自然発生ＲＸＲリガンドである、請求項１２に記載に記載の方法。
【請求項１９】
前記非自然発生ＲＸＲリガンドは、ＬＧ１０６９、ＬＧ１００２６８、ＳＲ１１２０３，ＳＲ１１２１７，ＳＲ１１２３４，ＳＲ１１２３５，ＳＲ１１２３６又はＳＲ１１２３７である、請求項１８に記載に記載の方法。
【請求項２０】
前記ドーパミン分泌細胞は、脳幹神経節由来である、請求項１２に記載の方法。
【請求項２１】
前記脳幹神経節由来細胞は、線条体、淡蒼球、無名質，腹側淡蒼球（ventral pallidum）、マイネルト基底核，腹側被蓋野，及び視床下核および黒質由来のドーパミン細胞、から成るグループから選択される細胞由来である、請求項２０に記載の方法。
【請求項２２】
前記対象体は神経変性疾患を有する、請求項２に記載の方法。
【請求項２３】
前記神経変性疾患はドーパミン分泌細胞の損失によって特徴付けられる、請求項２に記載の方法。
【請求項２４】
前記神経変性疾患はパーキンソン病である、請求項２に記載の方法。
【請求項２５】
ＲＸＲの転写制御下にある遺伝子を同定する方法であって、
１）神経細胞を、ドーパミン分泌細胞の生存の増加を媒介するＲＸＲ及びＲＸＲ依存応答経路を活性化するＲＸＲリガンドと接触させる工程と、
２）処理された細胞における発現の異なる転写物を同定する工程とを有し、
前記処理細胞における発現の異なる転写物はＲＸＲの転写制御下にある遺伝子によってコードされる、
ＲＸＲの転写制御下にある遺伝子を同定する方法。
【請求項２６】
前記方法は、更に、前記細胞から転写物を単離する工程を有する、請求項２５に記載の方法。
【請求項２７】
前記方法は、更に、前記単離転写物を、前記リガンドによってまだ処理されていないドーパミン分泌細胞から単離された転写物と比較する工程を有する、請求項２６に記載の方法。
【請求項２８】
前記発現の異なる遺伝子の同定は、ディファレンシャル  ディスプレイ法（Differential Display Method）、アレイ解析又は、遺伝子発現の連続解析法（ＳＡＧＥ）によって達成される、請求項２５に記載の方法。
【請求項２９】
前記ＲＸＲリガンドは、自然発生リガンドである、請求項２５に記載の方法。
【請求項３０】
前記自然発生リガンドは９−シスレチノイン酸又はドコサヘキサエン酸である、請求項２９に記載の方法。
【請求項３１】
前記ＲＸＲリガンドは、ＲＸＲを選択的に活性化する非自然発生ＲＸＲリガンドである、請求項２５に記載の方法。
【請求項３２】
前記非自然発生ＲＸＲリガンドは、ＲＸＲ−ＲＡＲヘテロダイマーおよびＲＡＲ−依存応答経路を実質的に活性化しない、請求項３１に記載の方法。
【請求項３３】
前記非自然発生ＲＸＲリガンドは、ＬＧ１０６９、ＬＧ１００２６８、ＳＲ１１２０３，ＳＲ１１２１７，ＳＲ１１２３４，ＳＲ１１２３５，ＳＲ１１２３６又はＳＲ１１２３７である、請求項３１に記載の方法。
【請求項３４】
前記非自然発生ＲＸＲリガンドは、ＳＲ１１２３７である、請求項３３に記載の方法。
【請求項３５】
ドーパミン分泌細胞の損失に関連する症状の治療用の薬剤の製造に於けるＲＸＲリガンドの使用方法。
【請求項３６】
前記ＲＸＲリガンドはＲＸＲを選択的に活性化する、請求項３５の使用方法。
【請求項３７】
前記ＲＸＲリガンドは、自然発生リガンドである、請求項３５に記載の使用方法。
【請求項３８】
前記自然発生ＲＸＲリガンドは、腹側胎児中脳細胞から単離される、請求項３７に記載の使用方法。
【請求項３９】
前記自然発生リガンドは９−シスレチノイン酸又はドコサヘキサエン酸である、請求項３７に記載の使用方法。
【請求項４０】
前記ＲＸＲリガンドは、非自然発生ＲＸＲリガンドである、請求項３５に記載の使用方法。
【請求項４１】
前記非自然発生ＲＸＲリガンドは、ＬＧ１０６９、ＬＧ１００２６８、ＳＲ１１２０３，ＳＲ１１２１７，ＳＲ１１２３４，ＳＲ１１２３５，ＳＲ１１２３６およびＳＲ１１２３７から成るグループから選択される、請求項４０に記載の使用方法。
【請求項４２】
ドーパミン分泌細胞の損失に関連する症状の治療用の薬剤の製造に於けるＲＸＲリガンドおよびＲＡＲアンタゴニストの使用方法。
【請求項４３】
ドーパミン分泌細胞の損失に関連する症状を患う患者の治療用の薬剤の製造に於けるＲＸＲリガンドの使用方法であって、前記患者は予めＲＡＲアンタゴニストによって処理されている、ＲＸＲリガンドの使用方法。
【請求項４４】
ドーパミン分泌細胞の損失に関連する症状を患う患者の治療においてその後投与されるＲＸＲリガンドの作用を高める薬剤の製造に於けるＲＡＲアンタゴニストの使用方法。
【請求項４５】
前記ＲＸＲリガンドはＲＸＲを選択的に活性化する、請求項４２，４３又は４４の使用方法。
【請求項４６】
前記ＲＸＲリガンドは、自然発生リガンドである、請求項４２，４３又は４４に記載の使用方法。
【請求項４７】
前記自然発生ＲＸＲリガンドは、腹側胎児中脳細胞から単離される、請求項４６に記載の使用方法。
【請求項４８】
前記自然発生リガンドは９−シスレチノイン酸又はドコサヘキサエン酸である、請求項４６に記載の使用方法。
【請求項４９】
前記ＲＸＲリガンドは、非自然発生ＲＸＲリガンドである、請求項４２，４３又は４４に記載の使用方法。
【請求項５０】
前記非自然発生ＲＸＲリガンドは、ＬＧ１０６９、ＬＧ１００２６８、ＳＲ１１２０３，ＳＲ１１２１７，ＳＲ１１２３４，ＳＲ１１２３５，ＳＲ１１２３６およびＳＲ１１２３７から成るグループから選択される、請求項４９に記載の使用方法。
【請求項５１】
Ｎｕｒｒ１を刺激する物質を同定する方法であって、前記方法は、
１）細胞を物質と接触させる工程と、
２）Ｒｅｔ遺伝子発現を測定する工程を有し、未処理細胞に対するＲｅｔ発現の増加は、前記物質がＮｕｒｒ１発現を刺激することを示す、Ｎｕｒｒ１を刺激する物質を同定する方法。
【請求項５２】
前記細胞は神経細胞である、請求項５１に記載の方法。
【請求項５３】
前記神経細胞は、ドーパミン分泌細胞である、請求項５２に記載の方法。
【請求項５４】
前記Ｒｅｔ遺伝子発現が、ノーザンブロッティング、定量ＰＣＲ、ディファレンシャル  ディスプレイ法（differential display）、及びアレイ解析から成るグループから選択される方法によって測定される、請求項５１に記載の方法。
【請求項５５】
前記細胞は、Ｎｕｒｒ１−／−であり、Ｒｅｔを発現し、Ｎｕｒｒ１をコードするベクターでトランスフォーム又はトランスフェクトされる、請求項５１に記載の方法。
【請求項５６】
前記細胞は、Ｎｕｒｒ−／−かつＲｅｔ−／−であり、Ｎｕｒｒ１遺伝子を有するベクターと、Ｒｅｔ遺伝子を有するベクターでトランスフォーム又はトランスフェクトされる、請求項５１に記載の方法。
【請求項５７】
神経細胞におけるＲｅｔ発現を増加させる方法であって、物質をそれを必要とする対象体に投与する工程を有し、前記物質はＲｅｔ発現を増加させる、神経細胞におけるＲｅｔ発現を増加させる方法。
【請求項５８】
前記神経細胞は、脳幹神経節由来である、請求項５７に記載の方法。
【請求項５９】
前記脳幹神経節由来細胞は、線条体、淡蒼球、無名質，腹側淡蒼球（ventral pallidum）、マイネルト基底核，腹側被蓋野，及び視床下核および黒質由来の神経細胞、から成るグループから選択される細胞由来である、請求項５８に記載の方法。
【請求項６０】
前記神経細胞はドーパミン分泌細胞である、請求項５７に記載の方法。
【請求項６１】
前記物質はＮｕｒｒ１リガンド又はＲＸＲリガンドである、請求項５７に記載の方法。
【請求項６２】
前記ＲＸＲリガンドはＲＸＲを選択的に活性化する、請求項６１の使用法。
【請求項６３】
前記ＲＸＲリガンドは、自然発生リガンドである、請求項６１に記載の方法。
【請求項６４】
前記自然発生リガンドは、腹側胎児中脳細胞から単離される、請求項６３に記載の方法。
【請求項６５】
前記自然発生リガンドは９−シスレチノイン酸又はドコサヘキサエン酸である、請求項６３に記載の方法。
【請求項６６】
前記ＲＸＲリガンドは、非自然発生ＲＸＲリガンドである、請求項６１に記載の方法。
【請求項６７】
前記非自然発生ＲＸＲリガンドは、ＬＧ１０６９、ＬＧ１００２６８、ＳＲ１１２０３，ＳＲ１１２１７，ＳＲ１１２３４，ＳＲ１１２３５，ＳＲ１１２３６又はＳＲ１１２３７である、請求項６６に記載の方法。
【請求項６８】
前記対象体は神経変性疾患を有する、請求項５７に記載の方法。
【請求項６９】
前記神経変性疾患はドーパミン分泌細胞の損失によって特徴付けられる、請求項６８に記載の方法。
【請求項７０】
前記神経変性疾患はパーキンソン病である、請求項６８に記載の方法。
【請求項７１】
神経細胞におけるＲｅｔ発現を増加させる方法であって、前記方法は、物質を、それを必要とする対象体に投与する工程を有し、前記物質はＮｕｒｒ１を活性化し、それによって神経細胞におけるＲｅｔの発現を増加させる、神経細胞におけるＲｅｔ発現を増加させる方法。
【請求項７２】
前記神経細胞は、脳幹神経節由来である、請求項７１に記載の方法。
【請求項７３】
前記脳幹神経節由来細胞は、線条体、淡蒼球、無名質，腹側淡蒼球（ventral pallidum）、マイネルト基底核，腹側被蓋野，及び視床下核および黒質由来の神経細胞、から成るグループから選択される細胞由来である、請求項７２に記載の方法。
【請求項７４】
前記神経細胞はドーパミン分泌細胞である、請求項７１に記載の方法。
【請求項７５】
前記物質はＮｕｒｒ１リガンド又はＲＸＲリガンドである、請求項７１に記載の方法。
【請求項７６】
前記ＲＸＲリガンドはＲＸＲを選択的に活性化する、請求項７５の使用法。
【請求項７７】
前記ＲＸＲリガンドは、自然発生リガンドである、請求項７５に記載の方法。
【請求項７８】
前記自然発生リガンドは、腹側胎児中脳細胞から単離される、請求項７７に記載の方法。
【請求項７９】
前記自然発生リガンドは９−シスレチノイン酸又はドコサヘキサエン酸である、請求項７７に記載の方法。
【請求項８０】
前記ＲＸＲリガンドは、非自然発生ＲＸＲリガンドである、請求項７５に記載の方法。
【請求項８１】
前記非自然発生ＲＸＲリガンドは、ＬＧ１０６９、ＬＧ１００２６８、ＳＲ１１２０３，ＳＲ１１２１７，ＳＲ１１２３４，ＳＲ１１２３５，ＳＲ１１２３６又はＳＲ１１２３７である、請求項８０に記載の方法。
【請求項８２】
前記対象体は神経変性疾患を有する、請求項８１に記載の方法。
【請求項８３】
前記神経変性疾患はドーパミン分泌細胞の損失によって特徴付けられる、請求項８２に記載の方法。
【請求項８４】
前記神経変性疾患はパーキンソン病である、請求項８２に記載の方法。
【発明の詳細な説明】
【技術分野】
【０００１】
本発明は、又、ドーパミン分泌細胞の生存を増加させることによる神経変性疾患の治療にも関する。ＲＸＲリガンドは、Ｎｕｒｒ１のＲＸＲ−リガンド依存活性化を通して媒介される細胞生存経路を活性化させることによってドーパミン分泌細胞の生存を増加させることができるという驚くべき発見がここに開示される。この発見は、ドーパミン分泌細胞にＲＸＲリガンドを投与する工程を有するドーパミン分泌細胞の生存を増加させる治療法の基礎を提供する。同じ原理に基づき、この発見は、ＲＸＲリガンドの結合後にＲＸＲによって転写活性化され、ドーパミン分泌細胞生存におけるＲＸＲ依存増加を媒介する遺伝子を同定する方法の基礎を提供する。本発明の発明者等は、又、Ｎｕｒｒ１が、ドーパミン分泌細胞と迷走神経の背側運動核の細胞との両方において、レセプターキナーゼＲｅｔの発現を調節するという驚くべき発見もした。
【背景技術】
【０００２】
１．パーキンソン病
中脳ドーパミン分泌細胞は、随意運動神経機能、刺激、及びその他の神経機能の制御に非常に重要である。機能不全ドーパミン作動性神経伝達によって、精神分裂症や薬物中毒等の障害が引き起こされると考えられている。重要なこととして、ドーパミン分泌細胞の脱調節及び損失は、北米の人口の２％以上に影響を与えている神経変性疾患であるパーキンソン病に関連している。パーキンソン病の主要な薬剤治療法は、外因性ドーパミン前駆物質を供給すること、そして、末梢ドーパミン分解酵素を抑制することによってドーパミンレベルを増加させる方法が中心となっている（デュネット（Dunnett）他（1999）Nature 399, A332-A39）。ドーパミン置換療法によってパーキンソン病の症状はうまく改善されるが、現在の治療法で、これらの患者の神経変性とドーパミン分泌細胞の損失を阻止又は遅延させることができるものは無い。更に、ドーパミン置換療法は多くの副作用の耐性の発生とに関連している。
【０００３】
げっ歯類、霊長類及びヒトのパーキンソン患者において実験的に誘発されたパーキンソン病状態を治療するのに、胎児ドーパミン分泌細胞の神経細胞移植が成功裏に使用されている。ドーパミン細胞を含む胎児中脳組織の移植片をヒト患者の尾状核及び被殻に入れることによって進行したパーキンソン病の患者の一部に対する長期的な臨床的利益が提供されることが示された（フリード（Freed）他（1992）N. Engl. J. Med. 327：1549-1555）。胎児中脳組織の両側（bilateral）移植を受けたＭＰＴＰ−誘発パーキンソン病（ＭＰＴＰは１−メチル−４−フェニル−１，２，３，６−テトラヒドロピリジンである）においても、長期的な機能改善が示された（パーロウ（Perlow）他（1978）Science 204：643-647；スペンサー（Spencer）他（1992）N. Engl. J. Med. 327：1541-1548；ウィドナー（Widner）他（1992）N. Engl. J. Med. 327：1556-1563）。しかしながら、移植片の生存は不良で、限られた量の胎児ドーパミン作動性組織しか利用できない。平均で、１つのヒト移植に対して十分な数のドーパミン作動性ニューロンを得るために４−１０の新しいヒトの胎児が必要である（ウィドナー（Widner）他（1992）N. Engl. J. Med. 327：1556-1563）。
【０００４】
上述した研究は有望なものではあるが、疾患の治療のために多量の流産した胎児組織を使用することは倫理的問題と政治的な障害を引き起こす。その他の問題も生じる。胎児中枢神経系は、１つ以上の細胞タイプから構成されており、従って、組織の明確な源ではない。更に、胎児組織の供給に関しては重大な疑惑がある。調製中又は調製前に、胎児組織がウィルス及びバクテリアによって汚染される可能性があるため、高価な診断テストが必要になる。好適な治療法は、細胞変性の阻止又は低減を必要とするであろう。
【０００５】
２．ドーパミン分泌-細胞生存
ポリペプチド神経栄養因子を使用するドーパミン分泌細胞の生存を増加させるためのいくつかの方法が開発されている。パーキンソン病の動物モデルにおいては、グリア細胞由来神経栄養因子（ＧＤＮＦ）、neurturin，塩基性線維芽細胞成長因子（ｂＦＧＦ）、脳由来神経栄養因子（ＢＤＮＦ）、ニューロトロフィン３及び４／５、繊毛様神経栄養因子及びトランスフォーミング成長因子、を含む多くのポリペプチド因子は、イン・ヴィヴォで黒質のドーパミン分泌細胞の生存を増加させる（ビヨルクルンド（Bjorklund）他（2000）Nature 405：892-893；マガヴィ（Magavi）他（2000）Nature 405：951-955；アンシッカー（Unsicker）他（1996）Ciba Found Symp. 196：70-80；ガッシュ（Gash）他（1998）Ann Neurol.（suppl） 44：S121-S125；ビヨルクルンド（Bjorklund）他（1997）Neurobiol. Dis. 4：186-200；パルフィ（Palfi）他（1998）Soc. Neurosci Abstr. 24：41；トマック（Tomac）他（1995）Nature 373：335-339；ベック（Beck）他（1995）Nature 373：339-341；ヤン（Yan）他（1995）Nature 373：341-344）。しかしながら、これらのポリペプチド因子は、脳血液関門を超えず、従って標的細胞に到達しない。ＧＤＮＦをコードするウィルスベクターを黒質に定位注入することによってこの問題は解決されるかもしれない（ビヨルクルンド（Bjorklund）他（2000）Nature 405：892-893）。
【０００６】
３．核内レセプターＲＸＲ
核内レセプターは、ステロイドホルモン、甲状腺ホルモン、レチノイド、ビタミンＤなどの小分子リガンドによって調節される高度に関連したたん白質のファミリーからなる（マンゲルスドルフ（Mangelsdorf）他（1995）Cell 83：835-850）。これらの細胞内レセプターは、ポリペプチドホルモン及び因子よりもより効果的に脳血液関門を超える小さな脂溶性リガンドに結合するリガンド活性化転写因子として機能する。核内レセプターは、可変Ｎ−末端領域、保存中央ＤＮＡ−結合ドメイン、可変ヒンジ領域、保存Ｃ−末端リガンド−結合ドメイン、及び可変Ｃ−末端ドメインによって特徴付けられる（マンゲルスドルフ（Mangelsdorf）他（1995）Cell 83：835-850）。前記ＤＮＡ−結合ドメインは、このレセプターが、ホルモン−応答エレメントと称される特定のＤＮＡ配列に結合することを可能にする２つの高度に保存されたジンクフィンガーを含む。リガンド特異性／選択性は、前記リガンド−結合ドメインによってレセプターに与えられる。核内レセプターのＤＮＡ−結合ドメインは一般にＤＮＡ結合のために十分ではあるが、標的遺伝子の転写活性化のためにはリガンド結合が必要である。核内レセプターのリガンド−媒介活性化は必要ではあるが、標的遺伝子のプロモータに結合する複数の共活性化因子の加入を含む、追加の一連の複雑な事象を含む、転写のアップレギュレーションのためには不十分である。
【０００７】
核内レセプターは、しばしば、それらのリガンド結合、ＤＮＡ結合及び二量化特性によって分類される。たとえば、ステロイドホルモンレセプターは、逆方向の反復として構築されるＤＮＡ半部位に結合するホモダイマーを形成する。事実、ダイマーは多くの核内レセプターの機能性形態を表す。レチノイン酸レセプター（ＲＡＲ）とレチノイドＸレセプター（ＲＸＲ）とから構成されるレチノイドレセプターは、直接ＤＮＡ反復に結合するヘテロダイマーとして機能する（カストナー（Kastner）他（1995）Cell 83：859-869；マンゲルスドルフ（Mangelsdorf）他（1995）Cell 83：835-850）。ＲＸＲは、ＲＡＲ及び、いまだそれに対して既知のリガンドが同定されていない核内レセプターファミリーのサブセットであるいくつかのオーファンレセプターを含む多数の核内レセプターとヘテロダイマーを形成することが示されている（ギギア（Gigere）他（1999）Endocrine Rev. 20：689-725；et al.（1995）Cell 83：859-869）。前記ステロイドホルモンレセプターを除き、その他すべての知られているリガンド依存レセプターは、ＲＸＲとヘテロダイマーを形成する。ＲＸＲホモダイマーは同定されているが（レーマン（Lehmann）他（1992）Science 258：1944-1946；ここに参考文献として合体させる）、これらの構造はＲＸＲのイン・ヴィトロ過剰発現から発生する人工産物であると仮定されている。これらのホモダイマーの生理学的重要性はまだ明らかではない。
【０００８】
ＲＸＲは、多くの生理反応を媒介する多くの核内レセプターのヘテロダイマー化パートナーであるという事実は、ＲＸＲは、潜在的に万能の治療標的であることを示唆している。更に、ＲＸＲ−核内レセプターヘテロダイマーの転写活性化状態への活性化は、ＲＸＲリガンド又はＲＸＲ−ヘテロダイマー化パートナーのリガンドのいずれかの結合によって誘発させることが可能である。ＲＸＲ−媒介反応は、胎児発達、細胞機能、疾病に関係する。例えば、ＲＸＲは、胎児発達、および成体マウスにおける正常な中枢神経系機能にとって必須である。更に、ＲＸＲ−依存応答経路を活性化することは、糖尿病及び乳がんの治療において治療的に有用であると考えられる（ムカージー（Mukherjee）他（1997）Nature 386：407-410；ゴッターディス（Gottardis）他（1996）Cancer Research 56：5566-5570）。
【０００９】
ＲＸＲ−依存応答経路の活性化に基づくいかなる潜在的治療法も、ＲＸＲリガンドが、１）ＲＸＲに結合し、２）ＲＸＲに転写活性化形態をとるように誘導し、そして３）最終的に標的遺伝子の転写をアップレギュレーションする、ことを必要とする。いくつかの自然発生化合物（即ち、９−シスレチノイン酸、ドコサヘキサエン酸、オールトランスレチノイン酸）と非自然発生化合物がＲＸＲ及びＲＡＲリガンドとして同定されている。２つのビタミンＡ誘導体−オールトランスレチノイン酸と９−シスレチノイン酸がＲＡＲリガンドでありＲＡＲを活性化する。これに対して、ＲＸＲは、９−シスレチノイン酸によっては活性化されるが、オールトランスレチノイン酸によっては活性化されない。９−シスレチノイン酸のほかに、いくつかの非自然発生ＲＸＲリガンド及びＲＸＲ−リガンドアナログが開発されており、これらはＲＸＲヘテロダイマーに選択的に結合しそれらを活性化するが、ＲＡＲには実質的に結合しない。
【００１０】
４．Ｎｕｒｒ１及びドーパミン分泌細胞生存
Ｎｕｒｒ１（ｎｕｒ−関連因子１；ＮＲ４Ａ２）は、発達中及び成体の中枢神経系において広く発現されるオーファン核内レセプターである（ロー（Law）他（1992）Mol. Endocrinol. 6：2129-2135；ゼッターストローム（Zetterstroem）（1996）Mol. Endocrinol. 10：1656-1666；ゼッターストローム（Zetterstroem）他（1996）Mol. Brain res. 41：111-120）。Ｎｕｒｒ１発現は、中脳ドーパミン分泌細胞が発達する領域であるマウスの腹側中脳（ＶＭＢ）中に胎児齢Ｅ１０．５に検出される。（ゼッターストローム（Zetterstroem）他（1997）Science 276：248-250）。Ｎｕｒｒ１ノックアウトマウス（Ｎｕｒｒ１（Ｎｕｒｒ１−／−）での以前の研究は、Ｎｕｒｒ１がドーパミンを分泌する細胞の発達に必須である事を明らかにした。（ゼッターストローム（Ze tterstroem）他（1997）Science 276；248-250；ソースドゥ−カーデナス（Saucedo-Cardenas）他（1998）Proc. Natl. Acad. Sci. U S A 95：4013-4018；カスティロ（Castillo）他（1998）Mol. Cell. Neurosci. 11：36-46）。分析によって、増殖前駆細胞の脳室帯のすぐ周辺において最初に検出されるＮｕｒｒ１が、ドーパミンを分泌する細胞の遊走と軸索標的領域の神経支配のために必要であることが示された（ウォーレン（Wallen）他（1999）Exp. Cell Res. 253：737-736）。出産時において、Ｎｕｒｒ１−欠失マウスの腹側中脳において細胞死の増加が観察され、ドーパミン作動性マーカは検出されない（ソースドゥ−カーデナス（Saucedo-Cardenas）他（1998）Proc. Natl. Acad. Sci USA 95：4013-4018；ウォーレン（Wallen）他（1999）Exp. Cell Res. 253：737-736；ゼッターストローム（Zetterstroem）他（1997）Science 276：248-250）。Ｎｕｒｒ１は、又は、成体ドーパミン分泌細胞中にも発現され、これは、Ｎｕｒｒ１が、出生後の発達と成体期中にこれらの細胞の機能に影響を与えつづけるということを示唆している（ゼッターストローム（Zetterstroem）他（1996）Mol. Endocrinol. 10：1656-1666；ゼッターストローム（Zetterstroem）（1996）Mol. Brain Res. 41：111-120）。事実、Ｎｕｒｒ１は、ドーパミン作動性トランスポーター及びチロシンヒドロキシラーゼ（ＴＨ）を含む、ドーパミン作動性神経伝達にとって重要な遺伝子を調節することが示された（サケッティ（Sacchetti）他（2001）J. Neurochem. 76：1565-1572；サクラダ（Sakurada）他（1999）Development 126：4017-4026；シンメル（Schimmel）他（1999）Brain Res. Mol. Brain Res. 74：1-14；ゼッターストローム（Zetterstroem）（1997）Science 276：248-250）。
【００１１】
最近、チロシンヒドロキシラーゼ（ＴＨ）とドーパミン作動性トランスポーター含む、ドーパミン作動性神経伝達にとって重要なたん白質が、イン・ヴィトロに培養された細胞内でＮｕｒｒ１によって調節されることが示された（サケッティ（Sacchetti）他（2001）J. Neurochem. 76：1565-1572；サクラダ（Sakurada）（1999）Development 126：4017-4026；シンメル（Schimmel）他（1999）Brain Res. Mol. Brain Res. 74：1 -14）。チロシンヒドロキシラーゼは、たとえば、Ｎｕｒｒ１−／−変異ＶＭＢ中では発現されない。しかし、ドーパミン作動性マーカーの損失、不完全なドーパミン分泌細胞の遊走、標的領域神経支配及び初期産後死によって特徴付けられる重篤な発達表現型は、更に別の脱調節されたエフェクター遺伝子を同定することの重要性を強調している（カスティッロ（Castillo）他（1998）Mol. Cell. Neurosci 11：36-46；リ（Le）他（1999）Exp. Neurol. 159：451-458；ソースドゥ−カーデナス（Saucedo-Cardenas）他（1998）Proc. Natl. Acad. Sci. USA 95：4013-4018；ウォーレン（Wallen）他（1999）Exp. Cell Res. 253：737-746；ゼッターストローム（Zetterstroem）（1997）Science 276：248-250）。
【００１２】
Ｒｅｔは、たん白質チロシンキナーゼであり、グリア細胞由来神経栄養因子（ＧＤＮＦ）および関連の神経栄養因子に対するレセプターの重要な信号伝達サブユニットである（バロー（B aloh）他（2000）Curr. Opinion Neurobiol. 10：103-110）。  マウスにおいてＲｅｔ遺伝子が欠失すると、たとえば、腎臓と末梢神経系とに於ける発達不全によって初期の産後死が起こる（ダーベック（Durbec）他（1996）Nature 381：789-793；シュヒャルト（Schuchardt）（1994）Nature 367: 380-383）。Ｒｅｔは、又、ドーパミン分泌細胞中でも発現され、細胞生存経路と関連付けられている，ＧＤＮＦ，Ｒｅｔリガンド、及び関連因子、イン・ヴィトロとイン・ヴィヴォとで神経細胞生存を促進する（ベック（Beck）他（995）Nature 373：339-341；ホッファー（Hoffer）他（1994）Neurosci. Lett. 182：107-111；リン（Lin）（1993）Science 260：1130-1132；ザウアー（Sauer）他（1995）Proc. Natl. Acad. Sci. USA 92：8935-8939：ストロームバーグ（Stroemberg）他（1993）Exp. Neurol. 124：401-412；トマック（Tomac）他（1995）Nature 373：335-339；トゥルップ（Trupp）他（1996）Nature 381：785-789）。ドーパミン分泌細胞は、Ｒｅｔ欠損マウス中で生成されるが、Ｒｅｔによるシグナル伝達が、成熟したドーパミン分泌細胞の正しい成熟と機能にとって必須であると考えられる（マルコス（Marcos）他（1996）Int. J. Dev. Biol. Suppl. 1：137S-138S；ゴールデン（Golden）他（1999）Exp. Neurol. 158：504-528；グランホルム（Granholm）他（2000）J. Neurosci 20：3182-3190；メッサー（Messer）他（2000）Neuron 26 （1）：247-257；リン（Lin）他（1993）Science 260：1130-1132；ストロームバーグ（Stroemberg）他（1993）Exp. Neurol. 124：401-412）。
【００１３】
複数の研究によって、Ｒｅｔは、ドーパミン分泌細胞の産後生存と神経支配との両方に影響を与えるものであることが示された（バチェラー（Batchelor）他(2000）Eur. J. Neurosc. i 12：3462-3468；トマック（Tomac）他（1995）Nature 373：335-339；グランホルム（Granholm）他（2000）J. Neurosci. 20：3182-3190）。Ｒｅｔを介したシグナル伝達が、ＶＭＢドーパミン作動性細胞を含む多くの細胞タイプにおいて強力な生存経路を促進することは、十分に確立されている（ベック（Beck）他（1995）Nature 373：339-341；ホッファー（Hoffer）他（1994）Neu rosci. Lett. 182：107-111；リン（Lin）他（1993）Science 260：1130-1132；オッペンハイム（Oppenheim）他（1995）Nature 373：344-346；Sauer et al.（995）Proc. Natl. Acad. Sci. USA 92：8935-8939；トマック（Tomac）他（1995）Nature 373：335-339：ウィリアムズ（Williams）他（1996）J. Pharmacol. Exp. Ther. 277：1140-1151；ヤン（Yan）他（1995）Nature 373: 341-344）。げっ歯類と類人猿との両方に於けるパーキンソン病のモデルにおいて、ＧＤＮＦ等のＲｅｔリガンドは、ドーパミン分泌細胞生存に効率的に影響を与え、将来、パーキンソン病の治療において重要となる可能性が高い（ビヨルクルンド（Bjorklund）他（2000）Brain Res. 886：82-98；コーダウワー（Kordower）他（2000）Science 290：767-773；オルソン（Olson）（2000）Science 290: 723-724）。
【発明の開示】
【発明が解決しようとする課題】
【００１４】
そこで、本発明は、ドーパミン分泌細胞の生存を増加させる方法を提供することを目的とする。
【課題を解決するための手段】
【００１５】
ＲＸＲリガンドが、Ｎｕｒｒ１のＲＸＲ−リガンド依存活性化を通じて媒介される細胞生存経路を活性化することによってドーパミン分泌細胞の生存を増加させることができるという驚くべき発見がここに開示される。この発見は、ドーパミン分泌細胞にＲＸＲリガンドを投与する工程を有するドーパミン分泌細胞の生存を増加させる治療法の基礎を提供する。同じ原理に基づき、この発見は、ＲＸＲリガンドの結合後にＲＸＲによって転写活性化され、ドーパミン分泌細胞生存におけるＲＸＲ依存増加を媒介する遺伝子を同定する方法の基礎を提供する。本発明の発明者等は、又、Ｎｕｒｒ１が、ドーパミン分泌細胞と迷走神経の背側運動核との両方において、レセプターチロシンキナーゼＲｅｔの発現を調節するという驚くべき発見もした。Ｒｅｔ遺伝子発現のこのＮｕｒｒ１−依存調節は、ドーパミン分泌細胞生存を媒介するシグナル伝達経路に於けるＮｕｒｒ１とＲＸＲを結びつける。
【００１６】
以下、発明の要旨を説明する。
【００１７】
本発明は、ドーパミン分泌細胞の生存を増大させる方法であって、レチノイドＸレセプター（ＲＸＲ）リガンドをドーパミン分泌細胞に対して投与する工程を有し、前記ＲＸＲリガンドの結合が前記ドーパミン分泌細胞の生存を増加させる方法を提供する。一実施例において、本発明の方法のドーパミン分泌細胞は、脳幹神経節から単離される。好ましくは、前記ドーパミン分泌細胞は、線条体、淡蒼球、無名質，腹側淡蒼球（ventral pallidum）、マイネルト基底核，腹側被蓋野，及び視床下核から単離される。より好ましくは、前記ドーパミン分泌細胞は、黒質から単離される。
【００１８】
本発明は、更に、ドーパミン分泌細胞の生存を増加させる方法であって、ドーパミン分泌細胞に対して、レチノイドＸレセプター（ＲＸＲ）リガンドと、ＲＡＲアンタゴニストとを投与する工程を有し、前記ＲＸＲリガンドの結合が前記ドーパミン分泌細胞の生存を増加させる、方法も提供する。一実施例において、本発明の方法の前記ドーパミン分泌細胞は、脳幹神経節から単離される。好ましくは、前記ドーパミン分泌細胞は、線条体、淡蒼球、無名質，腹側淡蒼球（ventral pallidum）、マイネルト基底核，腹側被蓋野，及び視床下核から単離される。より好ましくは、前記ドーパミン分泌細胞は、黒質から単離される。一実施例において、前記ＲＡＲアンタゴニストは、ＲＯ４１−５２５３（ＲＯ）である。ここでの使用において、ＲＯ４１−５２５３とＲＯ４１５２５３とは互換可能に使用される。
【００１９】
本発明は、更に、ドーパミン分泌細胞の生存を増加させる方法であって、ドーパミン分泌細胞に対して、ＲＸＲリガンドを投与する工程を有し、前記ＲＸＲリガンドの結合が前記ドーパミン分泌細胞の生存を増加させる、方法も提供する。好ましくは、前記ＲＸＲリガンドはアゴニストである。より好ましくは、前記ＲＸＲリガンドは、前記ドーパミン分泌細胞の生存の増加を媒介するＲＸＲ及びＲＸＲ依存応答経路を活性化する。一実施例において、前記ＲＸＲリガンドは、１）腹側胎児中脳細胞から単離され、２）培養培地中で胎児腹側中脳外植片をインキュベーションすることによって作り出される馴化培地中に含まれ、３）前記ＲＸＲリガンドが投与される神経細胞に対して内因性の自然発生ＲＸＲリガンドであり、４）前記ＲＸＲリガンドが投与される神経細胞に対して内因性でない自然発生ＲＸＲリガンド、又は、５）非自然発生ＲＸＲリガンド又はＲＸＲリガンドアナログ、である。好ましくは、前記自然発生ＲＸＲリガンドは９−シスレチノイン酸又はドコサヘキサエン酸である。
【００２０】
本発明は、更に、ドーパミン分泌細胞の生存を増加させる方法であって、ドーパミン分泌細胞に対して、ＲＸＲリガンドとＲＡＲアンタゴニストとを投与する工程を有し、前記ＲＸＲリガンドの結合が前記ドーパミン分泌細胞の生存を増加させる、方法も提供する。一実施例において、前記ＲＡＲアンタゴニストはＲＯ４１−５２５３（ＲＯ）である。本発明によって考慮されるその他のＲＡＲアンタゴニストとしては、ＲＯ−６１−８４３１（リンコン（Rincon）他（2002）J. Exp. Zool. 292 （22）：435-443；ここにその全体を参考文献として合体させる）、ＬＥ１３５，ＬＥ５４０及びＬＥ５５０を含むＲＡＲ−β−選択的アンタゴニスト（リ（Li）他（1999）J. Biol. Chem. 274 （22）；15360-15366、ここにその全体を参考文献として合体させる）、ＡＮＧ１９４３１０（ハモンド（Hammond）他（2001）Br. J. Cancer 271 （21）；12209-12212；ここにその全体を参考文献として合体させる）、ＡＧＮ１９３１０９（アガーワル（Agarwal）他（1996）J. Biol. Chem. 271 （21）；12209-12212；ここにその全体を参考文献として合体させる）、及びＢＭＳ−１８９４５３（シュルツェ（Schulze）他（2001）Toxicol. Sci. 59 （2）：297-308；ここにその全体を参考文献として合体させる）、を含むＲＡＲ−ｐａｎアンタゴニスト、ＡＧＮ１９４４３１（ハモンド（Hammond）他（2001）Br. J. Cancer 271 （21）：12209-12212；ここにその全体を参考文献として合体させる）を含むＲＡＲ−β及びＲＡＲ−γ選択的アンタゴニスト、そしてＡＧＮ１９４３０１（ハモンド（Hammond）他（2001）Br. J. Cancer 271 （21）12209-12212；ここにその全体を参考文献として合体させる）を含むＲＡＲ−α選択的アンタゴニスト、を含む。好ましくは、前記ＲＸＲリガンドはアゴニストである。より好ましくは、前記ＲＸＲリガンドは、前記ドーパミン分泌細胞の生存の増加を媒介するＲＸＲ及びＲＸＲ依存応答経路を活性化させる。一実施例において、前記ＲＸＲリガンドは、１）腹側胎児中脳細胞から単離され、２）培養培地中で胎児腹側中脳外植片をインキュベーションすることによって作り出される馴化培地中に含まれ、３）前記ＲＸＲリガンドが投与される神経細胞に対して内因性の自然発生ＲＸＲリガンドであり、４）前記ＲＸＲリガンドが投与される神経細胞に対して内因性でない自然発生ＲＸＲリガンド、又は、５）非自然発生ＲＸＲリガンド又はＲＸＲリガンドアナログ、である。好ましくは、前記自然発生ＲＸＲリガンドは９−シスレチノイン酸又はドコサヘキサエン酸である。
【００２１】
別の実施例において、前記ＲＸＲリガンドは、非自然発生リガンド又はＲＸＲリガンドアナログである。好ましくは、前記非自然発生ＲＸＲリガンド又はＲＸＲリガンドアナログは、ＲＸＲ媒介応答経路を選択的に活性化する。より好ましくは、前記非自然発生ＲＸＲリガンド又はＲＸＲリガンドアナログは、ＲＸＲ及びＲＸＲ媒介応答経路を活性化するが、ＲＸＲ−ＲＡＲヘテロダイマー及びＲＡＲ依存応答経路は実質的に活性化しない。より好ましくは、前記非自然発生ＲＸＲリガンド又はＲＸＲリガンドアナログは、ＬＧ１０６９（ベーム（Boehm）他（1994）J. Med. Chem. 37：2930-2941；ムカージー（Mukherjee）他（1997）Nature 386：407-410；これらの両方をここに参考文献として合体させる）、ＬＧ１００２６８（ベーム（Boehm）他（1995）J. Med. Chem. 38：3146-3155；ムカージー（Mukherjee）他（1997）Nature 386：407-410；これらの両方をここに参考文献として合体させる）、ＳＲ１１２０３，ＳＲ１１２１７，ＳＲ１１２３４，ＳＲ１１２３５，ＳＲ１１２３６及びＳＲ１１２３７（レーマン（Lehmann）他（1992）Science 258：1944-1946；ここに参考文献として合体させる、図３も参照）、から成るグループから選択される。
【００２２】
本発明は、更に、ドーパミン分泌細胞の生存を、イン・ヴィトロとイン・ヴィヴォで増加させる方法も提供する。一実施例において、ＲＸＲリガンドが、それを必要とする対象体に対して、ドーパミン分泌細胞の生存を増加させるのに十分な量、投与される。一好適実施例において、前記対象体は、ドーパミン分泌細胞の損失によって特徴付けられる神経変性疾患を有する。より好適な実施例において、前記神経性疾患は、ドーパミン分泌細胞の損失によって特徴付けられる。  最も好適な実施例において、前記神経変性疾患は、パーキンソン病である。好ましくは、前記ＲＸＲリガンドは、１）腹側胎児中脳細胞から単離され、２）培養培地中で胎児腹側中脳外植片をインキュベーションすることによって作り出される馴化培地中に含まれ、３）前記ＲＸＲリガンドが投与される神経細胞に対して内因性の自然発生ＲＸＲリガンドであり、４）前記ＲＸＲリガンドが投与される神経細胞に対して内因性でない自然発生ＲＸＲリガンド、又は、５）非自然発生ＲＸＲリガンド又はＲＸＲリガンドアナログ、である。好ましくは、前記自然発生ＲＸＲリガンドは９−シスレチノイン酸又はドコサヘキサエン酸である。
【００２３】
好ましくは、前記非自然発生ＲＸＲリガンド又はＲＸＲリガンドアナログは、ＲＸＲ媒介応答経路を選択的に活性化する。より好ましくは、前記非自然発生ＲＸＲリガンド又はＲＸＲリガンドアナログは、ＲＸＲ及びＲＸＲ媒介応答経路を活性化するが、ＲＸＲ−ＲＡＲヘテロダイマー及びＲＡＲ依存応答経路は実質的に活性化しない。最も好ましくは、前記非自然発生ＲＸＲリガンド又はＲＸＲリガンドアナログは、ＬＧ１０６９（ベーム（Boehm）他（1994）J. Med. Chem. 37：2930-2941；ムカージー（Mukherjee）他（1997）Nature 386：407-410；これらの両方をここに参考文献として合体させる）、ＬＧ１００２６８（ベーム（Boehm）他（1995）J. Med. Chem. 38：31 46-3155；ムカージー（Mukherjee）他（1997）Nature 386：407-410；これらの両方をここに参考文献として合体させる）、ＳＲ１１２０３，ＳＲ１１２１７，ＳＲ１１２３４，ＳＲ１１２３５，ＳＲ１１２３６及びＳＲ１１２３７（レーマン（Lehmann）他（1992）Science 258：1944-1946；ここに参考文献として合体させる、図３も参照）、から成るグループから選択される。
【００２４】
本発明は、ドーパミン分泌細胞の生存を、処理された細胞の生存を増加させるＲＸＲおよびＲＸＲ依存経路を活性化することによってイン・ヴィトロで増加させる方法を提供する。一実施例において、イン・ヴィトロで処理された前記ドーパミン分泌細胞は、それを必要とする対象体に対して、公知の方法を使用して、移植される。好ましくは、前記対象体は神経変性疾患を有する。より好ましくは、前記対象体はパーキンソン病を有する。
【００２５】
本発明は、更に、神経変性疾患を有する対象体を治療する方法であって、ドーパミン分泌細胞をＲＸＲリガンドによってイン・ヴィトロに処理し、その後、それを必要とする対象体に移植する、工程を有する方法も提供する。好ましくは、前記ドーパミン分泌細胞は、網膜、嗅球、海馬、背側運動核、孤束核，中脳水道周囲灰白質、腹側被蓋、又は黒質である。
【００２６】
本発明の方法に使用される前記移植ドーパミン分泌細胞は、好ましくは、自然発生ＲＸＲリガンドによって処理される。好ましくは、前記自然発生ＲＸＲリガンドは９−シスレチノイン酸又はドコサヘキサエン酸である。本発明のその他の実施例は、１）腹側胎児中脳細胞から単離され、２）培養培地中で胎児腹側中脳外植片をインキュベーションすることによって作り出される馴化培地中に含まれ、３）前記ＲＸＲリガンドが投与される神経細胞に対して内因性の自然発生ＲＸＲリガンドであり、４）前記ＲＸＲリガンドが投与される神経細胞に対して内因性でない自然発生ＲＸＲリガンド、又は、５）非自然発生ＲＸＲリガンド又はＲＸＲリガンドアナログ、であるＲＸＲリガンドの投与を含む。
【００２７】
一実施例において、前記非自然発生ＲＸＲリガンド又はＲＸＲリガンドアナログは、ＲＸＲ及びＲＸＲ媒介応答経路を活性化するが、ＲＸＲ−ＲＡＲヘテロダイマー及びＲＡＲ依存応答経路は実質的に活性化しない。好ましくは、前記非自然発生ＲＸＲリガンド又はＲＸＲリガンドアナログは、ＬＧ１０６９（ベーム（Boehm）他（1994）J. Med. Chem. 37：2930-2941；ムカージー（Mukherjee）他（1997）Nature 386：407-410；これらの両方をここに参考文献として合体させる）、ＬＧ１００２６８（ベーム（Boehm）他（1995）J. Med. Chem. 38：3146-3155；ムカージー（Mukherjee）他（1997）Nature 386：407-410；これらの両方をここに参考文献として合体させる）、ＳＲ１１２０３，ＳＲ１１２１７，ＳＲ１１２３４，ＳＲ１１２３５，ＳＲ１１２３６及びＳＲ１１２３７（レーマン（Lehmann）他（1992）Science 258：1944-1946；ここに参考文献として合体させる、図３も参照）、から成るグループから選択される。
【００２８】
本発明は、更に、ＲＸＲの転写制御下にある遺伝子を同定する方法も提供し、ここで、この方法は、１）神経細胞を、ドーパミン分泌細胞の生存の増加を媒介するＲＸＲ及びＲＸＲ依存応答経路を活性化するＲＸＲリガンドと接触させる工程と、２）処理された細胞における、未処理の細胞中に存在する転写物と比較して、発現の異なる転写物を同定する工程とを有し、前記処理細胞における発現の異なる転写物はＲＸＲの転写制御下にある遺伝子によってコードされる。一実施例において、前記方法は、更に、前記細胞から転写物を単離する工程を有する。更に別の実施例において、前記方法は、更に、前記処理細胞から転写物を単離する工程と、これらの転写物を、前記リガンドによってまだ処理されていない神経細胞から単離された転写物と比較する工程を有する。前記転写の異なる遺伝子の同定は、ディファレンシャル  ディスプレイ法（Differential Display Method）、アレイ解析等の周知の方法、又は、遺伝子発現の連続解析法（ＳＡＧＥ）を使用して判定することができる。
【００２９】
本発明の前記ドーパミン分泌細胞は、好ましくは、網膜、嗅球、海馬、背側運動核、孤束核，中脳水道周囲灰白質、腹側被蓋、又は黒質から単離される。より好ましくは、前記ドーパミン分泌細胞は、ドーパミン分泌細胞である。前記ＲＸＲは、自然発生リガンドとすることができる。好ましくは、前記自然発生ＲＸＲリガンドは９−シスレチノイン酸又はドコサヘキサエン酸である。本発明のその他の実施例は、１）腹側胎児中脳細胞から単離され、２）培養培地中で胎児腹側中脳外植片をインキュベーションすることによって作り出される馴化培地中に含まれ、３）前記ＲＸＲリガンドが投与される神経細胞に対して内因性の自然発生ＲＸＲリガンドであり、４）前記ＲＸＲリガンドが投与される神経細胞に対して内因性でない自然発生ＲＸＲリガンド、又は、５）非自然発生ＲＸＲリガンド又はＲＸＲリガンドアナログ、であるＲＸＲリガンドの投与を含む。
【００３０】
好ましくは、前記非自然発生ＲＸＲリガンド又はＲＸＲリガンドアナログは、ＲＸＲ及びＲＸＲ媒介応答経路を活性化するが、ＲＸＲ−ＲＡＲヘテロダイマー及びＲＡＲ依存応答経路は実質的に活性化しない。より好ましくは、前記非自然発生ＲＸＲリガンド又はＲＸＲリガンドアナログは、ＬＧ１０６９（ベーム（Boehm）他（1994）J. Med. Chem. 37：2930-2941；ムカージー（Mukherjee）他（1997）Nature 386：407-410；これらの両方をここに参考文献として合体させる）、ＬＧ１００２６８（ベーム（Boehm）他（1995）J. Med. Chem. 38：3146-3155；ムカージー（Mukherjee）他（1997）Nature 386：407-410；これらの両方をここに参考文献として合体させる）、ＳＲ１１２０３，ＳＲ１１２１７，ＳＲ１１２３４，ＳＲ１１２３５，ＳＲ１１２３６及びＳＲ１１２３７（レーマン（Lehmann）他（1992）Science 258：1944-1946；ここに参考文献として合体させる、図３も参照）、から成るグループから選択される。
【００３１】
本発明は、更に、Ｎｕｒｒ１を刺激する物質を同定する方法を提供し、この方法は、１）細胞を物質と接触させる工程と、２）Ｒｅｔ遺伝子発現を測定する工程を有し、未処理細胞に対するＲｅｔ発現の増加は、前記物質がＮｕｒｒ１発現を刺激することを示す。好ましくは、前記細胞は神経細胞、より好ましくは、ドーパミン分泌細胞である。別の実施例において、前記細胞は、Ｎｕｒｒ１−／−であり、Ｎｕｒｒ１をコードするベクターでトランスフォーム又はトランスフェクトされる。好ましくは、前記細胞は、前記Ｎｕｒｒ１遺伝子を有するベクターと、Ｒｅｔ遺伝子を有するベクターでトランスフォーム又はトランスフェクトされる。トランスフェクション又はトランスフォーメーション前において、前記トランスフェクト又はトランスフォーム細胞は、Ｎｕｒｒ−／−又はＲｅｔ−／−、或いはＮｕｒｒ−／−およびＲｅｔ−／−とすることができる。ここでの使用において、「Ｎｕｒｒ−／−細胞」とは、Ｎｕｒｒ１遺伝子の機能的複製が欠如し、その結果としてＮｕｒｒ１たん白質を生成しない細胞をいう。ここでの使用において、「Ｒｅｔ−／−細胞」とは、Ｒｅｔ遺伝子の機能的複製が欠如し、その結果としてＮｕｒｒ１たん白質を生成しない細胞をいう。Ｒｅｔ遺伝子発現は、たとえば、ノーザンブロッティング、定量ＰＣＲ、ディファレンシャル  ディスプレイ法（differential display）、及びアレイ解析などの、通常の方法で測定することができる。
【００３２】
本発明は、Ｎｕｒｒ１を調節する物質を同定する方法であって、Ｎｕｒｒ１とＲｅｔとを発現する細胞を、アッセイ対象物質と接触させる工程と、Ｒｅｔ発現を測定する工程とを有し、前記物質と接触されないコントロール細胞との比較におけるＲｅｔ発現の違いがＮｕｒｒ１を調節する前記物質を示す、方法を提供する。本発明の方法において、Ｒｅｔ発現の増加は、前記物質がＮｕｒｒ１を刺激することを示し、Ｒｅｔ発現の減少は、前記物質がＮｕｒｒ１を阻害することを示す。好ましくは、前記細胞は、前記Ｎｕｒｒ１遺伝子を有するベクターと、Ｒｅｔ遺伝子を有するベクターでトランスフォーム又はトランスフェクトされる。トランスフェクション又はトランスフォーメーション前において、前記トランスフェクト又はトランスフォーム細胞は、Ｎｕｒｒ−／−又はＲｅｔ−／−、或いはＮｕｒｒ−／−およびＲｅｔ−／−とすることができる。
【００３３】
本発明は、更に、ドーパミン分泌細胞におけるＲｅｔ発現を増加させる方法であって、それを必要とする対象体に物質を投与し、前記物質がＲｅｔ発現を増加させる、方法を提供する。前記ドーパミン分泌細胞は、例えば、線条体、淡蒼球、無名質，腹側淡蒼球（ventral pallidum）、マイネルト基底核，腹側被蓋野，及び視床下核及び黒質由来のドーパミンを分泌する細胞を含む、脳幹神経節から得ることができる。
【００３４】
好ましくは、前記物質は、Ｎｕｒｒ１リガンド又はＲＸＲリガンドであって、より好ましくは、ＲＸＲを選択的に活性化するＲＸＲリガンドである。この方法に有用なＲＸＲリガンドは、自然発生リガンドと非自然発生リガンドとの両方を含む。好適な自然発生ＲＸＲリガンドは、腹側胎児中脳細胞から単離される。最も好ましくは、前記自然発生ＲＸＲリガンドは、９−シスレチノイン酸又はドコサヘキサエン酸である。好適な非自然発生ＲＸＲリガンドは、ＬＧ１０６９、ＬＧ１００２６８、ＳＲ１１２０３，ＳＲ１１２１７，ＳＲ１１２３４，ＳＲ１１２３５，ＳＲ１１２３６及びＳＲ１１２３７から成るグループから選択される。本発明は、更に、神経変性疾患を有する対象体のドーパミン分泌細胞におけるＲｅｔの発現を増加させる方法も提供する。好ましくは、前記神経変性疾患は、ドーパミン分泌細胞の損失によって特徴付けられる。最も好ましくは、神経変性疾患は、パーキンソン病である。
【００３５】
本発明は、更に、ドーパミン分泌細胞におけるＲｅｔ発現を増加させる方法であって、それを必要とする対象体に物質を投与し、前記物質がＮｕｒｒ１を活性化し、これによってドーパミン分泌細胞中のＲｅｔ発現を増加させる、方法を提供する。前記ドーパミン分泌細胞は、脳幹神経節から得ることができ、たとえば、線条体、淡蒼球、無名質，腹側淡蒼球（ventral pallidum）、マイネルト基底核，腹側被蓋野，及び視床下核及び黒質からのドーパミン分泌細胞を含む。
【００３６】
好ましくは、前記物質は、Ｎｕｒｒ１リガンド又はＲＸＲリガンドであって、より好ましくは、ＲＸＲリガンドを選択的に活性化するＲＸＲリガンドである。この方法に有用なＲＸＲリガンドは、自然発生リガンドと非自然発生リガンドとの両方を含む。好適な自然発生ＲＸＲリガンドは、腹側胎児中脳細胞から単離される。最も好ましくは、前記自然発生ＲＸＲリガンドは、９−シスレチノイン酸又はドコサヘキサエン酸である。好適な非自然発生ＲＸＲリガンドは、ＬＧ１０６９、ＬＧ１００２６８、ＳＲ１１２０３，ＳＲ１１２１７，ＳＲ１１２３４，ＳＲ１１２３５，ＳＲ１１２３６及びＳＲ１１２３７から成るグループから選択される。本発明は、更に、神経変性疾患を有する対象体のドーパミン分泌細胞におけるＲｅｔの発現を増加させる方法も提供する。好ましくは、前記神経変性疾患は、ドーパミン分泌細胞の損失によって特徴付けられる。最も好ましくは、神経変性疾患は、パーキンソン病である。
【００３７】
本発明は、ドーパミン分泌細胞の損失に関連する状態の治療のための薬剤の製造に於けるＲＸＲリガンドの使用法を提供する。好ましくは、前記ＲＸＲリガンドは、ＲＸＲを選択的に活性化する。一実施例において、前記ＲＸＲリガンドは自然発生リガンドである。これらの自然発生ＲＸＲリガンドは、好ましくは、腹側胎児中脳細胞から単離される。より好ましくは、前記自然発生ＲＸＲリガンドは、９−シスレチノイン酸又はドコサヘキサエン酸である。別実施例において、前記ＲＸＲリガンドは非自然発生リガンドである。好ましくは、前記非自然発生ＲＸＲリガンドは、ＬＧ１０６９、ＬＧ１００２６８、ＳＲ１１２０３，ＳＲ１１２１７，ＳＲ１１２３４，ＳＲ１１２３５，ＳＲ１１２３６及びＳＲ１１２３７から成るグループから選択される。
【００３８】
本発明は、ドーパミン分泌細胞の損失に関連する状態の治療のための薬剤の製造における、ＲＸＲリガンドおよびＲＡＲアンタゴニストの使用方法を提供する。好ましくは、ＲＸＲリガンドはＲＸＲを選択的に活性化する。一実施例において、ＲＸＲリガンドは自然発生リガンドである。これらの自然発生ＲＸＲリガンドは好ましくは、背側胎児中脳細胞から単離される。より好ましくは、前記自然発生リガンドは９−シス−レチノイン酸又はドコサヘキサエン酸である。別実施例においてＲＸＲリガンドは非自然発生リガンドである。好ましくは、非自然発生ＲＸＲリガンドはＬＧ１０６９、ＬＧ１００２６８、ＳＲ１１２０３，ＳＲ１１２１７，ＳＲ１１２３４，ＳＲ１１２３５，ＳＲ１１２３６及びＳＲ１１２３７から成るグループから選択される。
【００３９】
本発明は、ドーパミン分泌細胞の損失に関連する状態を患い、既にＲＡＲアンタゴニストによって治療されている、患者の治療のための薬剤の製造における、ＲＸＲリガンドの使用方法を提供する。好ましくは、前記ＲＸＲリガンドは、ＲＸＲを選択的に活性化する。一実施例において、前記ＲＸＲリガンドは自然発生リガンドである。これらの自然発生ＲＸＲリガンドは、好ましくは、腹側胎児中脳細胞から単離される。より好ましくは、前記自然発生ＲＸＲリガンドは、９−シスレチノイン酸又はドコサヘキサエン酸である。別実施例において、前記ＲＸＲリガンドは非自然発生ＲＸＲリガンドである。好ましくは、前記非自然発生ＲＸＲリガンドは、ＬＧ１０６９、ＬＧ１００２６８、ＳＲ１１２０３，ＳＲ１１２１７，ＳＲ１１２３４，ＳＲ１１２３５，ＳＲ１１２３６及びＳＲ１１２３７から成るグループから選択される。
【００４０】
本発明は、更に、ドーパミン分泌細胞の損失に関連する状態を患う患者の治療において、その後に投与されるＲＸＲリガンドの作用を高める薬剤の製造に於けるＲＡＲアンタゴニストの使用法を提供する。好ましくは、前記ＲＸＲリガンドは、ＲＸＲを選択的に活性化する。一実施例において、前記ＲＸＲリガンドは自然発生リガンドである。これらの自然発生ＲＸＲリガンドは、好ましくは、腹側胎児中脳細胞から単離される。より好ましくは、前記自然発生ＲＸＲリガンドは、９−シスレチノイン酸又はドコサヘキサエン酸である。別実施例において、前記ＲＸＲリガンドは非自然発生ＲＸＲリガンドである。好ましくは、前記非自然発生ＲＸＲリガンドは、ＬＧ１０６９、ＬＧ１００２６８、ＳＲ１１２０３，ＳＲ１１２１７，ＳＲ１１２３４，ＳＲ１１２３５，ＳＲ１１２３６及びＳＲ１１２３７から成るグループから選択される。
【００４１】
本発明は、ドーパミン分泌細胞の損失に関連する状態の治療の方法に使用されるＲＸＲリガンドを提供する。好ましくは、前記ＲＸＲリガンドは、ＲＸＲを選択的に活性化する。一実施例において、前記ＲＸＲリガンドは自然発生リガンドである。これらの自然発生ＲＸＲリガンドは、好ましくは、腹側胎児中脳細胞から単離される。より好ましくは、前記自然発生リガンドは、９−シスレチノイン酸又はドコサヘキサエン酸である。別実施例において、前記ＲＸＲリガンドは非自然発生リガンドである。好ましくは、前記非自然発生ＲＸＲリガンドは、ＬＧ１０６９、ＬＧ１００２６８、ＳＲ１１２０３，ＳＲ１１２１７，ＳＲ１１２３４，ＳＲ１１２３５，ＳＲ１１２３６及びＳＲ１１２３７から成るグループから選択される。
【００４２】
本発明は、ドーパミン分泌細胞の損失に関連する状態の治療の方法に使用されるＲＸＲリガンドとＲＡＲアゴニストを提供する。好ましくは、前記ＲＸＲリガンドは、ＲＸＲを選択的に活性化する。一実施例において、前記ＲＸＲリガンドは自然発生リガンドである。これらの自然発生ＲＸＲリガンドは、好ましくは、腹側胎児中脳細胞から単離される。より好ましくは、前記自然発生リガンドは、９−シスレチノイン酸又はドコサヘキサエン酸である。別実施例において、前記ＲＸＲリガンドは非自然発生リガンドである。好ましくは、前記非自然発生ＲＸＲリガンドは、ＬＧ１０６９、ＬＧ１００２６８、ＳＲ１１２０３，ＳＲ１１２１７，ＳＲ１１２３４，ＳＲ１１２３５，ＳＲ１１２３６及びＳＲ１１２３７から成るグループから選択される。好ましくは、前記ＲＡＲアンタゴニストは、ＲＯ４１−５２５３（ＲＯ），ＲＯ−６１−８４３１，ＬＥ１３５，ＬＥ５４０，ＬＥ５５０，ＡＧＮ１９４３１０，ＡＧＮ１９３１０９，ＢＭＳ−１８９４５３，ＡＧＮ１９４４３１およびＡＧＮ１９４３０１から成るグループから選択される。
【００４３】
これ以上の説明無しでも、当業者は、上記説明と下記の具体例とを使用することによって、本発明の化合物を利用し、特許請求の範囲に記載されている方法を実施することができると考えられる。従って、以下の具体例は、本発明の好適実施例を具体的に指摘するものであって、この開示の残り部分をいかなる方法でも限定するものとは解釈されるべきではない。
【発明を実施するための最良の形態】
【００４４】
以下に、図面の簡単な説明を行う。
図１は、トランスフェクションヒト絨毛膜癌腫細胞（ＪＥＧ３）に対する中脳移植片の効果を示している。（Ａ）Ｎｕｒｒ１，ＣＭＸ−ＲＸＲ及びレポーターＭＨ１００−ｔｋ−ｌｕｃによってトランスフェクトされたＪＥＧ３細胞における、三つの異なる胎児段階からの腹側及び背側−中脳移植片。（Ｂ）野生型Ｎｕｒｒ１又はＲＸＲとヘテロダイマー化が出来ないＮｕｒｒ１  ｄｉｍ−のいずれかとレポーターＭＨ１００−ｔｋ−ｌｕｃおよび／又はＣＭＸ−ＲＸＲとでコトランスフェクトされたＪＥＧ３細胞における、Ｅ１３．５中脳移植片。（Ｃ）ＲＡＲ又はＮｕｒｒ１及びＣＭＸ−ＲＸＲによってトランスフェクトされたＪＥＧ３細胞における、９−シスレチノイン酸の滴定曲線。ＭＨ１００−ｔｋ−ｌｕｃをレポーターとして使用。棒グラフは、ｇＲＡＲ又はＮｕｒｒ１とＣＭＸ−ＲＸＲによってトランスフェクトされたＪＥＧ３細胞における、Ｅ１３．５胎児中脳及び大脳皮質からの一晩馴化された培養液の影響を示している。ＭＨ１００−ｔｋ−ｌｕｃがレポーターとして使用されている。
【００４５】
図２は、ドーパミン分泌細胞に対する、非自然発生−ＲＸＲリガンド、ＳＲ１１２３７の作用を示している。（Ａ）一次中脳培養物は処理されなかった（Ｎ２）か、又は、非自然発生-ＲＸＲアゴニストＳＲ１１２３７，ＲＡＲアゴニストＴＴＮＰＢ，又はオールトランスレチノイン酸（ａｔＲＡ）によって処理された。（Ｂ）一次中脳培養物は、処理されなかった（Ｎ２）か、若しくは、０．１μＭのＳＲ１１２３７又は３０ｎｇのＧＤＮＦによって処理された。（Ｃ）一次中脳培養物は、処理されなかった（Ｎ２）か、若しくは、０．１μＭのＳＲ１１２３７によって処理され、ブロモデオキシウリジン（ＢｒｄＵ）によってパルス標識化された。
【００４６】
図３は、非自然発生ＲＸＲリガンド又はＲＸＲリガンドアナログＳＲ１１２０３，ＳＲ１１２１７，ＳＲ１１２３４，ＳＲ１１２３５，ＳＲ１１２３６およびＳＲ１１２３７，の構造を示している。ＳＲ１１２０３ここで、ＲとＲ’はＳＣＨ２ＣＨ２ＣＨ２Ｓ；Ｓ１１２１７ここで、Ｒ及びＲ’は（ＣＨ３）２Ｃ、ＳＲ１１２３４、ここで、Ｒ及びＲ’はＳＣＨ２ＣＨ２Ｓ、ＳＲ１１２３５、ここでＲ及びＲ’はＯＣＨ２ＣＨ２Ｓ、ＳＲ１１２３６、ここでＲ及びＲ’はＯＣＨ２ＣＨ２ＣＨ２Ｏ、そしてＳＲ１１２３７、Ｒ及びＲ’はＯＣＨ２ＣＨ２Ｏである。
【００４７】
図４は、非自然発生ＲＸＲリガンド又はＲＸＲリガンドアナログの一般構造を示している。（Ａ）ベーム（Boehm）他及びムカージー（Mukherjee）他（ベーム（Boehm）他（1994）J. Med. Chem. 37：2930-2941；ベーム（Boehm）他（1995）J. Med. Chem. 38：3146-3155；ムカージー（Mukherjee）他（1997）Nature 386：407-410；ここにこれら全部を参考文献として合体させる）によって記載された非自然発生−ＲＸＲリガンド又はＲＸＲリガンドアナログの一般構造。（Ｂ）ＬＧ１０６９（ベーム（Boehm）他（1994）J. Med. Chem. 37：2930-2941；ムカージー（Mukherjee）他（1997）Nature 386：407-410；これらの両方をここに参考文献として合体させる）と、ＬＧ１００２６８（ベーム（Boehm）他（1995）J. Med. Chem. 38：3146-3155；ムカージー（Mukherjee）他（1997）Nature 386：407-410；これらの両方をここに参考文献として合体させる）の構造。
【００４８】
図５は、Ｅ１２．５における、腹側中脳のＮｕｒｒ１たん白質免疫反応性を示す冠状切片を図示している。Ｎｕｒｒ１のカルボキシ末端領域に対して産生された抗体を使用して、脳室帯の外側の内側性ＶＭＢにおいて特異的核免疫反応性（赤色）を検出することができる（Ａ）。Ｒａｌｄｈ  Ｉ特異抗体は、同じ領域の脳室帯と脳室周囲領域との両方に於ける細胞質免疫反応性（緑色）を示している（Ｂ）。これら２つのマーカ（赤色のＮｕｒｒ１と緑色のＲａｌｄｈ  Ｉ）に対する二重標識化は、外套相の細胞における完全な共局在性を示している（Ｃ及びＤ）。Ｎｕｒｒ１（赤）とＴＨ（緑）との共染色は、細胞質ＴＨ免疫反応性を有する分化ドーパミン分泌細胞のＮｕｒｒ１−核内発現を示している（ＥとＦ）。尺度バー：Ａ（Ｂも同様）５０μｍ，Ｃ２０μｍ，Ｄ５μｍ，Ｅ５０μｍ、Ｆ１０μｍ．３Ｖ＝第３脳室、ＶＺ＝脳室帯、ＭＺ＝外套帯。
【００４９】
図６は、Ｅ１１．５における、腹側中脳に於けるＲｅｔ及びＧＦＲα１ｍＲＮＡのインサイチュハイブリダイゼーション分析を示している。Ｎｕｒｒ１＋／＋（左側パネル）とＮｕｒｒ１−／−（右側パネル）胎の隣接する冠状切片は、Ｎｕｒｒ１（Ａ及びＢ；破壊されたＮｕｒｒ１転写物も認識するプローブによる検出）、ＴＨ（ＣおよびＤ）、Ｒｅｔ（ＥおよびＦ）、そしてＧＦＲα１（ＧおよびＨ）の発現パターンを示している。前述したように、ＴＨは、Ｎｕｒｒ１変異中脳には検出されない（Ｄ）。Ｎｕｒｒ１＋／＋においては、Ｒｅｔは、内側性腹側中脳ドーパミン分泌細胞のみならず、側方に位置する運動ニューロンにおいても検出される（Ｅ）。Ｎｕｒｒ１−／−ＶＭＢは、内側性細胞中でのＲｅｔ発現を示さないのに対して、それは、前記側方に位置する運動ニューロンにおいては検出可能である（Ｆ）。これに対して、この段階では、ＧＦＲα１は、Ｎｕｒｒ＋／＋（Ｇ）とＮｕｒｒ１−／−（Ｈ）胎の両方における、ＶＭＢ細胞に現れる。尺度バー：２００μＭ．３Ｖ＝第３脳室、ＶＺ＝脳室帯、ＭＺ＝外套帯。
【００５０】
図７は、新生マウスの脳幹のインサイチュハイブリダイゼーション分析を図示している。Ｎｕｒｒ１＋／＋（左側パネル）とＮｕｒｒ１−／−（右側パネル）子の連続冠状切片は、Ｎｕｒｒ１ （Ａ及びＢ）、ＣｈＡＴ（Ｃ及びＤ）、Ｐｈｏｘ２ａ（Ｅ及びＦ）及びＲｅｔ（Ｇ及びＨ）のｍＲＮＡ発現を示している。新生子マウスにおいて、Ｎｕｒｒ１は、迷走神経のＤＭＮ中に容易に検出可能であるのに対して、腹側に位置する舌下核には標識化は検出されない（Ａ）。変異子マウスにおいて、破壊転写物を認識するプローブは、ＤＭＮを標識化し、これらの細胞の存在を示している（Ｂ）。又、マーカーＣｈＡＴ（Ｅ及びＦ）及びＰｈｏｘ２ａ（Ｅ及びＦ）による標識化は、Ｎｕｒｒ１＋／＋と比較してＮｕｒｒ１−／−において正常に思える。野生型ＤＭＮとは対照的に、Ｒｅｔは、この段階ではＮｕｒｒ１＋／＋には検出することができない（Ｇ及びＨ）。尺度バー：４００μｍ．４Ｖ＝第４脳室、ＤＭＮ＝背側運動核、ＨｙＮ＝舌下核。
【００５１】
図８は、発達中の脳幹の冠状断面におけるＮｕｒｒ１たん白質発現を図示している。Ｎｕｒｒ１たん白質（Ａ−Ｃ赤）、ＨＢ９（Ａ緑）、体細胞運動ニューロン用のマーカー、Ｉｓｌｅｔ  １（Ｂ−Ｄ緑）体細胞と内蔵との両方の運動ニューロン用マーカー、のＥ１０．５（Ａ及びＢ）、Ｅ１３．５（Ｃ）及びＥ．１２．５（Ｄ）の局在化。ロンボメア６−７レベルにおいて、ＨＢ９（緑）に対する抗体によって検出された体細胞運動ニューロンは、共局在化が検出されないことから、Ｎｕｒｒ１発現しない（Ａ）。Ｎｕｒｒ１免疫反応性細胞（矢印によってマーキング）は、主として、前記舌下核を形成するＨＢ９反応性体細胞運動ニューロンの背側に検出される。Ｎｕｒｒ１は、ＨＢ９（ＡとＢを比較）に対して陰性の細胞、即ち、内臓運動ニューロンにおいてＩｓｌｅｔ  １とは共局在化しない（Ｂ；矢印でマーキングされた黄色の細胞）。Ｅ１３．５において、前記内臓ＤＭＮは、第４脳室の側方に形成され、Ｎｕｒｒ１に対して陽性であるのに対して、Ｉｓｌｅｔ  １は、ほとんど完全にダウンレギュレーションされている（Ｃ）。Ｎｕｒｒ１変異脳幹において、ＤＭＮは、Ｅ１２．５でＩｓｌｅｔ  １免疫反応性によって示されているように存在している（Ｄ）。切片は、（Ｃ）の切片と僅かに異なる角度からのものである。尺度バー：Ａ６５μｍ（Ｂも同様）、Ｃ９０μｍ（Ｄも同様）。４Ｖ＝第４脳室、ＤＭＮ＝背側運動核、ＨｙＮ＝舌下核、ＩＳＬ１＝Ｉｓｌｅｔ１。
【００５２】
図９は、脳幹におけるＮｕｒｒ１及びＲｅｔ  ｍＲＮＡ発現を図示している。Ｎｕｒｒ１（Ａ，Ｃ，Ｅ，Ｇ）及びＲｅｔ（Ｂ，Ｄ，Ｆ，Ｈ）のインサイチュハイブリダイゼーションでのＥ１３．５（Ａ−Ｄ）及びＥ１６．５（Ｅ−Ｈ）脳幹の連続冠状切片。右側（Ａ−Ｈ）のＤＭＮと、識別を容易にするために破線の〇によって囲まれた４Ｖ（Ｃ，Ｄ，Ｇ，Ｈ）。Ｎｕｒｒ１  ｍＲＮＡは、Ｅ１３．５においてＤＭＮで検出され、そして、Ｒｅｔ  ｍＲＮＡの弱くそして特徴的な発現は、ＤＭＮと舌下核とに検出される（Ｂ）。Ｎｕｒｒ１変異体において、ＤＭＮの検出は、崩壊Ｎｕｒｒ１転写物を認識するプローブによって検出される（Ｃ）。Ｎｕｒｒ１変異ＤＭＮ中にはＲｅｔシグナルは検出されないが、舌下核には見ることができる（Ｄ）。同様に、Ｅ１６．５において、ＤＭＮは、野生型及び変異脳幹においてＮｕｒｒ１のインサイチュハイブリダイゼーションによって認識される（Ｅ及びＧ）のに対して、Ｒｅｔ  ｍＲＮＡは、野生型における、この核には検出することができるが（Ｆ）、変異体には検出することができない（Ｈ）。尺度バー：Ｂ８０μｍ（Ａ−Ｄに適用）、Ｆ１３０μｍ（Ｅ−Ｈに適用）。４Ｖ＝第４脳室、ＤＭＮ＝背側運動核、ＨｙＮ＝舌下核。
【００５３】
図１０は、Ｅ１５．５及びＥ．１２．５胎児の迷走神経の分析を図示している（Ａ−Ｄ）。マウスＥ．１５．５躯幹及び（Ｅ−Ｉ）全載ｘ−ｇａｌ染色Ｅ．１２．５  Ｎｋｘ６．２＋／−；Ｎｕｒｒ１＋／−及びＮｋｘ６．２＋／−；Ｎｕｒｒ１−／−胎児の胸椎−腰椎レベルでの水平切片。一般ニューロンマーカーｐｇｐ９．５の標識化によって、Ｎｕｒｒ１＋／＋胎児（Ａ）及びＮｕｒｒ１−／−（Ｂ）動物の迷走神経を可視化する。遠心性神経線維のみを分析するために、Ｎｋｘ６．２＋／−；Ｎｕｒｒ１＋／＋及びＮｋｘ６．２＋／−；Ｎｕｒｒ１−／−からの切片を、前記ｐｇｐ９．５陽性繊維のサブセットを表す区切りパターンを提供するβ−ｇａｌ免疫反応性について分析した。（Ｃ及びＤ）。Ｅ．１２．５ｘ−ｇａｌ染色胎児のハイブリダイゼーションの側面図（Ｅ及びＦ）は、頭蓋から躯幹へと延出する迷走神経を示している。前記組織内の頭蓋核からの１１繊維路に存在する迷走神経線維のクローズアップ（Ｇ及びＨ）。これらの繊維は、それら繊維の全長を表すために変異体において破線矢印によって補正されている野生型の全白の矢印によって可視化されているように、Ｎｋｘ６．２＋／−；Ｎｕｒｒ１＋／＋脳（Ｇ）におけるよりもＮｋｘ６．２＋／−；Ｎｕｒｒ１−／−脳（Ｈ）における方が長く見える。尺度バー：Ａ−Ｄ  １５μｍ、Ｅ及びＦ  １００μｍ、ＧおよびＨ  ３０μｍ。４Ｖ＝第４脳室、Ｘ＝第１０脳神経；迷走神経。
【００５４】
図１１は、迷走神経-標的領域の水平躯幹断面を図示している。左側のパネル（Ａ，Ｄ，Ｇ，Ｊ，Ｍ，Ｐ）は肺の気管支、中央のパネル（Ｇ，Ｅ，Ｈ，Ｋ，Ｎ，Ｑ）は食道、右側のパネル（Ｃ，Ｆ，Ｉ，Ｌ，Ｏ，Ｒ）は、小腸、そして下に食道の別の切片（Ｓ−Ｕ）。（Ａ−Ｆ）新生野生型（Ａ，Ｂ，Ｃ）、そして、Ｎｕｒｒ１変異マウス（Ｄ，Ｅ及びＦ）の異なる標的領域における免疫反応性、（Ｇ−Ｌ） Ｅ１８．５における、野生型（Ｇ，Ｈ，Ｉ）及びＮｕｒｒ１変異（Ｊ，Ｋ，Ｌ）胎児の同じ領域におけるエステラーゼ活性のＡＣｈＥアッセイ可視化、（Ｍ−Ｒ）新生野生型（Ｍ，Ｎ，Ｏ）及びＮｕｒｒ１−／−（Ｐ，Ｑ，Ｒ）子の同じ領域におけるＶＡＣｈＴ免疫反応性は、すべての領域の筋肉と、更に、食道と小腸との粘膜下組織の正常な神経細胞の神経支配を示している。食道の腸筋層間及び粘膜下組織の神経支配に加えて、染色は野生型子の粘膜上皮においても検出された（Ｓ及びＴに於ける上皮組織のクローズアップ）が、これは、変異上皮組織においてと同じ程度には検出されなかった（Ｕ）。尺度バー：Ａ（Ｂ，Ｄ，Ｅにも適用）、Ｃ（Ｆも同様）、Ｍ（Ｐも同様）、Ｎ（Ｑも同様）、Ｏ（Ｒも同様）、Ｓ（Ｔ及びＵも同様）２０μｍ，Ｇ（Ｈ，Ｊ，Ｋも同様）及びＩ（Ｌも同様）４０μｍ．ｍｕｓ＝筋肉、ｓｕｂ＝粘膜下組織、ｅｐｉ＝上皮組織、Ｘ＝迷走神経。
【００５５】
図１２は、前記非自然発生ＲＸＲリガンド、ＬＧ１００２６８の作用を示する。ここでの使用において、「ＬＧ１００２６８」と「ＬＧ２６８」は、互換可能に使用される。一次腹側中脳細胞を、増加する濃度の二種類のＲＸＲレセプターゴニスト（Ａ）ＳＲ１１２３７及び（Ｂ）ＬＧ２６８とで処理した。これらのリガンドは、ＴＨ−免疫反応性（ＩＲ）細胞の数の投与量依存増加をもたらした。（Ｃ）これらのリガンドの効率を、ドーパミンニューロンの既知の栄養因子であるグリア細胞由来神経栄養因子（ＧＤＮＦ）の効率と比較した。ＬＧ２６８は、ＳＲ１１２３７又はＧＤＮＦのいずれよりも強力である。
【００５６】
図１３は、ＲＡＲリガンドは、ＲＸＲ特異的リガンドの神経栄養作用を阻害することを示している。（Ａ）９−シスレチノイン酸（９ｃｉｓＲＡ）は、ＲＡＲとＲＸＲとの両方に対するリガンドであり、ＲＡＲをＲＸＲよりも効率的に活性化する。一次中脳培養物に対する増加する濃度の９ｃｉｓＲＡの作用を、ＲＡＲ特異的アンタゴニストＲＯ４１−５２５３（ＲＯ）（アプフェル（Apfel）他（1992）Proc. Natl Acad. Sci. USA 89 （15）：7129-7133；ここにその全体を参考文献として合体させる）有りと、無しで分析した。Ｌ２６８がコントロールとして使用された。９ｃｉｓＲＡ単独は、ＴＨ−ＩＲ細胞の数に対して、ポジティブにもネガティブにも影響を与えない。ＴＨ−ＩＲニューロンの数は、ＲＯと組み合わされたとき、９ｃｉｓＲＡの濃度増加とともに増加する。ＲＡＲシグナル伝達を阻害することによって、９ｃｉｓＲＡは、ＲＸＲの９ｃｉｓＲＡ活性化を通じてドーパミン細胞生存を促進することが可能になる。この結果は、ＲＡＲ活性化が、ＲＸＲリガンドの神経栄養作用を阻害することを示唆している。（Ｂ）ＴＴＮＰＢは、ＲＡＲ特異的アゴニストであり、ＴＨ−ＩＲ細胞の数を増加させない。ＬＧ２６８の存在下で、ＴＴＮＰＢは、このリガンドの神経栄養作用を阻害する。これらのデータは、ＲＡＲ活性化が、ＲＸＲ特異的リガンドの栄養活性を妨げることを示している。
【００５７】
図１４は、ドコサヘキサエン酸（ＤＮＡ）がＲＸＲリガンドであり、ＲＸＲを活性化することによってドーパミン作動性細胞生存を促進することを示している。（Ａ）ＤＨＡの濃度を増加することによってＴＨ−ＩＲ細胞の数が投与量依存的に増加した。（Ｂ）ＬＧ１２０８−選択的ＲＸＲアンタゴニスト−は、ＤＨＡの神経栄養活性を阻害する。（Ｃ） ＬＧ２６８とＤＨＡとの両方が、培養物中のドーパミンニューロンの数を効率的に増加させた（ＴＨ−染色によって定量化）が、全ニューロン細胞の集団の一般的増加はもたらさない。ＮｅｕＮ抗体は、一般的なニューロンマーカーを発現する細胞を検出する。ＮｅｕＮ陽性細胞の定量化は、一次腹側中脳培養物におけるＲＸＲリガンドの作用が、ドーパミン作動性細胞に対して特異的であることを示している。
【００５８】
図１５は、ＬＧ２６８はＮｕｒｒ１−陽性細胞の数を増加させるが、Ｎｕｒｒ１を発現しない細胞の数は増加させないことを示している。ＲＸＲは、Ｎｕｒｒ１を含む多くの核内レセプターとヘテロダイマーを形成することができる。ここに詳述する実験は、ＲＸＲ／Ｎｕｒｒ１複合体が細胞生存を促進することを示している。Ｎｕｒｒ１特異的抗血清を使用して検出されたいくつかのＮｕｒｒ１発現組織をＬＧ２６８で処理した。選択された組織は、大脳皮質（Ａ及びＢ）と海馬（ＣとＤ）を含む。Ｎｕｒｒ１陽性細胞（Ａ）の数は、ＬＧ２６８の添加後、３９％増加したのに対して、非発現細胞（Ｂ）の数は増加しなかった。海馬培養物において、ＬＧ２６８（Ｃ）は、Ｎｕｒｒ１陽性細胞の数を３６％増加させたのに対して、非発現細胞（Ｄ）の数は増加しなかった。これらの結果は、Ｎｕｒｒ１−ＲＸＲヘテロダイマーが、ドーパミン分泌細胞生存の促進に関係していることを強く示唆している。更に、これらの結果は、Ｎｕｒｒ１を発現する大脳皮質と海馬からのドーパミン分泌細胞は、ＲＸＲリガンドの神経栄養作用に対して許容的であることを示している。
【００５９】
図１６は、Ｎｕｒｒ１が、ＲＸＲリガンドＬＧ２６８の神経栄養作用を媒介するのに必要であるＲＸＲのダイマー化パートナーであることを示している。大脳皮質からのＮｕｒｒ１−陽性細胞（Ａ）（Ｎｕｒｒ１＋／＋）とＮｕｒｒ１−陰性細胞（Ｂ）（Ｎｕｒｒ１−／−）がＬＧ２６８によって処理された。
【００６０】
以下、本発明の詳細な説明の開示を行う。
【００６１】
１．イン・ヴィヴォでの、ドーパミン分泌細胞のＲＸＲリガンド−処理
本発明は、ＲＸＲへのリガンドの結合がドーパミン分泌細胞の生存を増加させるという驚くべき知見に基づく。本発明は、ドーパミン分泌細胞の生存を増加させる方法であって、イン・ヴィトロで、ドーパミン分泌細胞に対してＲＸＲリガンドを投与する工程を有し、ＲＸＲに対する前記リガンドの結合によってドーパミン分泌細胞の生存を増加させる方法を提供する。
【００６２】
ここでの使用において、「ＲＸＲ」とは、任意のレチノイドＸレセプターを指す。哺乳動物ＲＸＲ形態、特にヒト、が好適ではあるが、その他の形態（即ち、類人猿、又はマウス属、たとえば、マウス、ラット、ハムスター、その他のげっ歯類形態）も使用可能である。関連性の高いＲＸＲとしては、ＲＸＲα、ＲＸＲβおよびＲＸＲγ（それぞれ、ＮＲ２Ｂ１，ＮＲ２Ｂ２およびＮＲ２Ｂ３）が含まれる。ここでの使用において、「ＲＸＲ」とは、ＲＸＲのすべてのホモダイマーおよびすべてのヘテロダイマー形態を指す。「ＲＸＲ」は、全長ＲＸＲ又はリガンド結合ドメインを含む切頭形態のＲＸＲ分子であってよい。
【００６３】
ここでの使用において、「ＲＡＲアンタゴニスト」とは、ＲＡＲに結合し、ＲＡＲの活性化、任意のＲＡＲ−媒介シグナル伝達経路の活性化、又は、ＲＡＲリガンド又はＲＡＲアゴニストによって媒介される任意の生物反応を阻害する任意の分子を指す。ＲＡＲアンタゴニストは周知である（たとえば、シャンボン（Ch ambon）他（2000）米国特許6,130,230、8-12欄；ボラッグ（Bollag）他（2000）米国特許6,133,309；バセット（Basset）他（2001）米国特許6,184,256、これらそれぞれをここに参考文献として合体させる、を参照）。ＲＡＲアンタゴニストは、ＲＯ４１−５２５３（ＲＯ），ＲＯ−６１−８４３１（リンコン（Rincon）他（2002）J. Exp. Zool 292 （22）：435-443、ここにその全体参考文献として合体させる）、ＬＥ１３５，ＬＥ５４０およびＬＥ５５０（リ（Li）他（1999）J. Biol. Chem. 274 （22）：15360-15366、ここにその全体を参考文献として合体させる）を含むＲＡＲ−β選択的アンタゴニスト、ＡＧＮ１９４３１０（ハモンド（Hammond）他（2001）Br. J. Cancer 271 （21）：12209-12212；ここにその全体を参考文献として合体させる）、ＡＧＮ１９３１０９（アガーワル（Agarwal）他（1996）J. Biol. Chem. 271 （21）：12209-12212、ここにその全体を参考文献として合体させる）、およびＢＭＳ−１８９４５３（シュルツェ（Schulze）他（2001）Toxicol. Sci. 59 （2）：297-308、ここにその全体を参考文献として合体させる）を含むＲＡＲ−ｐａｎアンタゴニスト、ＡＧＮ１９４４３１（ハモンド（Hammond）他（2001）Br. J. Cancer 271 （21）：12209-12212、ここにその全体を参考文献として合体させる）を含むＲＡＲ−βおよびＲＡＲ−γ選択的アンタゴニスト、そして、ＡＧＮ１９４３０１（ハモンド（Hammond）他（2001）Br. J. Cancer 271 （21）：12209-12212、ここにその全体を参考文献として合体させる）を含むＲＡＲ−α選択的アンタゴニスト。
【００６４】
ここでの使用において、「ＲＸＲリガンド」とは、ＲＸＲに結合する、任意の分子、アゴニスト又はアンタゴニスト、を指す。好ましくは、前記ＲＸＲリガンドはアゴニストである。別実施例において、前記ＲＸＲリガンドは、９−シスレチノイン酸やドコサヘキサエン酸などの自然発生ＲＸＲリガンドである。ここでの使用において、「自然発生」とは、天然に産生され見いだすことができる化合物を指す。ここでの使用において、「非自然発生」とは、合成によって製造され、天然には産生されず見いだせない化合物を指す。好ましくは、前記ＲＸＲリガンドは、レチノイン酸アナログである。別実施例において、ＲＸＲリガンドは、腹側胎児中脳移植片から単離されるか、もしくは、腹側胎児中脳移植片を培養培地中でインキュベーションすることによって作り出される馴化培地中に含まれている。その他の好適なＲＸＲリガンドとしては、即ち、前記ＲＸＲリガンドが投与される神経細胞に対して内因性の自然発生ＲＸＲリガンド、前記ＲＸＲリガンドが投与されるドーパミン分泌細胞に対して内因性でない自然発生ＲＸＲリガンド、および非自然発生ＲＸＲリガンド又はＲＸＲリガンドアナログが含まれる。ここでの使用において、「内因性ＲＸＲリガンド」とは、前記ＲＸＲリガンドが投与される細胞中に自然発生するＲＸＲリガンドを指す。たとえば、非自然発生ＲＸＲリガンドは、いかなる細胞に対しても内因性でない。
【００６５】
より好適なＲＸＲリガンドは、選択的にＲＸＲ媒介応答経路を活性化するＲＸＲリガンドおよびＲＸＲリガンドアナログのクラスから選択される。ここでの使用において、「選択的にＲＸＲを活性化する」とは、ＲＸＲおよびＲＸＲ媒介応答経路は活性化するが、ＲＸＲ−ＲＡＲヘテロダイマーとＲＡＲ依存応答経路は実質的に活性化しないＲＸＲリガンドを指す。これらのＲＸＲリガンドは、合成又は、生物サンプルから単離される自然発生アナログ、又は、レチノイド、レチノイド様化合物、レゾルフィンヘテロサイクル、およびレチノベンゾイック酸誘導体などの、非自然発生ＲＸＲリガンドおよびＲＸＲ−リガンドアナログが含まれ、具体的には、ＬＧ１０６９（スターレット，ジュニア（Starrett, Jr.）他  米国特許5,559,248：ベーム（Boehm）他（1994）J. Med. Chem. 37：2930-2941；ムカージー（Mukherjee）他（1997）Nature 386：407-410；これらのすべてをここに参考文献として合体させる）、ＬＧ１００２６８（スターレット，ジュニア（Starrett, Jr.）他  米国特許5,559,248；ベーム（Boehm）他（1995）J. Med. Chem. 38：3146-3155；ムカージー（Mukherjee）他（1997）Nature 386：40 7-410；これらの両方をここに参考文献として合体させる）、ＳＲ１１２０３，ＳＲ１１２１７，ＳＲ１１２３４，ＳＲ１１２３５，ＳＲ１１２３６及びＳＲ１１２３７（スターレット，ジュニア（Starrett, Jr.）他  米国特許5,559,248；レーマン（Lehmann）他（1992）Science 258：1944-1946；ここにこれらの両方を参考文献として合体させる、図３も参照）、が含まれる。
【００６６】
合理的設計又はコンピュータモデリングによって作成されたアゴニストおよびアンタゴニストを含め、候補ＲＡＲアンタゴニスト、ＲＸＲリガンドおよびＲＸＲリガンドアナログをスクリーニングする数多くの方法が周知である。これらの方法によって当業者は、ある化合物が本発明の方法において有用であるか否かを判断することができる。ＲＡＲアゴニストとアンタゴニストを同定するために開発された多くのレポーターアッセイも、ＲＸＲリガンドおよびＲＸＲリガンドアナログのスクリーニングに適用できる（チェン（Chen）他（1995）EMBO J. 14（6）：1187-1197；レーマン（Lehmann）他（1992）Science 258：1944-1946；ここにこれらの両方を参考文献として合体させる）。参照したレポーターアッセイは、ルシフェラーゼ又はチミジンキナーゼ遺伝子を利用するものであるが、Ｎｅｏ，β-ガラクトシダーゼ、又は緑色蛍光たん白質（Green Fluorescent Protein）、等のその他のレポーターも周知であり、これらをＲＸＲリガンドおよびＲＸＲリガンドアナログを同定するために使用することもできる。
【００６７】
ステロイドレセプターなどの他の核内レセプターの機能に影響を与える化合物をスクリーニングするために他の標準アッセイが使用されている（ボラッグ（Bollag）他  米国特許6,133,309、バセット（Basset）他  米国特許6,184,256；シャンボン（Chambon）他  米国特許6,130,230ここにすべて参考文献として合体させる）。グルココルチコイドおよびプロゲステロンレセプター機能に対する合成ステロイドＲＵ４８６およびＲ５０２０の影響を研究するために一過性発現／ｇｅｌ  ｒｅｔａｒｄａｔｉｏｎシステムが使用されている（ネイヤー（Neyer）他（1990）EMBO J. 9（12）：3923-3932；ここに参考文献として合体させる）。タモキシフェンがエストロゲンレセプターに対するエストラジオール誘導ＥＲＡＰ１５０結合を競合的に抑制することを証明するのに類似のアッセイが使用されている（ハラキミ（Halachimi）他（1994）Science 264：1455-1458）。ＲＡＲおよびＲＸＲレセプターは、ステロイドレセプターなどの他の核内レセプターと構造的に類似しているので、これらの化合物のＲＡＲ又はＲＸＲレセプターに対する活性を評価するのにこのタイプの標準アッセイが有用であるかもしれない。
【００６８】
当該技術においてルーチンであるＲＸＲリガンドおよびＲＸＲリガンドアナログを同定するためのその他の方法も使用可能である。当業者は、どの化合物がアゴニスト又はアンタゴニストであるかを判断することができるであろう。
【００６９】
ここでの使用において、「ドーパミン分泌細胞の生存を増加させる」とは、細胞増殖に起因しない、培養中の、細胞数に対するＲＸＲリガンドの作用をいう。生存は、コントロール、即ち、ＲＡＲリガンド（即ちＴＴＮＰＢ）、オールトランスレチノイン酸、との又はＲＸＲリガンド不在での、インキュベーション後の培養中の細胞の数、との比較における、培養中のＲＸＲリガンドとのインキュベーション後の生存ドーパミン分泌細胞の数の差を測定することによってアッセイされる。培養中の細胞の数は、当該分野において周知の多数の方法によって測定可能である。たとえば、これの方法として、マニュアルおよび自動化細胞計数、全たん白質測定、イムノアッセイ、等が含まれる。同様に、細胞増殖は、当該分野において周知の多数の方法によって測定することができる。たとえば、これらの方法には、活発に複製している細胞におけるＤＮＡのブロモデオキシウリジン（ＢｒｄＵ）標識化、等が含まれる。
【００７０】
解離した神経細胞を、ＨＥＭ，ＤＭＥＭ，ＲＰＭＩ，Ｆ−１２等の細胞増殖を支持可能な任意の公知の培養培地中におくことが出来る。培養培地は、グルタミンおよびその他のアミノ酸、ビタミン、ミネラル、および、トランスフェリン、等の有用なたん白質、等の細胞栄養に必要な任意のサプリメントを含んだものとすることができる。培地は、更に、酵母、細菌、菌類での汚染を防止するために、ペニシリン、ストレプトマイシン、ゲンタマイシン、等の抗生物質を含むことができる。場合によっては、前記培地は、ウシ、馬、鶏、等から由来の血清を含むことができる。
【００７１】
ここでの使用において、「神経細胞」とは、ニューロン、アストロサイト、オリゴデンドロサイト、等の中枢神経系の細胞をいう。一好適実施例において、本発明の前記神経細胞は、脳幹神経節、より好ましくは、線条体、淡蒼球、無名質，腹側淡蒼球（ventral pallidum）、マイネルト基底核，腹側被蓋野，及び視床下核から由来の細胞である。より好適な実施例において、ドーパミン分泌細胞は、黒質由来の細胞である。最も好適な実施例において、本発明の前記神経細胞は、ドーパミン分泌細胞である。
【００７２】
「ドーパミン分泌細胞」という用語は、成熟状態で、多量のドーパミン作動性細胞体を含むことが知られている中枢神経系の領域からの個々の細胞および組織を指す。ドーパミン分泌細胞は、網膜、嗅球、海馬、背側運動核、孤束核，中脳水道周囲灰白質、腹側被蓋、又は黒質の領域に見られる。ドーパミン生合成酵素、チロシンヒドロキシラーゼ（ＴＨ）は、当該技術において、ドーパミン分泌ニューロンに対するマーカーとして標準的に使用される。更に、ドーパミン分泌細胞は、たとえば、前記細胞内におけるドーパミンデカルボキシラーゼの存在および／又はドーパミンベータヒドロキシラーゼの不在、又は、当該技術において周知の他の細胞マーカー、によって同定することができる。
【００７３】
一次細胞培養は、好ましくは、約１０２から１０７細胞／ｍｌ、より好ましくは約１０６細胞／ｍｌの範囲の密度でプレーティングすることができる。これらの細胞は、組織培養フラスコ、ウェル、又はペトリ皿等の任意の適当な容器中で増殖することができる。前記容器は、それに対して細胞が付着することができる表面を備えたものであってもよいし、それを備えないものであってもよい。細胞が付着することが望ましい場合には、一般に、それらを、イオン荷電された表面、例えば、ポリ−Ｄ−リジン、ポリ−Ｌ−オルニチン、マトリゲル（Matrigel）、ラミニン、フィブロネクチン、および、細胞付着を誘導することが知られているその他の表面、を提供する物質によって処理することが必要である。細胞は、ある種のプラスティック処理培養容器に付着することが可能である。たとえば、ポリ−Ｌ−オルニチンは、細胞が付着可能な特に好適な表面を提供する。付着が望まれない場合には、ガラス基材又は未処理プラスティック組織培養基材を使用することができる。細胞は、任意のタイプの細胞又は任意のタイプの組み合わせの細胞の支持細胞層床（ｆｅｅｄｅｒ−ｌａｙｅｒ  ｂｅｄ）上でコカルチャすることができる。ニューロン、アストロサイト、オリゴデンドロサイト、等の、他の神経細胞の支持細胞床が好適である。
【００７４】
前記培養は、生理学的条件下、又の生理学的条件に近い条件下に維持される。ｐＨは、好ましくは、ｐＨ６から８、より好ましくは、ｐＨ７．２から７．６、最も好ましくは約７．４のｐＨである。細胞は、好ましくは、３０から４０℃、より好ましくは、約３２〜３８℃、より好ましくは３５〜３７．５℃でインキュベーションされる。細胞は、約５％ＣＯ２，９５％Ｏ２および湿度１００％に維持されるべきである。但し、培養条件は変えることができる。たとえば、１％胎児ウシ血清（ＦＢＳ）を添加すると、グリア細胞支持細胞層上での２４時間のコカルチャー後に検出されるドーパミン分泌細胞の数が増加する。ＦＢＳ（１％）は、又、支持細胞層不在下で、細胞が不定培養培地中で増殖された時、ドーパミン分泌細胞の数を増加させる。
【００７５】
２．神経変性疾患の治療−ＲＸＲリガンド
本発明は、ドーパミン分泌細胞の生存をイン・ヴィヴォで増加させる方法を提供する。本発明の一実施例において、ＲＸＲリガンドは、ドーパミン分泌細胞の生存を増加させるのに十分な量、それを必要とする対象体に投与される。好ましくは、前記ＲＸＲリガンドは、薬用組成物の形態として投与され、ここで、この薬用組成物は、ＲＸＲリガンドと、薬用的に許容可能なキャリアとを含む。ここでの使用において、「薬用的に許容可能なキャリア」とは、当該技術でルーチン的に使用されている、任意の、キャリア、溶解剤、希釈剤、賦形剤（ｖｅｈｉｃｌｅ）、補形薬（ｅｘｃｉｅｐｉｅｎｔ）、補助剤、添加剤、保存剤、および類するもの、これらの任意の組み合わせ、を指す。
【００７６】
たとえば、生理的食塩水は、好適なキャリアであるが、人工ＣＳＦ等のその他の薬用的に許容可能なキャリアも本発明において考慮される。そのようなキャリアにおける一次溶剤は、水性又は非水性のものとすることができる。前記キャリアは、ｐＨ、浸透性、粘度、清澄度、色、無菌性、安定性、解離速度、および／又は臭い、を改変又は維持するためのその他の薬用的に許容可能なキャリアも含むことができる。同様に、前記キャリアは、安定性、解離速度、遊離、若しくは吸収、脳血液関門を介した通過を改変又は維持するための更にその他の薬用的に許容可能なキャリアも含むことができる。
【００７７】
ＲＸＲリガンドは、経口、局所、非経口、直腸内、又、従来の非毒性の薬剤的に許容可能なキャリア、補助薬および賦形剤を含有する投与単位製剤形態の吸入スプレーによって、投与することができる。ここでの使用において、「非経口的」とは、点滴を含む、皮下、静脈内、筋肉内、組織内、鞘内、および脳内、注入を指す。
【００７８】
ＲＸＲリガンドは、無菌媒材中で非経口的に投与することができる。ＲＸＲリガンドは、使用される賦形剤および濃度により、賦形剤中に懸濁又は溶解させることができる。好ましくは、この賦形剤中に、局所麻酔薬、保存剤および緩衝剤などの補助薬を溶解させることができる。一好適実施例において、本発明の前記治療用又は薬用組成物は、注射又は、インプラントポンプからの連続注入によって、脳脊髄液（ＣＳＦ）中に直接に、非経口投与される。ＲＸＲリガンドの薬用組成物の非経口投与の最も好ましい経路は、皮下、筋肉内、くも膜下腔内又は脳内経路である。本発明のその他の実施例は、前記組成物を、脳血液関門を介したＲＸＲリガンドの通過、および／又は活性成分（単数又は複数）の遊離性、を促進する単数又は複数の薬剤と、組み合わせて投与することを含む。そのような補形薬としては、単位投与又複数投与形態、又は、インプラントポンプからの連続又は周期的注入によるＣＳＦ中への直接注入、用の施薬を形成するのに通常および慣習的に使用される物質が含まれる。
【００７９】
ＲＸＲリガンドの所望又は最適投与は、毎日、あるいはそれ以上の頻度、又はそれ以下の頻度での非経口投与によって得ることができる。ＲＸＲリガンドは、又、インプラントポンプから連続又は周期的に注入することもできる。投与の頻度は、その薬剤中の特定のＲＸＲリガンドの薬物動態学的パラメータおよび投与経路に応じたもとなる。
【００８０】
より好適な実施例において、前記治療又は薬用組成物は、経口活性製剤、吸入スプレー、又は座薬として投与される。ＲＸＲリガンドを含有する前記薬用組成物は、たとえば、タブレット、トローチ、ドロップ、水性又は油性懸濁液、拡散性の粉又は顆粒、エマルジョン、ハード又はソフトカプセル、シロップ、エリキシル等の経口使用に適した形態とすることができる。
【００８１】
活性成分は、一回の投与形態を作り出す量でキャリア剤と組み合わせることができる。活性成分の量は、その特定のＲＸＲリガンドの同一性、処理される宿主、およびとの特定の投与形態に応じて、変化する。好ましくは、ＲＸＲリガンドの量は、ドーパミン分泌細胞の生存、特に、ドーパミン分泌細胞、を促進するのに十分な量とされる。対象体に投与されるＲＸＲリガンドの投与量は、好ましくは、０．１から１００ｍｇ／ｋｇ、より好ましくは、０．２から５０ｍｇ／ｋｇ、最も好ましくは、０．５から２５ｍｇ／ｋｇの範囲である。たとえば、非自然発生ＲＸＲリガンド、ＬＧ１００２６８が、マウスに対して２０ｍｇ／ｋｇの投与量で投与された（ムカージー（Mukherjee）他（1997）Nature 386：407-410）。投与単位剤形は、一般に、約１ｍｇから約５００ｍｇのＲＸＲリガンドを含むものとなる。しかしながら、当業者においては、特定の患者に対する特定の投与量レベルは、利用されるＲＸＲリガンドの活性、年齢、体重、一般的健康状態、性別、食餌、投与時間、投与経路、および排泄率、特定の疾患のために現在行われている治療法の薬剤との組み合わせ、およびその重度、を含む様々な要因に応じたものとなることが理解されるであろう。ＲＸＲリガンドの投与は、一回又は複数回の投与を必要とするかもしれない。
【００８２】
しかし、その投与方法の如何にかからず、具体的投与量は、患者の概算の体重、体表面積に応じて計算される。考慮される各製薬のために当量最適化するために必要な投与量計算方法を更に調節することも、過度の実験を必要とすることなく、特に、ここに開示される投与情報およびアッセイに鑑みて、当業者によって日常的に行われる。
【００８３】
ここでの使用において、「神経変性」又は「神経細胞変性」とは、中枢神経系の神経細胞の死、又は、神経細胞機能および／又は神経系のその他の細胞の機能の損失をもたらすプロセス又は疾患プロセスを指す。一好適実施例において、前記神経変性疾患は、パーキンソン病である。アルツハイマー病、多発性硬化症、ハンチントン舞踏病、筋萎縮性側索硬化症、パーキンソン病を含む、本発明の方法によって考慮されるその他の神経変性疾患は、細胞又は組織機能の損失をもたらす中枢神経系の特定の領域における、神経細胞の変性に関連するものである。
【００８４】
具体的には、脳幹神経節の変性は、その正確な位置により、認識機能障害および運動神経機能障害をもたらす。脳幹神経節は、線条体（尾状核（cadate）と被殻とから成る）、淡蒼球、黒質、無名質，腹側淡蒼球（ventral pallidum）、マイネルト基底核，腹側被蓋野，及び視床下核を含む多くの別々の領域から構成されている。たとえば、アルツハイマー病は、前脳と大脳皮質の重度の細胞変性と、マイネルト基底核の局所的変性とによって特徴付けられる。ハンチントン舞踏病は、線条体におけるニューロンの変性と関連し、これは、不随意性のぎくしゃくした運動をもたらす。視床下核の変性は、アテトーシス（ゆっくりとした苦悶運動）と関連している。パーキンソン病においては、変性は、黒質緻密部で起こる。
【００８５】
ここでの使用において、「それを必要とする対象体」とは、神経変性の臨床症状、又は、たとえば、連続陽電子放射断層法（ＰＥＴ）又は単光子放射型コンピューター断層法（ＳＰＥＣＴ）による測定で、平均して年間０．５−１．０％の率の線条体ドーパミン機能の低下を有する、無症状神経変性を示す対象体のことである（ブルックス（Brooks）（1998）Ann. Neurol （suppl） 4 4：S10-S18；バーンハイマー（Bernheimer）他（1973）J. Neurol. Sci. 20：415-455；ファーンレー（Fernley）他（1991）Brain 114：2283-2301；マックギー（McGee）他（1989）Ann. Neurol. 24：574-576；それぞれをここに参考文献として合体させる）。
【００８６】
３．神経変性疾患の治療−移植
神経変性疾患の好適な治療法は、神経細胞変性を防止又は低減させる。一旦、損傷が起こると、その損傷した細胞を、培養中で増殖されたドーパミン分泌細胞からの、新しいドーパミン分泌細胞を移植することによって置き換えることが好ましい。
【００８７】
神経細胞の移植が神経変性疾患のための強力な治療法を提供することが十分に確立されている（リンドヴォール（Lindvall）（1991）TINS 14（8）：376-383；ここに参考文献として合体させる）。神経細胞を損傷を受けた神経組織に移植することは、損傷を受けた経路を修復および／又は置換し、神経伝達物質の置換源を提供し、これによって神経機能を回復させる可能性を有する。しかしながら、移植の目的のための適当な細胞が存在しないことによって、この処置の完全な可能性が満たされることが妨げられてきた。ここでの使用において、「好適な細胞」とは、下記の条件を満たす細胞である。即ち、１）多数入手可能な細胞、２）イン・ヴィトロで増殖可能な細胞、３）不確定に生存可能であるが、脳への移植後には成長が止まる細胞、４）非免疫原性であり、好ましくは患者自身の組織から得られたもの、５）正常な神経結合を形成し、神経生理シグナルに応答することができる（ビヨルクルンド（Bjorklund）（1991）TINS 14（8）：319-322）。ＲＸＲリガンドによって処理されたドーパミン分泌細胞は、神経移植目的に適した細胞の要件を満たす。更に、これらのドーパミン分泌細胞は、患者、適合組織タイプのドナー、又は、その細胞が、移植片拒絶反応の可能性を最小限にするために局所免疫抑制を与えられた未分類ドナー、から得ることができる。
【００８８】
本発明は、細胞を、ＲＸＲおよびＲＸＲ依存経路を活性化させるＲＸＲリガンドによって処理することによって、処理された細胞の生存を増加させる、ドーパミン分泌細胞の生存をイン・ヴィトロで増加させる方法を提供する。一好適実施例において、処理されたドーパミン分泌細胞は、それを必要とする対象体に移植される。一好適実施例において、前記対象体は神経変性疾患を有し、より好適な実施例では、前記対象体はパーキンソン病を有する。本発明は、ドーパミン分泌細胞は、ＲＸＲリガンドでの処理後、たとえＲＸＲリガンド処理が中止された後でも、未処理のドーパミン分泌細胞よりも長く生存するという驚くべき発見に基づくものである。
【００８９】
ドーパミン分泌細胞は、移植用の好適な細胞である。一好適実施例において、本発明の前記ドーパミン分泌細胞は、脳幹神経節から単離され、より好ましくは、前記ドーパミン分泌細胞は、線条体、淡蒼球、無名質，腹側淡蒼球（ventral pallidum）、マイネルト基底核，腹側被蓋野，及び視床下核から単離される。より好ましくは、ドーパミン分泌細胞は、黒質から単離さたものである。ドーパミン分泌細胞は、好ましくは、非腫瘍細胞ライン、又は、増殖を誘発するために、意図的に不死化された細胞、から単離される。より好ましくは、前記細胞は、患者自身の神経組織から単離される。
【００９０】
幹細胞は、自然細胞死、損傷、又は疾患によって失われた細胞に置き換わる多数の細胞タイプ源として機能する多能性細胞のクラスである（ゲージ，エフ・エイチ（Gage, F.H.）およびクリステン，ワイ（Christen, Y.）（eds）（1997）ＣＮＳ幹細胞の単離、特徴付け、利用−神経科学における研究と展望（Isolation, Characterization and Utilization of CNS Stem Cells-Research & Perspectives in Neurosciences），Springer-Verlag, Berlin Heidelberg；フィッシャー（Fisher）（1997）Neurobiol. Dis. 4：1-22；ゲージ（Gage）他（1995）Ann. Rev. Neurosci. 18：159-92；ゲージ（Gage）他（1995）Proc. Natl. Acad. Sci. USA 92：11879-11883；ゲージ（Gage）（1998）Nature 392 （supp）：18-24；マルティネス−セラーノ（Martinez-Serrano）（1997）Trends Neurosci. 20：530-538；マッケイ（McKay）（1997）Science 276：66-71；レイノルズ（Reynolds）他（1996）Develop. Biol. 175：1-13，スナイダー（Snyder）（1994）Curr. Opin. Neurobiol. 4：742-751；スナイダー（Snyder）他（1996）Curr. Opin. in Pediatr. 8：558-568；ヴァーマ（Verma）他（1997）Nature 389：239-242；ウィットモア（Whittemore）他（1996）Molecular Neurobiology 12（1）：13-38；これらすべてをここに参考文献として合体させる）。ここでの使用において、「幹細胞」という文言は、自己修復可能で（即ち、子孫も幹細胞である）、制限無しに増殖し、ニューロンとグリアに最終的に分化することが可能な子孫を作り出す、未分化、多能性細胞を指す。ここでの使用において、「ノイロン幹細胞」は、多能性神経細胞に由来する未分化細胞で、特定の分化経路（即ち、ニューロン、アストロサイト、およびオリゴデンドロサイト）に関係つけられ、制限された増殖および能力を有し、自己修復能力を有さない未分化細胞を含む。
【００９１】
幹細胞と神経幹細胞は、胎児、出生後、若年又は成体神経組織から単離することができる。好ましくは、前記神経組織は、哺乳類組織であり、より好ましくは、前記神経組織はヒト組織である。種々の神経組織からの神経幹細胞の単離、増殖および継代は、既に記載されている（ワイス（Weiss）他，米国特許5,750,376および5,851,832；ジョーエ（Johe）、米国特許5,753,506；WO93/01275；WO94/09119；WO94/10292；WO94/16718；カッタネオ（Cattaneo）他（1996）Mol. Brain Res. 42：161-166；これらすべてをここに参考文献として合体させる）。懸濁培養中の増殖誘発成長因子（即ち、ＥＧＦ，ｂＦＧＦ等）の存在下において、神経幹細胞は分裂し、ニューロスフェア（neurosphere）と称される未分化細胞のクラスタを作り出す。このニューロスフェアを続けて成長因子に対して暴露することは、神経幹細胞を増幅する効果的な方法である（ワイス（Weiss）他  米国特許5,750,376および5,851,32；ジョーエ（J ohe），米国特許5,753,506）。前記成長因子を取り除くことによって、ニューロン、アストロサイト、およびオリゴデンドロサイトへの分化が起こる。ニューロスフェアは、ニューロスフェアとして、又は、化学的又は機械的（即ち、tituration）、周知のその他任意の方法によって解離したりして、移植することができる。
【００９２】
幹細胞と神経幹細胞は、上述したように、培養中においてＲＸＲリガンドによって処理することができる。その後、これらの細胞を、それを必要とする対象体、哺乳類および、好ましくはヒト、に移植することができる。好ましくは、前記対象体は神経変性疾患を有する。より好ましくは、前記対象体は、そのそれぞれが中枢神経系の特定の領域における、神経細胞の変性に関連付けられている、アルツハイマー病、多発性硬化症、ハンチントン舞踏病、筋萎縮性側索硬化症、又はパーキンソン病を有する。
【００９３】
幹細胞および神経幹細胞は、任意の公知の適宜手段によって前記対象体に送達される。線維芽細胞等の、細胞懸濁液の中枢神経系への注入のための方法を、前記幹細胞の投与に適用することができる（ビヨルクルンド（Bjorklund）およびステネヴィ（Stenevi）（eds.）（1987）哺乳動物ＣＮＳにおける神経移植(Neural Grafting in the Mammalian CNS)；ここに参考文献として合体させる）。ここでの使用において、移植のための神経幹細胞の「有効量」とは、所望の効果を得るために十分な量又は数の細胞を指す。幹細胞は、一般に、約５−５０，０００細胞／μｌの濃度で投与される。注入量は好ましくは約５−２０μｌではあるが、外科手術後の移植には、その数倍の量が使用されるかもしれない。移植される細胞の数は、有用性によってのみ限定され、過度の実験無く当業者によって決定可能である。
【００９４】
細胞の移植は、又、マイクロカプセル化（米国特許4, 352,883；4,353,888および5,084,350；これらすべてをここに参考文献として合体させる）およびマクロカプセル化（米国特許5,284,761；5,158,881；4,976,859および4,968,733；WO92/19195；WO95/05452；それぞれをここに参考文献として合体させる）を含む公知のカプセル化技術を利用することもできる。幹細胞は、又、移植された幹細胞に対して成長又は栄養作用を有する、或いは、幹細胞を特定の表現型系統への分化を誘発させる、又はそれらの組み合わせ、を有する、治療的に有効な分子又は前駆物質（即ち、プロドラッグ）を分泌する、カプセルデバイスと組み合わせて移植することもできる。好ましくは、前記移植されるカプセルデバイスは、ＲＸＲリガンド（単数又は複数）又はその薬用組成物、を含む。
【００９５】
移植される神経幹細胞は、レシピエントと同じ種、又はレシピエントと異なる種から単離することができる。レシピエントから得られたものではない移植細胞を、ここでは、「異種細胞」と称する。ここでの使用において、「自己由来」とは、レシピエントから得られた又はレシピエントから発生した細胞を指す。従って、自己由来ドナーは、レシピエントである。又、移植の前に、神経幹細胞は、イン・ヴィトロで操作することができる。
【００９６】
移植に使用される細胞は、好ましくは、細胞を維持するために必要な栄養およびホルモンを含む完全に定義された培養培地（無血清）中で培養される。ここでの使用において、「完全に定義された」とは、その成分全部が既知である培地を指す。数多くの完全定義培養培地が市販されている。好適な培地は、ダルベッコ改変培地と０．６％のグルコース、２ｍＭのグルタミン、３ｍＭの重炭酸ナトリウム、５ｍＭ  ＨＥＰＥＳ緩衝液を添加したものと、２５μｇ／ｍｌのインスリン、１００μｇ／ｍｌのトランスフェリン、２０μＭのプロゲステロン、５０μＭのプトレッシン、および３０ｎＭの塩化セレンを含む、規定ホルモン混合物と塩の混合物（Ｓｉｇｍａ：１０ｖｏｌ．％）を添加したＦ１２栄養物（ＧＩＢＣＯ）との１：１の混合物である。本発明の前記ＲＸＲリガンド処理ドーパミン分泌細胞は、異常な神経又は神経変性症状を有する、任意の動物、好ましくはヒトに、投与することができる。これらの症状は、神経領域の実験的吸引、又は、老化プロセス、の結果としての、物理的、化学的、又は電解的病変から生じたものとすることができる。非ヒト動物モデルにおける特に好適な病変は、６−ヒドロキシ-ドーパミン（６−ＯＨＤＡ）、１−メチル−４−フェニル−１，２，３，６テトラヒドロピリジン（ＭＰＴＰ）、イボテン酸、等によって得られる。
【００９７】
培養中でＲＸＲリガンドによって処理された分化ドーパミン分泌細胞の精製集合体を、レシピエントの脳のドーパミン欠損領域に移植することができる。細胞の精製には任意の適宜方法を使用することができる。細胞は、又、その他の神経細胞と共に移植することができる。ドーパミン枯渇の領域又はその近傍へのドーパミン作動性細胞又は前駆体細胞の移植のために任意の適宜方法を使用することができる。線維芽細胞等の細胞懸濁液の中枢神経系への注入のための方法を、ここに開示される培養方法によって作成されたドーパミン分泌細胞の注入のために使用することができる（ゲージ（Gage）他の米国特許5,082,670；ビヨルクルンド（Bjorklund）およびステネヴィ（Stenevi）（eds）（1987）（哺乳動物ＣＮＳにおける神経移植（Neural Grafting in the Mammalian CNS）：その両方をここに参考文献として合体させる）。異種および／又は異型移植には、免疫抑制技術の適用又は、移植細胞の生存性を高めるための宿主の耐性の誘導が必要となるかもしれない。
【００９８】
神経細胞の移植は、又、マイクロカプセル化（米国特許4,352,883；4,353,888および5,084,350；これらすべてをここに参考文献として合体させる）およびマクロカプセル化（米国特許5,284,761；5,158,881；4,976,859および4,968,733；WO92/19195；WO95/05452；それぞれをここに参考文献として合体させる）を含む公知のカプセル化技術を利用することもできる。神経細胞は、又、移植された神経細胞に対して成長又は栄養作用を有する、治療的に有効な分子又は前駆物質を分泌する、カプセルデバイスと組み合わせて移植することもできる。好ましくは、前記移植されるカプセルデバイスは、ＲＸＲリガンド（単数又は複数）又はその薬用組成物、を含む。
【００９９】
４．神経生存応答経路におけるＲＸＲによって転写的に調節される遺伝子の同定
本発明は、更に、ＲＸＲの転写制御下にある遺伝子を同定する方法も提供し、ここで、この方法は、１）神経細胞を、ＲＸＲおよびドーパミン分泌細胞の生存の増加を媒介するＲＸＲ依存応答経路を活性化するＲＸＲリガンドと接触させる工程と、２）処理された細胞における、発現の異なる転写物を同定する工程とを有し、前記処理細胞における発現の異なる転写物はＲＸＲの転写制御下にある遺伝子によってコードされる。この方法は、中枢神経系から単離された種々のドーパミン分泌細胞と、種々のＲＸＲリガンドとの使用法を含む。好ましくは、本発明の前記ＲＸＲリガンドは、ＲＸＲおよびＲＸＲ媒介応答経路を特異的に活性化するが、ＲＡＲ媒介応答経路は実質的に活性化しない。より好ましくは、前記ＲＸＲリガンドは、ドーパミン分泌細胞の生存の増加を媒介するＲＸＲ依存応答経路を活性化する。
【０１００】
異なる遺伝子発現を測定する数多くの方法は周知である。本発明は、発現の異なる遺伝子を同定する任意の方法を意図している。ドーパミン分泌細胞のＲＸＲリガンド処理後、ＲＮＡが単離され、未処理細胞からのＲＮＡと比較される。処理細胞中において比較的高いレベルで発現される転写物が同定される。異なる転写の遺伝子の同定は、ディファレンシャル  ディスプレイ法（differential display）、アレイ解析、又は、遺伝子発現の連続解析法（ＳＡＧＥ）等によって達成することができる。種々の組織において、様々な発達および細胞周期段階での標的遺伝子の発現パターンは、ディファレンシャル  ディスプレイ法、インデキシング（indexing）、差引き（subtraction）ハイブリダイゼーション、又は、種々のＤＮＡフィンガープリント技術等によって日常的に分析される（ヴォス（Vos）他（1995）Nucleic Acids Research 23：4407-4414；フーバンク（Hubank）他（1994）Nucleic Acids Research 22：5640-5648；リンゴ（Lingo）他（1992）Science 257：967-971；マックレランド（McClelland）他  米国特許5,437,975；ウンラウ（Unrau）他（1994）Gene 145：163-169；ゲング（Geng）他（1998）Bio Techniques 25：434-438；リンスケンス（Linskens）他（1995）Nucleic Acids Research 23：3244-3251；リー（Lee）他  Proc. Nat. Acad. Sci. U.S.A. 88：2825-2829；ライング（Laing）他（1992）Science 257：967-971；カトウ（Kato）（1995）Nucleic Acids Research 12：3685-3690；これらそれぞれをここに参考文献として合体させる）。発現遺伝子の相補的配列を検出するためのオリゴヌクレオチド又はポリヌクレオチドを有するマイクロアレイも当該技術において日常的に使用されている（シェーナ（Schena）他（1995）Science 270：467-468；デリシ（DeRisi）他（1997）Science 278: 680-686；チー（Chee）他（1996）Science 274：610-614；それぞれをここに参考文献として合体させる）。最近、ｃＤＮＡからの短い配列タグの切除と連結、その後の連結されたタグの従来式の配列決定を含む、遺伝子発現の連続解析法（ＳＡＧＥ）が、遺伝子発現およびディファレンシャル遺伝子発現を分析するために成功裏に使用された（_Hlk58324102ヴェルキュレスキュ_Hlk58324102（Velculescu）他（1995）Science 270：484-486；ザン（Zhang）他（1997）Science 276：1268-1271；ヴェルキュレスキュ（Velculescu）他（1997）Cell 88：243-251；それぞれをここに参考文献として合体させる）。
【０１０１】
本発明は、更に、ＲＸＲの転写制御下にある遺伝子を同定する方法も提供し、ここで、前記ドーパミン分泌細胞は、網膜、嗅球、海馬、背側運動核、孤束核，中脳水道周囲灰白質、腹側被蓋、又は黒質由来である。
【０１０２】
別実施例において、前記ＲＸＲリガンドは自然発生リガンドである。好ましくは、前記自然発生ＲＸＲリガンドは９−シスレチノイン酸又はドコサヘキサエン酸である。本発明のその他の実施例は、１）腹側胎児中脳細胞から単離され、２）培養培地中で胎児腹側中脳外植片をインキュベーションすることによって作り出される馴化培地中に含まれ、３）前記ＲＸＲリガンドが投与されるドーパミン分泌細胞に対して内因性の自然発生ＲＸＲリガンドであり、４）前記ＲＸＲリガンドが投与される神経細胞に対して内因性でない自然発生ＲＸＲリガンド、又は、５）非自然発生ＲＸＲリガンド又はＲＸＲリガンドアナログ、であるＲＸＲリガンドの投与を含む。
【０１０３】
本発明は、更に、ＲＸＲの転写制御下にある遺伝子を同定する方法も提供し、ここで、ＲＸＲリガンド又はＲＸＲリガンドアナログがＲＸＲ媒介応答経路を選択的に活性化する。より好適な実施例において、ＲＸＲリガンド又はＲＸＲリガンドアナログは、ＲＸＲ及びＲＸＲ媒介応答経路を活性化するが、ＲＸＲ−ＲＡＲヘテロダイマー及びＲＡＲ依存応答経路は実質的に活性化しない。最も好ましい実施例において、前記非自然発生ＲＸＲリガンド又はＲＸＲリガンドアナログは、ＬＧ１０６９（ベーム（Boehm）他（1994）J. Med. Chem. 37：2930-2941；ムカージー（Mukherjee）他（1997）Nature 386：407-410；これらの両方をここに参考文献として合体させる）、ＬＧ１００２６８（ベーム（Boehm）他（1995）J. Med. Chem. 38：3146-3155；ムカージー（Mukherjee）他（1997）N ature 386：407-410；これらの両方をここに参考文献として合体させる）、ＳＲ１１２０３，ＳＲ１１２１７，ＳＲ１１２３４，ＳＲ１１２３５，ＳＲ１１２３６及びＳＲ１１２３７（レーマン（Lehmann）他（1992）Science 258：1944-1946；ここに参考文献として合体させる、図３も参照）、から成るグループから選択される。
【０１０４】
５．Ｒｅｔ発現を刺激する物質の同定
げっ歯類と類人猿との両方に於けるパーキンソン病のモデルにおいて、ＧＤＮＦ等のＲｅｔリガンドは、ドーパミン分泌細胞生存に効率的に影響を与え、将来、パーキンソン病の治療において重要となる可能性が高い（ビヨルクルンド（Bjorklund）他（2000）Brain Res. 886：82-98；コーダウワー（Kordower）他（2000）Science 290：767-773；オルソン（Olson）（2000）Science 290：723-724）。データは、Ｎｕｒｒ１がＲｅｔ遺伝子発現に影響を与えることによってこれらの因子に対する応答性に影響するという結論を裏付けている。たとえば、Ｒｅｔ−コレセプター、ＧＦＲα１、の発現に於ける比較的小さな増加は、上頚神経節細胞におけるＧＤＮＦの感度を顕著に高める（ヘング（Heng）他（2000）J. Neurosci. 20：2917-2925）。反対に、ＧＦＲα１＋／−マウスは、ＧＤＮＦ製剤がＧＦＲα１ヘテロ接合体に於ける一時的な中大脳動脈閉塞症の作用を相殺することを出来ないことによって示されているように、ＧＤＮＦに対して応答する能力が遥かに低い（トマック（Tomac）他（2000）Neuroscience 95：1011-1023）。又、Ｎｕｒｒ１−ヘテロ接合動物は、ドーパミン分泌細胞死を選択的に誘発する神経毒である１−メチル−４−フェニル−１，２，３，６−テトラヒドロピリジン（ＭＰＴＰ）の作用に対してより感度が高い（リ（Le）他（1999）Journal of Neurochemistry 73：2218-2221）。従って、Ｎｕｒｒ１ 活性を調節するＮｕｒｒ１リガンドは、Ｒｅｔ発現を促進し、それによって、ドーパミン分泌細胞の生存を増加し、ドーパミン分泌細胞を内因性Ｒｅｔリガンドに対して感作することによってドーパミン作動性神経繊維成長を刺激するであろう。
【０１０５】
本発明は、Ｒｅｔ発現を調節し、神経生存を高める物質をスクリーニングし、同定する方法を提供する。この方法は、１）Ｎｕｒｒ１とＲｅｔとを共発現する細胞を、アッセイ対象物質と接触させる工程と、２）Ｒｅｔ発現を測定する工程とを有し、前記物質と接触されないコントロール細胞との比較におけるＲｅｔ発現の相違がＲｅｔを調節する前記物質を示す、方法を提供する。本発明の方法において、Ｒｅｔ発現の増加は、前記物質がＲｅｔ発現を刺激することを示し、Ｒｅｔ発現の減少は、前記物質がＲｅｔ発現を阻害することを示す。この方法は、中枢神経系から単離されＮｕｒｒ１とＲｅｔとを共発現する種々のドーパミン分泌細胞の使用を意図する。好ましくは、前記細胞は、神経細胞であり、より好ましくは、ドーパミン分泌細胞である。別実施例において、前記細胞は、Ｎｕｒｒ−／−であり、Ｒｅｔを発現し、Ｎｕｒｒ１をコードするベクターでトランスフォーム又はトランスフェクトされる。好ましくは、前記細胞は、前記Ｎｕｒｒ１遺伝子を有するベクターと、Ｒｅｔ遺伝子を有するベクターでトランスフォーム又はトランスフェクトされる。トランスフェクション又はトランスフォーメーション前において、前記トランスフェクト又はトランスフォーム細胞は、Ｎｕｒｒ−／−又はＲｅｔ−／−、或いはＮｕｒｒ−／−およびＲｅｔ−／−とすることができる。ここでの使用において、「Ｎｕｒｒ１−／−細胞」とは、Ｎｕｒｒ１遺伝子の機能的複製が欠如し、その結果としてＮｕｒｒ１たん白質を生成しない細胞をいう。ここでの使用において、「Ｒｅｔ−／−細胞」とは、Ｒｅｔ遺伝子の機能的複製が欠如し、その結果としてＲｅｔたん白質を生成しない細胞をいう。
【０１０６】
遺伝子発現の測定のための数多くの方法が周知である。本発明は、Ｒｅｔ遺伝子発現を同定する任意の方法を意図している。前記物質をドーパミン分泌細胞と接触させた後、Ｒｅｔ−特異性ＲＮＡが測定され、未処理細胞からのＲｅｔ−特異性ＲＮＡと比較される。Ｒｅｔ特異的なＲＮＡは、たとえば、ノーザンブロッティング、定量ＰＣＲ、ディファレンシャル  ディスプレイ法（differential display）、及びアレイ解析などによって達成することができる。種々の組織において、様々な発達および細胞サイクル段階での標的遺伝子の発現パターンは、ディファレンシャル  ディスプレイ法、インデキシング（indexing）、差引き（subtraction）ハイブリダイゼーション、又は、種々のＤＮＡフィンガープリント技術等によって日常的に分析される（ヴォス（Vos）他（1995）Nucleic Acids Research 23：4407-4414；フーバンク（Hubank）他（1994）Nucleic Acids Research 22：5640-5648；リンゴ（Lingo）他（1992）Science 257：967-971；マックレランド（McClelland）他  米国特許5,437,975；ウンラウ（Unrau）他（1994）Gene 145：163-169；ゲング（Geng）他（1998）Bio Techniques 25：434-438；リンスケンス（Linskens）他（1995）Nucleic Acids Research 23：3244-3251；リー（Lee）他  Proc. Nat. Acad. Sci. U.S.A. 88：2825-2829；ライング（Laing）他（1992）Science 257：967-971；カトウ（Kato）（1995）Nucleic Acids Research 12：3685-3690；これらそれぞれをここに参考文献として合体させる）。発現遺伝子の相補的配列を検出するためのオリゴヌクレオチド又はポリヌクレオチドを有するマイクロアレイも当該技術において日常的に使用されている（シェーナ（Schena）他（1995）Science 270：467-469；デリシ（DeRisi）他（1997）Science 278： 680-686；チー（Chee）他（1996）Science 274：610-614；それぞれをここに参考文献として合体させる）。
【０１０７】
別実施例において、Ｎｕｒｒ１−／−細胞は、Ｎｕｒｒ１をコードするベクターでトランスフォーム又はトランスフェクトされる （ロー（Law）他（1992）Mol. Endocrinol. 6：2129-2135；ここに参考文献として合体させる）。この方法は、１）Ｎｕｒｒ１を有するベクターでトランスフォームされたＮｕｒｒ１−／−細胞を物質と接触させる工程と、そして２）Ｒｅｔ遺伝子発現を測定する工程とを有し、未処理の細胞に対するＲｅｔ発現の相違は、前記物質がＲｅｔ発現を調節することを示す。この方法は、コードされたＮｕｒｒ１の発現を可能にする任意の発現ベクターを意図している。好ましくは、前記細胞は、Ｎｕｒｒ１遺伝子を有するベクターとＲｅｔ遺伝子を有するベクターでトランスフォーム又はトランスフェクトされる。トランスフェクション又はトランスフォーメーション前において、前記トランスフェクト又はトランスフォーム細胞は、Ｎｕｒｒ−／−又はＲｅｔ−／−、或いはＮｕｒｒ−／−およびＲｅｔ−／−とすることができる。
【０１０８】
別実施例において、Ｎｕｒｒ１もＲｅｔも発現しない細胞が、Ｎｕｒｒ１遺伝子を有する発現ベクターとＲｅｔ遺伝子を有するベクター、その５’−調節領域を有する、発現ベクターでトランスフォーム又はトランスフェクトされる（イワモト（Iwamoto）他（1993）Oncogene 8：1087-1091；ここに参考文献として合体させる）。この方法は、１）細胞を物質と接触させる工程、ここで、前記細胞はＮｕｒｒ１もＲｅｔも発現せず、更に、前記細胞は、Ｎｕｒｒ１遺伝子を有するベクターとＲｅｔ遺伝子を有するベクターとによってトランスフォーム又はトランスフェクトされる、そして２）Ｒｅｔ遺伝子発現を測定する工程とを有し、前記物質と接触されないコントロール細胞と比較したＲｅｔ遺伝子発現の相違は、前記物質がＲｅｔ発現を調節することを示す。
【０１０９】
本発明は、更に、Ｎｕｒｒ１を調節する物質をスクリーニングし同定する方法も提供する。この方法は、１）Ｎｕｒｒ１とＲｅｔとを発現する細胞をアッセイ対象物質と接触させる工程と、２）Ｒｅｔ遺伝子発現を測定する工程とを有し、前記物質と接触されないコントロール細胞に対するＲｅｔ遺伝子発現の相違は、前記物質がＲｅｔ発現を調節することを示す。この方法において、Ｒｅｔ発現の増加は前記物質がＲｅｔ発現を刺激することを示し、Ｒｅｔ発現の減少は前記物質がＲｅｔ発現を阻害することを示す。この方法は、中枢神経系から単離され、Ｎｕｒｒ１とＲｅｔとを共発現する種々のドーパミン分泌細胞を使用することを意図している。好ましくは、前記細胞は、神経細胞、より好ましくはドーパミン分泌細胞である。別実施例において、前記細胞はＮｕｒｒ１−／−であり、Ｒｅｔを発現し、Ｎｕｒｒ１をコードするベクターでトランスフォーム又はトランスフェクトされる。好ましくは、前記細胞は、Ｎｕｒｒ１遺伝子を有するベクターと、Ｒｅｔ遺伝子を有するベクターとによってトランスフォーム又はトランスフェクトされる。トランスフェクション又はトランスフォーメーション前において、前記トランスフェクト又はトランスフォーム細胞は、Ｎｕｒｒ−／−又はＲｅｔ−／−、或いはＮｕｒｒ−／−およびＲｅｔ−／−とすることができる。
【０１１０】
６．Ｒｅｔ発現を高める方法−Ｎｕｒｒ１リガンドとＲＸＲリガンド
ＲＸＲは、いくつかの核内レセプターとの複合において、不活性のパートナーではあるが、ＲＸＲは、Ｎｕｒｒ１又はＮＧＦＩＢとの複合においてそのリガンドによって非常に効率的に活性化することができ、これは、これらのオーファンレセプターの１つの機能がイン・ヴィヴォでＲＸＲによるリガンド誘導シグナル伝達を促進するものであるかもしれないことを示唆している（パールマン（Perlmann）他（1995）Gene and Dev. 9：769-782；フォーマン（Forman）他（1995）Cell 81：541-550；チェン（Chen）他（1996）Nature 382：819-822；クロカワ（Kurokawa）他（1994）Nature 371：528-531；ミヌッチ（Minucci）他（1997）Mol Cell. Biol. 17（2）：644-655；ヴィヴァット（Vivat）他（1997）EMBO J. 16（18）：5697-5709；ボトリング（Botling）他（1997）J. Biol. Chem. 272（14）：9443-9449）。  Ｎｕｒｒ１はＲＸＲとヘテロダイマーを形成し、ある種のレチノイン酸応答エレメントに結合する（パールマン（Perlmann）他（1995）Genes and Dev. 9：769-782；フォーマン（Forman）他（1995）Cell 81：541-550）。
【０１１１】
本発明は、ドーパミン分泌細胞におけるＲｅｔ発現を増加させる方法であって、それを必要とする対象体へ物質を投与する工程を有し、該物質はＲｅｔ発現を増加させる。好ましくは、前記物質は、Ｎｕｒｒ１リガンド又はＲＸＲリガンドである。好適なＲＸＲリガンドは、９−シスレチノイン酸又はドコサヘキサエン酸等の自然発生ＲＸＲリガンド、又は、腹側胎児中脳細胞から単離された、又は、培養培地中で胎児腹側中脳外植片をインキュベーションすることによって作り出される馴化培地中に含まれるＲＸＲリガンドである。その他の好適なＲＸＲとしては、前記ＲＸＲリガンドが投与される神経細胞に対して内因性の自然発生ＲＸＲリガンド、前記ＲＸＲリガンドが投与されるドーパミン分泌細胞に対して内因性でない自然発生ＲＸＲリガンド、又は、非自然発生ＲＸＲリガンド又はＲＸＲリガンドアナログ、が含まれる。より好適なＲＸＲリガンドは、ＲＸＲ媒介応答経路を選択的に活性化するＲＸＲリガンドおよびＲＸＲリガンドアナログのクラスから選択される。これらのＲＸＲリガンドは、合成又は生物サンプルから単離される自然発生アナログ、非自然発生ＲＸＲリガンドおよびＲＸＲ−リガンドアナログが含まれ、具体的には、ＬＧ１０６９（スターレット，ジュニア（Starrett, Jr.）他  米国特許5,559,248：ベーム（Boehm）他（1994）J. Med. Chem. 37：2930-2941；ムカージー（Mukherjee）他（1997）Nature 386：407-410；これらのすべてをここに参考文献として合体させる）、ＬＧ１００２６８（スターレット，ジュニア（Starrett, Jr.）他  米国特許5,559,248；ベーム（Boehm）他（1995）J. Med. Chem. 38：3146-3155；ムカージー（Muk herjee）他（1997）Nature 386：407-410；これらの両方をここに参考文献として合体させる）、ＳＲ１１２０３，ＳＲ１１２１７，ＳＲ１１２３４，ＳＲ１１２３５，ＳＲ１１２３６及びＳＲ１１２３７（スターレット，ジュニア（Starrett, Jr.）他  米国特許5,559,248；レーマン（Lehmann）他（1992）Science 258：1944-1946；ここにこれらの両方を参考文献として合体させる、図３も参照）、が含まれる。
【０１１２】
本発明は、ドーパミン分泌細胞におけるＲｅｔの発現を増加させる方法であって、それを必要とする対象体へ物質を投与する工程を有し、該物質はＮｕｒｒ１を活性化し、それによってドーパミン分泌細胞におけるＲｅｔ発現を増加させる。好ましくは、前記物質は、Ｎｕｒｒ１リガンド又はＲＸＲリガンドである。好適なＲＸＲリガンドは、９−シスレチノイン酸又はドコサヘキサエン酸等の自然発生ＲＸＲリガンド、又は、腹側胎児中脳細胞から単離された、又は、培養培地中で胎児腹側中脳外植片をインキュベーションすることによって作り出される馴化培地中に含まれるＲＸＲリガンドである。その他の好適なＲＸＲとしては、前記ＲＸＲリガンドが投与される神経細胞に対して内因性の自然発生ＲＸＲリガンド、前記ＲＸＲリガンドが投与されるドーパミン分泌細胞に対して内因性でない自然発生ＲＸＲリガンド、又は、非自然発生ＲＸＲリガンド又はＲＸＲリガンドアナログ、が含まれる。より好適なＲＸＲリガンドは、ＲＸＲ媒介応答経路を選択的に活性化するＲＸＲリガンドおよびＲＸＲリガンドアナログのクラスから選択される。これらのＲＸＲリガンドは、合成又は生物サンプルから単離される自然発生アナログ、非自然発生ＲＸＲリガンドおよびＲＸＲ−リガンドアナログが含まれ、具体的には、ＬＧ１０６９（スターレット，ジュニア（Starrett, Jr. ）他  米国特許5,559,248：ベーム（Boehm）他（1994）J. Med. Chem. 37：2930-2941；ムカージー（Mukherjee）他（1997）Nature 386：407-410；これらのすべてをここに参考文献として合体させる）、ＬＧ１００２６８（スターレット，ジュニア（Starrett, Jr.）他  米国特許5,559,248；ベーム（Boehm）他（1995）J. Med. Chem. 38：3146-3155；ムカージー（Mukherjee）他（1997）Nature 386：407-410；これらの両方をここに参考文献として合体させる）、ＳＲ１１２０３，ＳＲ１１２１７，ＳＲ１１２３４，ＳＲ１１２３５，ＳＲ１１２３６及びＳＲ１１２３７（スターレット，ジュニア（Starrett, Jr.）他  米国特許5,559,248；レーマン（Lehmann）他（1992）Science 258：1944-1946；ここにこれらの両方を参考文献として合体させる、図３も参照）、が含まれる。
【実施例】
【０１１３】
例１：組織外植片
脳組織外植片を、頚部脱臼によって屠殺した妊娠ＮＭＲＩマウスからの胎児を単離することによって作成した。全中脳を切開し、外植片を直接、トランスフェクションされたＪＥＧ３細胞上に置き、別々の腹側および背側断片に細かく切り分け、前記細胞上に載置した（パールマン（Perlmann）他（1995）Genes and Dev. 9, 769-782；メタ・デ・ウルクイザ（Meta de Urquiza）他（1999）Proc. Natl. Acad. Sci. USA 96：13270-13275；ゼッターストローム（Zetterstrom）他（1996）Mol. Endo. 10：1656-1666）。
【０１１４】
例２：馴化培地
組織馴化培地を、細かく切り分けた胎児大脳皮質および中脳組織を、一晩、組織培養培地（無血清最小必須培地 ＭＥＭ）中でインキュベーションすることによって作成した。インキュベーション後、組織を遠心分離によって前記培地から取り除いた。この馴化培地を、次に、ＲＸＲ−、核内レセプター（ＲＸＲ−ヘテロダイマーパートナー）、とレポーターコンストラクトでトランスフェクトされた培養細胞に添加した。
【０１１５】
例３：トランスフェクション
ＲＸＲとヘテロダイマー化する、レセプターＮｕｒｒ１、オーファン核内レセプター、のリガンド結合ドメインをコードする発現ベクターをこれらの実験で使用した。ＲＸＲは、ＲＸＲ−Ｎｕｒｒ１ヘテロダイマーにおいて許容的ヘテロダイマー化パートナーであり、そのような複合体中においてリガンドによって効率的に活性化される。
【０１１６】
ヒト絨毛膜癌細胞、ＪＥＧ３、を２４−ウェルプレート中で３通りにトランスフェクトした（パールマン（Perlmann）他（1995）Genes and Dev. 9：769-782；ここに参考文献として合体させる）。各ウェルを、１００ｎｇのｇａｌ４−結合ルシフェラーゼレポーターコンストラクト，ＭＨ１００−ｔｋ−ｌｕｃと、１００ｎｇのＣＭＸ−ＲＸＲ（パールマン（Perlmann）他（1995）Genes and Dev. 9：769-782）および１００ｎｇのＣＭＸ−ｇａｌ４−Ｎｕｒｒ１（パールマン（Perlmann）（1995）Genes and Dev. 9：769-782）又はＣＭＸ−ｇａｌ４−Ｎｕｒｒ１  ｄｉｍ−のいずれか一方でトランスフェクトした。部位特異的変異誘発を使用して全長ｃＤＮＡコード化Ｎｕｒｒ１  ｄｉｍ−を生成し、ここで、アミノ酸位置５６０のプロリンをアラニンに変えた。プロリン５６０は、Ｎｕｒｒ１配列の次のセグメント中にある：５５３ＳＫＬＬＧＫＬＰＥＬＲ５６３（配列識別番号１）。Ｎｕｒｒ１  ｄｉｍ−は、ＲＸＲとヘテロダイマー化できない。
【０１１７】
馴化培地のレポーターアッセイおよび９−シスレチノイン酸滴定実験において、ＣＭＸ−ｇａｌ４−ＲＡＲコンストラクト（パールマン（Perlmann）他（1995）Genes and Dev. 9：769-782）も使用した。すべての実験において、ＣＭＸ−βｇａｌ（２００ｎｇ）（パールマン（Perlmann）他（1995）Genes and Dev. 9：769-782）を内部対照として使用された。ＪＥＧ３細胞のトランスフェクション後（トランスフェクションの６時間後）、新しい培地での洗浄によってカルシウム沈殿物を除去した。次に、組織外植片又は馴化培地を細胞に加えた。２４時間後、細胞を収集し、ルミノメーター／フォトメーター上でルシフェラーゼおよび基準β−ガラクシダーゼ活性をアッセイした。
【０１１８】
例４：一次腹側中脳培養
Ｅ１５．５時期のラット胎児からの腹側中脳を切開し、機械的に解離し、無血清培地（Ｎ２：５μg／ｍｌのインスリン、１００μｇ／ｍｌのトランスフェリン、６０μＭのプトレッシン、２０ｎＭのプロゲステロン、３０ｎＭのセレニウム、６ｍｇ／ｍｌのグルコース、および１ｍｇ／ｍｌウシ血清アルブミンを含む、Ｆ１２とＭＥＭの１：１混合物から成る）中でポリ−Ｄ−リジンコーティングされた１２のウェル上にプレーティングした。
【０１１９】
Ｅ１４．５−１５．５の段階のラット胎児からの腹側中脳、大脳皮質および海馬を切開し、機械的に解離し、無血清培地（Ｎ２：ＭＥＭ（＋１５ｍＭ  ＨＥＰＥＳ緩衝剤）とＨａｍ‘ｓＦ１２培地（＋６ｍｇ／ｍｌのグルコース、1ｍｇ／ｍｌのウシ血清アルブミン、５μｇ／ｍｌのインスリン、１００μｇ／ｍｌのトランスフェリン、６０μＭのプトレッシン、２０ｎＭのプロゲステロン、３０ｎＭのセレニウム、および１ｍＭのグルタミン）の１：１混合物から成る）中でポリ−Ｄ−リジンコーティングされた１２又は２４のウェルプレート上にプレーティングした。リガンド（オールトランスＲＡ，９−シスレチノイン酸、ＬＧ２６８，ドコサヘキサエン酸（ＤＨＡ），ＳＲ１１２３７，ＴＴＮＰＢおよびＬＢ１２０８；ＤＭＳＯ中のストック溶液）を、Ｎ２中で作用濃度にまで希釈し、細胞に添加し、３−５日間インキュベートした。ＧＤＮＦを、１ｍｇ／ｍｌのウシ血清アルブミンを含有するリン酸緩衝生理食塩水（ＰＢＳ）に溶解させた。これらの実験は三度行われた。次に、パラホルムアルデヒド固定培養を、一晩、０．５％（ＴＮとＮｅｕＮ）又は１０％（Ｎｕｒｒ１）胎児ウシ血清と０．３％トリトンＸ１００とを含有するＰＢＳ中で、抗−チロシンヒドロキシラーゼ（ＴＨ）（１：１０００，Ｐｅｌ−Ｆｒｅｅｚ）、抗−ＮｅｕＮ（１：２００，Ｃｈｅｍｉｃｏｎ）又は抗−Ｎｕｒｒ１（１：１０，０００，Ｓａｎｔａ  Ｃｒｕｚ）抗体とインキュベートした。すすぎ後、培養物を、ビオチン化（biotinylated）二次抗体とインキュベートし、その後、ＶｅｃｔｏｒのＡＢＣ免疫ペルオキシダーゼキット（ＡＢＣ  ｉｍｍｕｎｏｐｅｒｏｘｉｄａｓｅ  ｋｉｔ）を使用して免疫染色の検出を行った。細胞を、明視野照明顕微鏡（Nikon Eclipse EM300）を使用して計数した。細胞計数は、偏りのない結果が得られるように二名の個人によって互いに独立して行われた。
【０１２０】
固定の４−６時間前の関連性のある実験において、ブロモデオキシウリジン（ＢｒｄＵ）を添加した。４％のパラホルムアルデヒドでの４５分間の固定後、細胞をＰＢＳ中ですすいだ。ＢｒｄＵ取り込みを、０．２５％ペプシン（Ｓｉｇｍａ）での消化の前に、２Ｍの塩酸と細胞をインキュベートすることによって検出した。ＰＢＳ濯ぎ後、細胞を、ブロッキング溶液（ＰＢＳ中の０．５％ウシ血清アルブミン、０．５％Ｔｗｅｅｎ−２０）中でインキュベートし、その後、抗−ＢｒｄＵ抗体（Ｄａｋｏ  Ａ／Ｓ；ブロッキング溶液中に１：２０に希釈）と４℃で一晩インキュベートした。抗体結合を、抗−マウスＣＹ３−結合ＩｇＧ（Jackson ImmunoResearch Labs Inc.）によって検出した。細胞を、逆位落射蛍光微鏡検査を使用して分析した。
【０１２１】
例５：腹側胎児中脳中のＲＸＲリガンドの同定
レポーター実験を前述したように行った（パールマン（Perlmann）他（1995）Genes and Dev. 9：769-782）。簡単に説明すると、前記オーファン−核内レセプターＮｕｒｒ１の誘導体をコードする発現ベクターを、ＲＸＲをコードする発現ベクター（ＧＡＬ４−Ｎｕｒｒ１）と、ルシフェラーゼレポーター遺伝子との作動結合してあるＧＡＬ４結合部位を含むレポーター発現ベクターとともに、ＪＥＧ３細胞にコトランスフェクトした。ＧＡＬ４−Ｎｕｒｒ１とＲＸＲは、トランスフェクトされた細胞中でダイマー化し、ＲＸＲリガンドとの結合後、レポーター遺伝子からの転写を効率的に促進する（マタ・デ・ウルクイザ（Mata de Urquiza）他（2000）Science 290：2140-2144；パールマン（Pe rlmann）他（1995）Genes and Dev. 9：769-782；両方をここに参考文献として合体させる）。外植片を、上述したようにして、異なる胎児段階において脳から作成した。これらの外植片を、前記トランスフェクション細胞と培養した。共培養後、細胞を収集し、すすぎ、溶解され、ルシフェラーゼレポーター遺伝子活性についてアッセイした。図１Ａは、ルシフェラーゼ遺伝子が、胎児マウス中脳からの外植片中においてＲＸＲリガンドによって誘導されることを示している。活性は、ドーパミン分泌細胞が豊富な領域に対応する、腹側外植片を含む培養中においてより高い。
【０１２２】
ＲＸＲの不在では大幅に低い活性化が観察された（図１Ｂ）。これは、活性化がＧＡＬ４−Ｎｕｒｒ１とのＲＸＲヘテロダイマー化に依存していることを示している。更に、Ｎｕｒｒ１  ｄｉｍ−は、レポーターを活性化しなかった（図１Ｂ）。これらの結果は、胎児腹側中脳細胞におけるＲＸＲリガンドの存在を同定するものである。
【０１２３】
９−シスレチノイン酸は、ＲＡＲとＲＸＲとの両方に対して効率的なリガンドではあるが、腹側中脳活性はＲＡＲを活性化することができない（図１Ｃ）。従って、胎児腹側中脳からの前記ＲＸＲリガンドは、９−シスレチノイン酸とは異なる。
【０１２４】
例６：ＲＸＲリガンドＳＲ１１２３７はイン・ヴィトロで神経細胞生存を増加させる
ＲＸＲリガンドの培養中のドーパミン分泌細胞に対する作用を分析するために一次腹側中脳培養を確立した。興味深いことに、培養物を合成ＲＸＲリガンドＳＲ１１２３７（レーマン（Lehmann）他（1992）Science 258：1944-1946；ここに参考文献として合体させる、図３も参照）で処理することによって、ＲＡＲリガンド（即ちＴＴＮＰＢ）、オールトランスレチノイン酸とのインキュベーション、或いは、ＲＸＲの不在、と比較して、７２時間のインキュベーション後にドーパミン分泌細胞が増加した（図２Ａ）。ＳＲ１１２３７の濃度が０．１μＭであるとき、神経細胞数の増加は、ＧＤＮＦ処理によって達成される作用と類似している（図２Ｂ）。細胞の数の増加は、ＳＲ１１２３７によって誘発された増殖の増加によるものではない（図２Ｃ）。結論とて、合成ＲＸＲリガンドＳＲ１１２３７は、イン・ヴィトロで一次細胞培養物に於けるドーパミン分泌細胞生存を促進する。
【０１２５】
例７：Ｎｕｒｒ１−変異マウス
Ｎｕｒｒ１変異マウスの産生がウォーレン（Wallen）他（ウォーレン（Wallen）他（1999）Exp. Cell Res. 253：737-746）に記載された。Ｎｕｒｒ１ヘテロ接合体のメスを、二回の変異のためのヘテロ接合体マウスの産生のためＮｋｘ６．２−ｔａｕ−ｌａｃＺオスと育種し、これらを、Ｎｋｘ６．２−ｔａｕ−ｌａｃＺ＋／＋Ｎｕｒｒ１＋／＋およびＮｋｘ６．２−ｔａｕ−ｌａｃＺ＋／−Ｎｕｒｒ１−／−胎児の産生のため、Ｎｕｒｒ１ヘテロ接合マウスと交配させた。マウスを交尾させ、メスの腟栓をチェックした。妊娠したメスを、頚部脱臼によって屠殺し、所望の段階において胎児を収集した。インサイチュハイブリダイゼーションのために、胎児を急速に新鮮凍結した。免疫組織化学解析のために、胎児を４％リン酸緩衝パラフォルムアルデヒド中で１−２４時間固定し、３０％スクロース中で保存した。遺伝子型決定を、ＰＣＲによって尾-および羊膜由来ＤＮＡ上で行った。腹子を、すべての比較実験で使用した。ＰｒｏｂｅＯｎ（Fisher Scientific）およびＳｕｐｅｒＦｒｏｓｔ  Ｐｌｕｓ（Menzel-Glaezer）スライド上の凍結切片を、１４−２５μｍの厚みで調製した。
【０１２６】
例８：Ｎｕｒｒ１−特異性抗体
Ｎｕｒｒ１−リガンド−結合ドメインのＧＳＴ−融合たん白質を、製造業者の推薦（Pharmacia）に従って調製した。ウサギに、フロイントの完全アジュバンド（Gibco Life Technology）中の１５０μｇの融合たん白質を皮下注射し、その後、２週間毎に追加注射をした。Ｎｕｒｒ１−特異性ＩｇＧの単離のために、前記Ｎｕｒｒ１−ＧＳＴ融合たん白質を、ＣＮＢｒ−活性化セファロースに結合させ、免疫血清からのイムノグロブリンの親和性精製に使用した。Ｎｕｒｒ１−様免疫反応性は、Ｎｕｒｒ１変異胎児中には検出されなかった。
【０１２７】
例９：胎児のＸ−ｇａｌ染色と処理
解剖後、胎児をリン酸緩衝生理食塩水中の０．２％グルタルアルデヒド中で固定し、染色溶液（1ｍｇ／ｍｌ Ｘ−ｇａｌ（５−ブロモ−４−クロロ−３−インドイル−β−ガラクトピラノシド）を含む２ｍＭ  ＭｇＣｌ２，０．００２％  ＮＰ−４０，０．０１％デオキシコール酸ナトリウム、５ｍＭ  Ｋ４Ｆｅ（ＣＮ）６，５ｍＭ  Ｋ３Ｆ３（ＣＮ）６）中で一晩３７℃でインキュベートした。胎児を、４％ＰＦＡ中でポスト固定しスクロース中に置いた。脳神経染色を露出させるために皮膚を取り除いた。
【０１２８】
例１０：顕微鏡評価と画像収集
複数の胎児と子に分析を行い、少なくとも二名によって観察を確認した。刊行されている解剖図譜（アルトマン（Altman）他（1995）出産前ラットの脳発達の図譜（Atlas of prenatal rat brain development），CRC Press, Boca Raton；カウフマン（Kaufman）（1992）マウス発達の図譜(The atlas of mouse development)，Academic Press, San Diego；パクシノス（Paxinos）他（1994）発達中のラット神経システムの図譜(Atlas of the developing rat nervous system)，Academic Press, San Diego；パクシノス（Paxinos）他（1986）The Rat Brain in Stereotaxic Coordinates, Academic Press, オーストラリア）を使用して構造を同定した。切片分析のために、データを評価し、共焦点顕微鏡（Axiovert 100M, Zeiss）又はデジタルカメラ（Spot2, Diagnostic Instruments Inc.）に接続された定型顕微鏡（Eclipse E100M, Nikon）を使用して画像を収集した。全載胎児用には、解剖顕微鏡（Nikon SMZ-2B）をデジタルカメラと共に使用した。
【０１２９】
例１１：インサイチュハイブリダイゼーション
スライドを、４６℃で１６−１８時間、末端標識化オリゴヌクレオチドプローブとインキュベートし、すすぎ、以前に記載されているように（ダガーリンド（Dagerlind）他（1992）Histochemistry 98：39-49；ゼッターストローム（Zetterstroem）他（1996）Endocrinol. 10：1655-1666；ゼッターストローム（Zetterstroem）他（1996）Mol. Brain Res. 41: 111-120）フォトエマルジョン（NTB2, Kodak）中に浸漬した。６週間の曝露後、クレシル−バイオレット染色および封入を行った。次の配列に対するオリゴヌクレオチドプローブを使用した；Ｎｕｒｒ１（野生型と変異型との両方）1430-1477（ロー（Law）他（1992）Mol. Endocrinol. 6：2129-2135；ウォーレン（Wallen）他（1999）Exp. Cell. Res. 253：737-746），Phox2a 29-78 （ヴァラーチェ（Valarche）他（1993）Development 119：881-896），ChAT 1818-1853 （ブライス（Brice）他（1989）J. Neurosci. Res. 23：266-273），Ret 2527-2576 （イワモト（Iwamoto）他（1993）Oncogene 8：1087-1091），GFRα1 805-851 （ジン（Jing）他（1996）Cell 85：1113-1124），TH 1441-1478（グリマ（Grima）他（1985）Proc. Natl. Acad. Sci. USA 82：617-621）。
【０１３０】
マウス中のＮｕｒｒ１ ｍＲＮＡ発現は、以前にインサイチュハイブリダイゼーションによって解析されている。Ｎｕｒｒ１カルボキシ末端ドメインに対して産生されたウサギポリクローナル抗体を使用して、Ｎｕｒｒ１免疫活性を、Ｅ１２．５マウス胎児ＶＭＢ中に検出した。脳室帯の外側の別の核標識化は、Ｎｕｒｒ１ ｍＲＮＡの分布と良好に相関している（図５Ａ）。アルデヒドデヒドロゲナーゼI（Ｒａｌｄｈ  Ｉ，ＡＨＤ２としても知られている；リンダール（Lindahl）他（1984）J. Biol. Chem. 259：11991-11996）が、ドーパミン作動性前駆体を増殖させるマーカとして提案されており（ウォーレン（Wallen ）他（1999）Exp. Cell Res. 253：737-746）、これは、脳室帯と外套層との両方に発現される（図５Ｂ）。Ｎｕｒｒ１とＲａｌｄｈＩとの同時検出は、分化Ｎｕｒｒ１発現細胞の、増殖脳室帯と、外套層との両方の強い細胞質ＲａｌｄｈＩ免疫活性を示している。Ｎｕｒｒ１とＲａｌｄｈＩ免疫活性は、脳室帯の外側の細胞中に完全に共局在しており、これは、ＲａｌｄｈＩを、ドーパミン作動性前駆体に対するマーカとして確固として確立するものである（図５ＣおよびＤ）。核内Ｎｕｒｒ１と細胞質内チロシンヒドロキシラーゼ（ＴＨ）免疫活性の共局在は、脳室帯からさらに遊走した細胞において同定される（図５ＥおよびＦ）。Ｎｕｒｒ１変異胎児の切片にはＮｕｒｒ１免疫活性は検出されず、これは、その抗体の特異性を示している。
【０１３１】
Ｎｕｒｒ１欠乏ドーパミン作動性細胞表現型に寄与するＮｕｒｒ１−調節遺伝子を同定するために、Ｒｅｔ、ＧＦＲα１、Ｒｅｔレセプターの発現を分析した。Ｒｅｔ ｍＲＮＡ発現は、Ｅ１１．５のＴＨ ｍＲＮＡのそれに類似のパターンにおいてインサイチュハイブリダイゼーションによってＶＭＢ中に検出可能である（図６）。この段階において、Ｎｕｒｒ１  ｍＲＮＡは、内側性のＶＭＢの類似のドメインに発現され、更に、脳室細胞層の近くのより成熟度の低い細胞に検出される（図６Ａ）。前記Ｎｕｒｒ１変異体では、内側性ＶＭＢ細胞は、破壊Ｎｕｒｒ１座に由来する転写物を認識するプローブによって検出される（図６Ｂ；ウォーレン（Wallen）他（1999）Exp. Cell Res. 253：737-746）。ＴＨとＲｅｔとは共に、Ｎｕｒｒ１の出現の一日後、約Ｅ１１．５で誘導される（図６ＣおよびＥ）。この初期の発達段階で既に、Ｎｕｒｒ１不足は、Ｒｅｔ ｍＲＮＡ発現の損失をもたらす（図６Ｆ）。特に、Ｒｅｔは、通常は、ドーパミン分泌細胞の側方に位置し、Ｎｕｒｒ１変異中脳においてはそのままである発達中の中脳運動ニューロン（図６Ｆ）においてまだ検出可能である。（ウォーレン（Wallen）他（1999）Exp. Cell Res. 253：737-746）。いくつかの発達段階−Ｅ１３．５，Ｅ１６．５および新生児、におけるインサイチュハイブリダイゼーションによるＶＭＢの分析は、Ｒｅｔが、Ｎｕｒｒ１変異マウスにおいては発達中のドーパミン分泌細胞中に発現されない、ことを明らかにしている。この知見は、又、それぞれ、野生型とＮｕｒｒ１欠乏胎児とからの、解離ＶＭＢの逆転写酵素結合ポリメラーゼ連鎖反応によっても確認された。従って、ＴＨ（図６Ｄ）に加えて、Ｒｅｔは、ドーパミン分泌細胞が通常そこで発達する、Ｎｕｒｒ１−変異内側性ＶＭＢ中において最も初期の段階から脱調節される第２の遺伝子である。これに対して、ＧＦＲα１は、Ｎｕｒｒ１が不在であっても誘導される（図６ＧおよびＨ）が、但し、この発現は、その他のドーパミン作動性マーカーと類似して、変異動物の後期発達段階（Ｅ１６．５）において消滅される。結論として、ＶＭＢドーパミン作動性ニューロンの於けるＲｅｔ ｍＲＮＡ発現の障害は、Ｎｕｒｒ１−／−胎児を特徴付ける初期の損失を表すものである。
【０１３２】
脳幹に於けるＮｕｒｒ１の発現を、発達中に分析した。Ｅ．１０．５での、Ｎｕｒｒ１と、体性-舌下ニューロン（ＨＢ９およびＩｓｌｅｔ  １）と内臓運動ニューロン（Ｉｓｌｅｔ  １）（ビスコー（Biscoe）他（2000）Cell 101：435-445；エリクソン（Ericson）他（1997）Cell 90：ツチダ（Tsuchida）他（1994）Cell 79：957-970）のマーカの共局在は、Ｎｕｒｒ１は舌下細胞中には発現されないが（図８Ａ）、それは、この発達段階において、背側性−遊走Ｉｓｌｅｔ１−発現内臓運動神経ニューロンには発現される（図８Ｂ）ことを示している。Ｎｕｒｒ１発現は、Ｅ１３．５でも続き、その時、内臓運動神経ニューロンは、第４脳室に近いより側方の部位に検出される（図８Ｃ）。この段階において、Ｉｓｌｅｔ１は、ＤＭＮ中においてほぼ完全にダウンレギュレーションされている（図８Ｃ）。いくつかの弱いＮｕｒｒ１陽性細胞も、舌下核の領域において検出可能である。Ｎｕｒｒ１変異後脳において、ＤＭＮ−Ｉｓｌｅｔ−１−陽性細胞が、存在し（Ｅ１２．５）、これらは、正常な位置で第４脳室の側方に位置している（図８Ｄ）。したがって、Ｎｕｒｒ１は、ＤＭＮ細胞に対する初期の分子マーカーであるが、Ｎｕｒｒ１損失によって、この核の明白な異常細胞性は生じない。
【０１３３】
前記野生型胎児において、Ｎｕｒｒ１およびＲｅｔ ｍＲＮＡ発現は、ＤＭＮにおいてＥ１３．５で検出することができる（図９ＡおよびＢ）。一般に、Ｒｅｔ発現は、この核におけるＮｕｒｒ１発現よりも低い。Ｎｕｒｒ１変異体において産生された破壊Ｎｕｒｒ１転写物を検出することができ（図９Ｃ）、ＤＭＮ細胞の存在を示しているが、Ｒｅｔ発現は、Ｎｕｒｒ１変異体ＤＭＮにおける検出可能レベル以下である（図９Ｄ）。同様に、Ｅ１６．５において、Ｒｅｔ発現は、野生型ＤＭＮに検出されるが、Ｎｕｒｒ１変異胎児中には存在しない（図９Ｅ−Ｈ）。Ｒｅｔ発現は、ＲｅｔとＮｕｒｒ１とが共発現されない部位である、脊髄の前核と腎臓の尿管芽とにおいて正常である。結論として、胎児性および持続性（sustained）Ｒｅｔ発現は、これら２つの遺伝子が共局在する両方の領域において、初期の発達段階から出生後段階まで、Ｎｕｒｒ１に依存する。従って、Ｎｕｒｒ１は、ドーパミン分泌細胞において、Ｒｅｔ依存性発達のみならず、出生後のＲｅｔ−依存性機能にも影響を与えるものと考えられる。
【０１３４】
例１２：免疫組織化学
スライドを空気乾燥し、リン酸緩衝生理食塩水中で洗浄し、一次抗体（ＡＨＤ  ２／Ｒａｌｄｈ  Ｉ １：４００，β−ガラクトシダーゼ１：１０００，ＨＢ９ １：１００，Ｉｓｌｅｔ  １  １：１０００，Ｎｕｒｒ１  １：２０００，ｐｇｐ９．５  １：４００（Biogenesis），Ｒｅｔ  １：５０（Immuno-biological laboratories Co. Ltd），ＴＨ  １：１００およびＶＡＣｈＴ  １：１０００（Chemic on Int. Inc.）それぞれ４℃でブロッキング溶液中で希釈）との一晩のインキュベーション前に、ブロッキング溶液（リン酸緩衝生理食塩水又は１０ｍＭのＨＥＰＥＳ緩衝液中の３％ウシ血清アルブミン又は０．１％胎児ウシ血清、０．３％  Ｔｒｉｔｏｎ−Ｘ１００）とインキュベートした。すすぎ後、スライドを、１：２００の希釈率の二次抗体（Alexa fluor 488および594 IgG（Molecular Probes）又はＣＹ３−接合ＩｇＧ（Jackson Immuno Research Laboratories））と１時間、インキュベートした。すすぎ後、スライドをVectashield封入剤（Vector）で封入した。
【０１３５】
ＤＭＮ細胞は、Ｎｕｒｒ１欠損マウスにおいて生産されるが、われわれは、Ｎｕｒｒ１の損失とＲｅｔの脱調節と、更に、恐らく、その他の遺伝子とが、迷走神経の機能欠損又は、末梢神経性標的を正しく神経支配する能力の欠如を引き起こす可能性について調べた。免疫組織化学的分析によって、Ｎｕｒｒ１発現はＥ１２．５のＤＭＮに強く局在化された（図８）。迷走神経に対して遠心性を与える別の脳核である、疑核において弱い発現が検出可能であった。新生マウスにおいて、Ｎｕｒｒ１発現は、ＤＭＮにおいてのみ検出された（図７）。
【０１３６】
迷走神経は、Ｅ１５．５において、野生型とＮｕｒｒ１−／−との両方の胎児において、一般的ニューロンマーカー、ｐｇｐ９．５の免疫標識化によって可視化可能であったが、全迷走神経繊維の約２０％に対応する、ＤＭＮ−遠心性繊維を特異的に分析することが重要であった。この理由により、Ｎｋｘ６．２遺伝子座におけるｔａｕ−ｌａｃＺレセプター遺伝子の挿入に関してヘテロ接合であるマウスを、Ｎｕｒｒ１ヘテロ接合マウスと異種交配させた。Ｎｋｘ６．２は、疑核とＤＭＮに発現されるが迷走神経のその他のニューロンに発現されないホモドメイン転写因子をコードする（キュウ（Qiu）他（1998）Mech. Dev. 72：77-88）。予想通り、Ｅ１５．５の水平切片のｐｇｐ９．５陽性繊維（図１０Ａ）のサブセットは、Ｎｋｘ６．２＋／−Ｎｕｒｒ１＋／＋神経束においてＬａｃＺをコード化するβガラクトシダーゼに対する免疫反応性を示す（図10C）。そのパターンは、Ｎｋｘ６．２＋／−Ｎｕｒｒ１−／−神経において実質的に同じであり、迷走神経遠心神経の大きな成長（gross outgrowth）の欠損を示さない（図１０Ｄ）。しかしながら、Ｅ１２．５での全載Ｘ−ｇａｌ染色は、Ｎｋｘ６．２＋／−Ｎｕｒｒ１−／−胎児における脳核出口ポイント（図１０Ｅ−Ｈ）に於ける無秩序な繊維束によって特徴付けられる僅かな異常を示した。両表現型において同数の繊維が存在しているが、それらは、Ｎｋｘ６．２＋／−Ｎｕｒｒ１＋／＋マウスと比較してＮｋｘ６．２＋／−Ｎｕｒｒ１−／−マウスにおいて長さが伸びでいるように見える。従って、僅かに歪められてはいるが、Ｎｕｒｒ１欠損変異マウスにおいて、迷走神経遠心性神経線維の形成における重度の異常は見られない。
【０１３７】
例１３：アセチルコリンエステラーゼ活性
切片を、１５分間、氷冷４％ＰＦＡ中に浸漬し、燐酸緩衝生理食塩水中で洗浄し、染色溶液（３８ｍＭ  酢酸ナトリウム、０．０１２％酢酸、４．８ｍＭ  クエン酸ナトリウム、３ｍＭ  硫酸銅、０．０８ｍＭ  テトライソプロピルピロホスホルアミド（Ｓｉｇｍａ）、０．５ｍＭ  フェリシアン化カリウム、０．８７ｍＭ  ヨウ化アセチルチオコリン）中で３時間インキュベートし、その後、それらを水中ですすぎ、脱水し、封入した。
【０１３８】
肺、心臓および消化管の神経節は、神経節前−迷走神経繊維の一次標的領域である。免疫組織化学分析を使用して、一般的ニューロンマーカー、ｐｇｐ９．５の検出によって、迷走神経からの神経支配を分析し、コリン作動性神経支配を、アセチルコリンエステラーゼ（ＡＣｈＥ）活性と、神経末端に位置する小胞-アセチルコリントランスフェラーゼ（ＶＡＣｈＴ）に対する免疫反応性とによって判定した。これらのマーカーに対するルテイン、肺、食道、小腸（図１１）および心臓（図示せず）の標的領域のスクリーニングは、Ｅ１８．５又は新生Ｎｕｒｒ１−変異動物のいずれにおいてもなんの異常を示さなかった。肺気管支壁において、平滑筋の神経細胞の神経支配が、ｐｇｐ９．５とアセチルコリン解析とによって検出され（図１１Ａ，Ｇ，Ｍ）、これらは前記変異マウスにおいては正常のようであった（図１１Ｄ，Ｊ，Ｐ）。又、食道と小腸とにおいて、外側筋壁の腸筋層間（アウエルバッハ）神経叢と、粘膜下のマイスネル神経叢とにおいては、神経細胞の神経支配は、ｐｇｐ９．５免疫活性（図１１Ｂ，Ｃ，ＥおよびＦ）、ＡＣｈＥアッセイ（図１１Ｈ，Ｉ，Ｋ，Ｌ）又、ＶＡＣｈＴ免疫活性（図１１Ｎ，Ｏ，Ｑ，Ｒ）によって検出されたように、正常のようであった。前記野生型の食道と小腸においては、ＶＡＣｈＴ免疫活性は、粘膜上皮においても検出された（図１１ＳおよびＴ）。特に、食道においては、ＶＡＣｈＴは、Ｎｕｒｒ１変異子と同程度には検出されず（図１１Ｕ）、これは、この細胞層に於ける異常を示していた。
【０１３９】
２つの規定脳核におけるＮｕｒｒ１変異マウスの欠乏ＲｅｔｍＲＮＡ発現欠損は、ドーパミン作動性神経伝達機能に直接に関連しない第1の脱調節遺伝子を同定するものである。Ｒｅｔ欠損は、Ｎｕｒｒ１−／−ドーパミン作動性ニューロンに観察される重度のドーパミン分泌細胞発達欠損を説明することはできないが、これらの結果は、Ｎｕｒｒ１を、細胞生存に関連する新規な機能と、ＲｅｔをＮｕｒｒ１とＲｅｔとが共発現されるそれらのシグナル伝達レセプターサブユニットとして利用するリガンドによって与えられるその他の活性に結びつけるものである。
【０１４０】
例１４：Ｎｕｒｒ１＋／＋およびＮｕｒｒ１−／−培養細胞のＬＧ２６８処理
以前に記載されているように（ゼッターストローム（Zetterstroem）他  Science 1997）、Ｎｕｒｒ１＋／−メスを、Ｎｕｒｒ１＋／−のオスと交配させ、混合遺伝子型（２５％＋／＋、５０％＋／−そして２５％−／−）の胎児腹子を作った。妊娠したメスを屠殺し、胎児段階Ｅ１５．５で胎児を切開した。尾を、遺伝子型決定のための除去した。脳を細かく解剖し、髄膜を除去した。各胎児からの両大脳皮質を除去し、５００μｌの培養培地（Ｎ２）中に載置した。前記腹子のすべての胎児を切開し、大脳皮質を、ファイアーポリッシュパスツールピペットを使用した機械的解離によって倍散した。複数の腹子の解体は、各ウェル（ポリ−Ｄ−リジンによって前処理され、濯がれ、その後４００μｌのＮ２と予めインキュベートされた２４のウェル組織培養プレート）当たり５０μｌの細胞懸濁液のプレーティングによって、見かけ上健全な培養が作り出されたことを示した。野生型ラットと比較して遺伝子標的組換えマウスを使用したときの長い解剖時間による過度の細胞死を避けるために、５０μｌの懸濁液をルーチン的にプレーティングした。これによって、各ウェル当たり２００．０００−４７０．０００細胞の範囲の培養物が得られた。各胎児につき６つのウェルをプレーティングし、三つを、Ｎ２のみでインキュベートし、三つをＮ２＋０．１μＭ  ＬＧ２６８とでインキュベートした。細胞を３日間インキュベートし、その後、４％のパラホルムアルデヒド中で３０分間固定し、すすいだ。神経細胞核の検出のために、可視化が前記Ｖｅｃｔｏｒ社のＡＢＣ−キットによって行われた場合の免疫組織化学分析においてはＮｅｕＮ（１：３００希釈、Chemicon）を使用した。細胞を、明視野照明顕微鏡（Eclipse E300M）を使用して計数した。
【０１４１】
ＲＸＲリガンド促進神経細胞生存に於けるＮｕｒｒ１／ＲＸＲヘテロダイマーの関与を、野生型（Ｎｕｒｒ１＋／＋）とＮｕｒｒ１−ノックアウトマウス（Ｎｕｒｒ１−／−）とからの一次培養を使用してテストした。以前に示されたように、Ｎｕｒｒ１は、皮質ニューロンの発達には必須ではないので、皮質組織を使用した。前記ノックアウト動物からの皮質細胞はＮｕｒｒ１発現が欠乏しているので、これらの細胞は、Ｎｕｒｒ１抗体を使用して検出することができた。しかし、又、野生型皮質培養物において細胞の比較的大きな集団−約３０％−がＮｕｒｒ１を発現するので、皮質細胞のＬＧ２６８神経栄養作用又は生存の増加が、ニューロンの全体数の絶対的増加として検出可能であることも可能である。図１６Ａは、ＮｅｕＮ免疫活性によって検出された、ノイロンの総数が、ＬＧ２６８の投与後に顕著に増加していることを示している。これに対して、ノックアウトマウスからの培養物においては増加は観察されなかった。結論として、これらのデータは、Ｎｕｒｒ１をＲＸＲリガンド誘導神経細胞の生存のプロセスに結びつける直接的な遺伝子的証拠を提供するものである。
【０１４２】
以上、本発明を上述した例を参照して詳細に説明したが、本発明のエッセンスから逸脱することなく、種々の改変を行うことが可能であると理解される。本出願において言及されているすべての引用特許、特許出願、および刊行物を、その全体においてここに参考文献として合体させる。
【図面の簡単な説明】
【０１４３】
【図１】トランスフェクションヒト絨毛膜癌腫細胞（ＪＥＧ３）に対する中脳移植片の効果を示しており、（Ａ）Ｎｕｒｒ１，ＣＭＸ−ＲＸＲ及びレポーターＭＨ１００−ｔｋ−ｌｕｃによってトランスフェクトされたＪＥＧ３細胞における、三つの異なる胎児段階からの腹側及び背側−中脳移植片、（Ｂ）野生型Ｎｕｒｒ１又はＲＸＲとヘテロダイマー化が出来ないＮｕｒｒ１  ｄｉｍ−のいずれかとレポーターＭＨ１００−ｔｋ−ｌｕｃおよび／又はＣＭＸ−ＲＸＲとでコトランスフェクトされたＪＥＧ３細胞における、Ｅ１３．５中脳移植片、（Ｃ）ＲＡＲ又はＮｕｒｒ１及びＣＭＸ−ＲＸＲによってトランスフェクトされたＪＥＧ３細胞における、９−シスレチノイン酸の滴定曲線、ＭＨ１００−ｔｋ−ｌｕｃをレポーターとして使用し、棒グラフは、ｇＲＡＲ又はＮｕｒｒ１とＣＭＸ−ＲＸＲによってトランスフェクトされたＪＥＧ３細胞における、Ｅ１３．５胎児中脳及び大脳皮質からの一晩馴化された培養液の影響を示し、ＭＨ１００−ｔｋ−ｌｕｃがレポーターとして使用されている。
【図２】ドーパミン分泌細胞に対する、非自然発生−ＲＸＲリガンド、ＳＲ１１２３７の作用を示しており、（Ａ）一次中脳培養物は処理されなかった（Ｎ２）か、又は、非自然発生-ＲＸＲアゴニストＳＲ１１２３７，ＲＡＲアゴニストＴＴＮＰＢ，又はオールトランスレチノイン酸（ａｔＲＡ）によって処理され、（Ｂ）一次中脳培養物は、処理されなかった（Ｎ２）か、若しくは、０．１μＭのＳＲ１１２３７又は３０ｎｇのＧＤＮＦによって処理され、（Ｃ）一次中脳培養物は、処理されなかった（Ｎ２）か、若しくは、０．１μＭのＳＲ１１２３７によって処理され、ブロモデオキシウリジン（ＢｒｄＵ）によってパルス標識化された。
【図３】非自然発生ＲＸＲリガンド又はＲＸＲリガンドアナログＳＲ１１２０３，ＳＲ１１２１７，ＳＲ１１２３４，ＳＲ１１２３５，ＳＲ１１２３６およびＳＲ１１２３７，の構造を示しており、ＳＲ１１２０３ここで、ＲとＲ’はＳＣＨ２ＣＨ２ＣＨ２Ｓ；Ｓ１１２１７ここで、Ｒ及びＲ’は（ＣＨ３）２Ｃ、ＳＲ１１２３４、ここで、Ｒ及びＲ’はＳＣＨ２ＣＨ２Ｓ、ＳＲ１１２３５、ここでＲ及びＲ’はＯＣＨ２ＣＨ２Ｓ、ＳＲ１１２３６、ここでＲ及びＲ’はＯＣＨ２ＣＨ２ＣＨ２Ｏ、そしてＳＲ１１２３７、Ｒ及びＲ’はＯＣＨ２ＣＨ２Ｏである。
【図４】非自然発生ＲＸＲリガンド又はＲＸＲリガンドアナログの一般構造を示しており、（Ａ）ベーム（Boehm）他及びムカージー（Mukherjee）他（ベーム（Boehm）他（1994）J. Med. Chem. 37：2930-2941；ベーム（Boehm）他（1995）J. Med. Chem. 38：3146-3155；ムカージー（Mukherjee）他（1997）Nature 386：407-410；ここにこれら全部を参考文献として合体させる）によって記載された非自然発生−ＲＸＲリガンド又はＲＸＲリガンドアナログの一般構造、（Ｂ）ＬＧ１０６９（ベーム（Boehm）他（1994）J. Med. Chem. 37：2930-2941；ムカージー（Mukherjee）他（1997）Nature 386：407-410；これらの両方をここに参考文献として合体させる）と、ＬＧ１００２６８（ベーム（Boehm）他（1995）J. Med. Chem. 38：3146-3155；ムカージー（Mukherjee）他（1997）Nature 386：407-410；これらの両方をここに参考文献として合体させる）の構造。
【図５】Ｅ１２．５における、腹側中脳のＮｕｒｒ１たん白質免疫反応性を示す冠状切片を図示し、Ｎｕｒｒ１のカルボキシ末端領域に対して産生された抗体を使用して、脳室帯の外側の内側性ＶＭＢにおいて特異的核免疫反応性（赤色）を検出することができ（Ａ）、Ｒａｌｄｈ  Ｉ特異抗体は、同じ領域の脳室帯と脳室周囲領域との両方に於ける細胞質免疫反応性（緑色）を示し(Ｂ)、これら２つのマーカー（赤色のＮｕｒｒ１と緑色のＲａｌｄｈ  Ｉ）に対する二重標識化は、外套相の細胞における完全な共局在性を示し（Ｃ及びＤ）、Ｎｕｒｒ１（赤）とＴＨ（緑）との共染色は、細胞質ＴＨ免疫反応性を有する分化ドーパミン分泌細胞のＮｕｒｒ１−核内発現を示する（ＥとＦ）、尺度バー：Ａ（Ｂも同様）５０μｍ，Ｃ２０μｍ，Ｄ５μｍ，Ｅ５０μｍ、Ｆ１０μｍ．３Ｖ＝第３脳室、ＶＺ＝脳室帯、ＭＺ＝外套帯。
【図６】Ｅ１１．５における、腹側中脳に於けるＲｅｔ及びＧＦＲα１ｍＲＮＡのインサイチュハイブリダイゼーション分析を示しており、Ｎｕｒｒ１＋／＋（左側パネル）とＮｕｒｒ１−／−（右側パネル）胎の隣接する冠状切片は、Ｎｕｒｒ１（Ａ及びＢ；破壊されたＮｕｒｒ１転写物も認識するプローブによる検出）、ＴＨ（ＣおよびＤ）、Ｒｅｔ（ＥおよびＦ）、そしてＧＦＲα１（ＧおよびＨ）の発現パターンを示し、前述したように、ＴＨは、Ｎｕｒｒ１変異中脳には検出されず（Ｄ）、Ｎｕｒｒ１＋／＋においては、Ｒｅｔは、内側性腹側中脳ドーパミン分泌細胞のみならず、側方に位置する運動ニューロンにおいても検出され（Ｅ）、Ｎｕｒｒ１−／−ＶＭＢは、内側性細胞中でのＲｅｔ発現を示さないのに対して、それは、前記側方に位置する運動ニューロンにおいては検出可能であり（Ｆ）、これに対して、この段階では、ＧＦＲα１は、Ｎｕｒｒ＋／＋（Ｇ）とＮｕｒｒ１−／−（Ｈ）胎の両方における、ＶＭＢ細胞に現れる、尺度バー：２００μＭ．３Ｖ＝第３脳室、ＶＺ＝脳室帯、ＭＺ＝外套帯。
【図７】新生マウスの脳幹のインサイチュハイブリダイゼーション分析を図示しており、Ｎｕｒｒ１＋／＋（左側パネル）とＮｕｒｒ１−／−（右側パネル）子の連続冠状切片は、Ｎｕｒｒ１ （Ａ及びＢ）、ＣｈＡＴ（Ｃ及びＤ）、Ｐｈｏｘ２ａ（Ｅ及びＦ）及びＲｅｔ（Ｇ及びＨ）のｍＲＮＡ発現を示し、新生子マウスにおいて、Ｎｕｒｒ１は、迷走神経のＤＭＮ中に容易に検出可能であるのに対して、腹側に位置する舌下核には標識化は検出されず（Ａ）、変異子マウスにおいて、破壊転写物を認識するプローブは、ＤＭＮを標識化し、これらの細胞の存在を示し（Ｂ）、又、マーカーＣｈＡＴ（Ｅ及びＦ）及びＰｈｏｘ２ａ（Ｅ及びＦ）による標識化は、Ｎｕｒｒ１＋／＋と比較してＮｕｒｒ１−／−において正常に思え、野生型ＤＭＮとは反対に、Ｒｅｔは、この段階ではＮｕｒｒ１＋／＋には検出することができない（Ｇ及びＨ）、尺度バー：４００μｍ．４Ｖ＝第４脳室、ＤＭＮ＝背側運動核、ＨｙＮ＝舌下核。
【図８】発達中の脳幹の冠状断面におけるＮｕｒｒ１たん白質発現を図示しており、Ｎｕｒｒ１たん白質（Ａ−Ｃ赤）、ＨＢ９（Ａ緑）、体細胞運動ニューロン用のマーカー、Ｉｓｌｅｔ  １（Ｂ−Ｄ緑）体細胞と内蔵との両方の運動ニューロン用マーカー、のＥ１０．５（Ａ及びＢ）、Ｅ１３．５（Ｃ）及びＥ．１２．５（Ｄ）の局在化を示し、ロンボメア６−７レベルにおいて、ＨＢ９（緑）に対する抗体によって検出された体細胞運動ニューロンは、共局在化が検出されないことから、Ｎｕｒｒ１発現せず（Ａ）、Ｎｕｒｒ１免疫反応性細胞（矢印によってマーキング）は、主として、前記舌下核を形成するＨＢ９反応性体細胞運動ニューロンの背側に検出され、Ｎｕｒｒ１は、ＨＢ９（ＡとＢを比較）に対して陰性の細胞、即ち、内臓運動ニューロンにおいてＩｓｌｅｔ  １とは共局在化せず（Ｂ；矢印でマーキングされた黄色の細胞）、Ｅ１３．５において、前記内臓ＤＭＮは、第４脳室の側方に形成され、Ｎｕｒｒ１に対して陽性であるのに対して、Ｉｓｌｅｔ  １は、ほとんど完全にダウンレギュレーションされており（Ｃ）、Ｎｕｒｒ１変異脳幹において、ＤＭＮは、Ｅ１２．５でＩｓｌｅｔ  １免疫反応性によって示されているように存在しており（Ｄ）、切片は、（Ｃ）の切片と僅かに異なる角度からのものである、尺度バー：Ａ６５μｍ（Ｂも同様）、Ｃ９０μｍ（Ｄも同様）。４Ｖ＝第４脳室、ＤＭＮ＝背側運動核、ＨｙＮ＝舌下核、ＩＳＬ１＝Ｉｓｌｅｔ１。
【図９】脳幹におけるＮｕｒｒ１及びＲｅｔ  ｍＲＮＡ発現を図示しており、Ｎｕｒｒ１（Ａ，Ｃ，Ｅ，Ｇ）及びＲｅｔ（Ｂ，Ｄ，Ｆ，Ｈ）のインサイチュハイブリダイゼーションでのＥ１３．５（Ａ−Ｄ）及びＥ１６．５（Ｅ−Ｈ）脳幹の連続冠状切片。右側（Ａ−Ｈ）のＤＭＮと、識別を容易にするために破線の〇によって囲まれた４Ｖ（Ｃ，Ｄ，Ｇ，Ｈ）、Ｎｕｒｒ１  ｍＲＮＡは、Ｅ１３．５においてＤＭＮで検出され、そして、Ｒｅｔ  ｍＲＮＡの弱くそして特徴的な発現は、ＤＭＮと舌下核とに検出され（Ｂ）、Ｎｕｒｒ１変異体において、ＤＭＮの検出は、崩壊Ｎｕｒｒ１転写物を認識するプローブによって検出され（Ｃ）、Ｎｕｒｒ１変異ＤＭＮ中にはＲｅｔシグナルは検出されないが、舌下核には見ることができ（Ｄ）、同様に、Ｅ１６．５において、ＤＭＮは、野生型及び変異脳幹においてＮｕｒｒ１のインサイチュハイブリダイゼーションによって認識される（Ｅ及びＧ）のに対して、Ｒｅｔ  ｍＲＮＡは、野生型における、この核には検出することができるが（Ｆ）、変異体には検出することができない（Ｈ）、尺度バー：Ｂ８０μｍ（Ａ−Ｄに適用）、Ｆ１３０μｍ（Ｅ−Ｈに適用）、４Ｖ＝第４脳室、ＤＭＮ＝背側運動核、ＨｙＮ＝舌下核。
【図１０】Ｅ１５．５及びＥ．１２．５胎児の迷走神経の分析を図示しており（Ａ−Ｄ）、マウスＥ．１５．５躯幹及び（Ｅ−Ｉ）全載ｘ−ｇａｌ染色Ｅ．１２．５  Ｎｋｘ６．２＋／−；Ｎｕｒｒ１＋／−及びＮｋｘ６．２＋／−；Ｎｕｒｒ１−／−胎児の胸椎−腰椎レベルでの水平切片であり、一般ニューロンマーカーｐｇｐ９．５の標識化によって、Ｎｕｒｒ１＋／＋胎児（Ａ）及びＮｕｒｒ１−／−（Ｂ）動物の迷走神経を可視化し、遠心性神経線維のみを分析するために、Ｎｋｘ６．２＋／−；Ｎｕｒｒ１＋／＋及びＮｋｘ６．２＋／−；Ｎｕｒｒ１−／−からの切片を、前記ｐｇｐ９．５陽性繊維のサブセットを表す区切りパターンを提供するβ−ｇａｌ免疫反応性について分析し（Ｃ及びＤ）、Ｅ．１２．５ｘ−ｇａｌ染色胎児のハイブリダイゼーションの側面図（Ｅ及びＦ）は、頭蓋から躯幹へと延出する迷走神経を示しており、前記組織内の頭蓋核からの１１繊維路に存在する迷走神経線維のクローズアップ（Ｇ及びＨ）。これらの繊維は、それら繊維の全長を表すために変異体において破線矢印によって補正されている野生型の全白の矢印によって可視化されているように、Ｎｋｘ６．２＋／−；Ｎｕｒｒ１＋／＋脳（Ｇ）におけるよりもＮｋｘ６．２＋／−；Ｎｕｒｒ１−／−脳（Ｈ）における方が長く見える、尺度バー：Ａ−Ｄ  １５μｍ、Ｅ及びＦ  １００μｍ、ＧおよびＨ  ３０μｍ。４Ｖ＝第４脳室、Ｘ＝第１０脳神経；迷走神経。
【図１１】迷走神経-標的領域の水平躯幹切片を図示しており、左側のパネル（Ａ，Ｄ，Ｇ，Ｊ，Ｍ，Ｐ）は肺の気管支、中央のパネル（Ｇ，Ｅ，Ｈ，Ｋ，Ｎ，Ｑ）は食道、右側のパネル（Ｃ，Ｆ，Ｉ，Ｌ，Ｏ，Ｒ）は、小腸、そして下に食道の別の切片（Ｓ−Ｕ）。（Ａ−Ｆ）新生野生型（Ａ，Ｂ，Ｃ）、そして、Ｎｕｒｒ１変異マウス（Ｄ，Ｅ及びＦ）の異なる標的領域における免疫反応性、（Ｇ−Ｌ） Ｅ１８．５における、野生型（Ｇ，Ｈ，Ｉ）及びＮｕｒｒ１変異（Ｊ，Ｋ，Ｌ）胎児の同じ領域におけるエステラーゼ活性のＡＣｈＥアッセイ可視化、（Ｍ−Ｒ）新生野生型（Ｍ，Ｎ，Ｏ）及びＮｕｒｒ１−／−（Ｐ，Ｑ，Ｒ）子の同じ領域におけるＶＡＣｈＴ免疫反応性は、すべての領域の筋肉と、更に、食道と小腸との粘膜下組織の正常な神経細胞の神経支配を示しており、食道の腸筋層間及び粘膜下組織の神経支配に加えて、染色は野生型子の粘膜上皮においても検出された（Ｓ及びＴに於ける上皮組織のクローズアップ）が、これは、変異上皮組織においてと同じ程度には検出されず（Ｕ）、尺度バー：Ａ（Ｂ，Ｄ，Ｅにも適用）、Ｃ（Ｆも同様）、Ｍ（Ｐも同様）、Ｎ（Ｑも同様）、Ｏ（Ｒも同様）、Ｓ（Ｔ及びＵも同様）２０μｍ，Ｇ（Ｈ，Ｊ，Ｋも同様）及びＩ（Ｌも同様）４０μｍ．ｍｕｓ＝筋肉、ｓｕｂ＝粘膜下組織、ｅｐｉ＝上皮組織、Ｘ＝迷走神経。
【図１２】前記非自然発生ＲＸＲリガンド、ＬＧ１００２６８の作用を示し、ここでの使用において、「ＬＧ１００２６８」と「ＬＧ２６８」は、互換可能に使用され、一次腹側中脳細胞を、増加する濃度の二種類のＲＸＲレセプターゴニスト（Ａ）ＳＲ１１２３７及び（Ｂ）ＬＧ２６８とで処理し、これらのリガンドは、ＴＨ−免疫反応性（ＩＲ）細胞の数の投与量依存増加をもたらし、（Ｃ）これらのリガンドの効率を、ドーパミンニューロンの既知の栄養因子であるグリア細胞由来神経栄養因子（ＧＤＮＦ）の効率と比較したところ、ＬＧ２６８は、ＳＲ１１２３７又はＧＤＮＦのいずれよりも強力である。
【図１３】ＲＡＲリガンドは、ＲＸＲ特異的リガンドの神経栄養作用を阻害することを示しており、（Ａ）９−シスレチノイン酸（９ｃｉｓＲＡ）は、ＲＡＲとＲＸＲとの両方に対するリガンドであり、ＲＡＲをＲＸＲよりも効率的に活性化し、一次中脳培養物に対する増加する濃度の９ｃｉｓＲＡの作用を、ＲＡＲ特異的アンタゴニストＲＯ４１−５２５３（ＲＯ）（アプフェル（Apfel）他（1992）Proc. Natl Acad. Sci. USA 89 （15）：7129-7133；ここにその全体を参考文献として合体させる）有りと、無しで分析したところ、Ｌ２６８がコントロールとして使用された。９ｃｉｓＲＡ単独は、ＴＨ−ＩＲ細胞の数に対して、ポジティブにもネガティブにも影響を与えず、ＴＨ−ＩＲニューロンの数は、ＲＯと組み合わされたとき、９ｃｉｓＲＡの濃度増加とともに増加し、そして、ＲＡＲシグナル伝達を阻害することによって、９ｃｉｓＲＡは、ＲＸＲの９ｃｉｓＲＡ活性化を通じてドーパミン細胞生存を促進することが可能になることから、この結果は、ＲＡＲ活性化が、ＲＸＲリガンドの神経栄養作用を阻害することを示唆し、（Ｂ）ＴＴＮＰＢは、ＲＡＲ特異的アゴニストであり、ＴＨ−ＩＲ細胞の数を増加させず、ＬＧ２６８の存在下で、ＴＴＮＰＢは、このリガンドの神経栄養作用を阻害し、これらのデータは、ＲＡＲ活性化が、ＲＸＲ特異的リガンドの栄養活性を妨げることを示している。
【図１４】ドコサヘキサエン酸（ＤＮＡ）がＲＸＲリガンドであり、ＲＸＲを活性化することによってドーパミン作動性細胞生存を促進することを示しており、（Ａ）ＤＨＡの濃度を増加することによってＴＨ−ＩＲ細胞の数が投与量依存的に増加し、（Ｂ）ＬＧ１２０８−選択的ＲＸＲアンタゴニスト−は、ＤＨＡの神経栄養活性を阻害し、（Ｃ） ＬＧ２６８とＤＨＡとの両方が、培養物中のドーパミンニューロンの数を効率的に増加させた（ＴＨ−染色によって定量化）が、全ニューロン細胞の集団の一般的増加はもたらさず、ＮｅｕＮ抗体は、一般的なニューロンマーカーを発現する細胞を検出し、ＮｅｕＮ陽性細胞の定量化は、一次腹側中脳培養物におけるＲＸＲリガンドの作用が、ドーパミン作動性細胞に対して特異的であることを示している。
【図１５】ＬＧ２６８はＮｕｒｒ１−陽性細胞の数を増加させるが、Ｎｕｒｒ１を発現しない細胞の数は増加させないことを示しており、ＲＸＲは、Ｎｕｒｒ１を含む多くの核内レセプターとヘテロダイマーを形成することができ、ここに詳述する実験は、ＲＸＲ／Ｎｕｒｒ１複合体が細胞生存を促進することを示しており、Ｎｕｒｒ１特異的抗血清を使用して検出されたいくつかのＮｕｒｒ１発現組織をＬＧ２６８で処理した。選択された組織は、大脳皮質（Ａ及びＢ）と海馬（ＣとＤ）を含み、Ｎｕｒｒ１陽性細胞（Ａ）の数は、ＬＧ２６８の添加後、３９％増加したのに対して、非発現細胞（Ｂ）の数は増加せず、海馬培養物において、ＬＧ２６８（Ｃ）は、Ｎｕｒｒ１陽性細胞の数を３６％増加させたのに対して、非発現細胞（Ｄ）の数は増加せず、これらの結果は、Ｎｕｒｒ１−ＲＸＲヘテロダイマーが、ドーパミン分泌細胞生存の促進に関係していることを強く示唆しており、更に、これらの結果は、Ｎｕｒｒ１を発現する大脳皮質と海馬からのドーパミン分泌細胞は、ＲＸＲリガンドの神経栄養作用に対して許容的であることを示している。
【図１６】Ｎｕｒｒ１が、ＲＸＲリガンドＬＧ２６８の神経栄養作用を媒介するのに必要であるＲＸＲのダイマー化パートナーであることを示しており、大脳皮質からのＮｕｒｒ１−陽性細胞（Ａ）（Ｎｕｒｒ１＋／＋）とＮｕｒｒ１−陰性細胞（Ｂ）（Ｎｕｒｒ１−／−）がＬＧ２６８によって処理された。
【図１Ａ】
2005500027.tif 000002
【図１Ｂ】
2005500027.tif 000003
【図１Ｃ】
2005500027.tif 000004
【図２Ａ】
2005500027.tif 000005
【図２Ｂ】
2005500027.tif 000006
【図２Ｃ】
2005500027.tif 000007
【図１０】
2005500027.tif 000008
【図１２Ａ】
2005500027.tif 000009
【図１２Ｂ】
2005500027.tif 000010
【図１２Ｃ】
2005500027.tif 000011
【図１３Ａ】
2005500027.tif 000012
【図１３Ｂ】
2005500027.tif 000013
【図１４Ａ】
2005500027.tif 000014
【図１４Ｂ】
2005500027.tif 000015
【図１４Ｃ】
2005500027.tif 000016
【図１５Ａ】
2005500027.tif 000017
【図１５Ｂ】
2005500027.tif 000018
【図１５Ｃ】
2005500027.tif 000019
【図１５Ｄ】
2005500027.tif 000020
【図１６Ａ】
2005500027.tif 000021
【図１６Ｂ】
2005500027.tif 000022
【国際公開パンフレット】
2005500027.tif 000023
2005500027.tif 000024
2005500027.tif 000025
2005500027.tif 000026
2005500027.tif 000027
2005500027.tif 000028
2005500027.tif 000029
2005500027.tif 000030
2005500027.tif 000031
2005500027.tif 000032
2005500027.tif 000033
2005500027.tif 000034
2005500027.tif 000035
2005500027.tif 000036
2005500027.tif 000037
2005500027.tif 000038
2005500027.tif 000039
2005500027.tif 000040
2005500027.tif 000041
2005500027.tif 000042
2005500027.tif 000043
2005500027.tif 000044
2005500027.tif 000045
2005500027.tif 000046
2005500027.tif 000047
2005500027.tif 000048
2005500027.tif 000049
2005500027.tif 000050
2005500027.tif 000051
2005500027.tif 000052
2005500027.tif 000053
2005500027.tif 000054
2005500027.tif 000055
2005500027.tif 000056
2005500027.tif 000057
2005500027.tif 000058
2005500027.tif 000059
2005500027.tif 000060
2005500027.tif 000061
2005500027.tif 000062
2005500027.tif 000063
2005500027.tif 000064
2005500027.tif 000065
2005500027.tif 000066
2005500027.tif 000067
2005500027.tif 000068
2005500027.tif 000069
2005500027.tif 000070
2005500027.tif 000071
2005500027.tif 000072
2005500027.tif 000073
2005500027.tif 000074
2005500027.tif 000075
2005500027.tif 000076
2005500027.tif 000077
2005500027.tif 000078
2005500027.tif 000079
2005500027.tif 000080
2005500027.tif 000081
2005500027.tif 000082
2005500027.tif 000083
2005500027.tif 000084
2005500027.tif 000085
2005500027.tif 000086
2005500027.tif 000087
2005500027.tif 000088
2005500027.tif 000089
2005500027.tif 000090
2005500027.tif 000091
2005500027.tif 000092
2005500027.tif 000093
2005500027.tif 000094
2005500027.tif 000095
2005500027.tif 000096
2005500027.tif 000097
2005500027.tif 000098
2005500027.tif 000099
2005500027.tif 000100
2005500027.tif 000101
【国際公開パンフレット（コレクトバージョン）】
2005500027.tif 000102
2005500027.tif 000103
2005500027.tif 000104
2005500027.tif 000105
2005500027.tif 000106
2005500027.tif 000107
2005500027.tif 000108
2005500027.tif 000109
2005500027.tif 000110
2005500027.tif 000111
2005500027.tif 000112
2005500027.tif 000113
2005500027.tif 000114
2005500027.tif 000115
2005500027.tif 000116
2005500027.tif 000117
2005500027.tif 000118
2005500027.tif 000119
2005500027.tif 000120
2005500027.tif 000121
2005500027.tif 000122
2005500027.tif 000123
2005500027.tif 000124
2005500027.tif 000125
2005500027.tif 000126
2005500027.tif 000127
2005500027.tif 000128
2005500027.tif 000129
2005500027.tif 000130
2005500027.tif 000131
2005500027.tif 000132
2005500027.tif 000133
2005500027.tif 000134
2005500027.tif 000135
2005500027.tif 000136
2005500027.tif 000137
2005500027.tif 000138
2005500027.tif 000139
2005500027.tif 000140
2005500027.tif 000141
2005500027.tif 000142
2005500027.tif 000143
2005500027.tif 000144
2005500027.tif 000145
2005500027.tif 000146
2005500027.tif 000147
2005500027.tif 000148
2005500027.tif 000149
2005500027.tif 000150
2005500027.tif 000151
2005500027.tif 000152
2005500027.tif 000153
2005500027.tif 000154
2005500027.tif 000155
2005500027.tif 000156
2005500027.tif 000157
2005500027.tif 000158
2005500027.tif 000159
2005500027.tif 000160
2005500027.tif 000161
2005500027.tif 000162
2005500027.tif 000163
2005500027.tif 000164
2005500027.tif 000165
2005500027.tif 000166
2005500027.tif 000167
2005500027.tif 000168
2005500027.tif 000169
2005500027.tif 000170
2005500027.tif 000171
2005500027.tif 000172
2005500027.tif 000173
2005500027.tif 000174
2005500027.tif 000175
2005500027.tif 000176
2005500027.tif 000177
2005500027.tif 000178
2005500027.tif 000179